(57)【要約】  本発明の実施形態は、通信方法、ネットワーク側デバイス、およびユーザ端末を提供する。本方法は、ユーザ端末によって、第1のコンポーネントキャリアを使用して第1の基地局との接続を確立するステップと、ユーザ端末が第2のコンポーネントキャリアで第2の基地局とのアップリンク同期を行うことができることを示すために、第1の基地局によって前処理指示メッセージをユーザ端末に送信するステップと、第1の基地局によってターゲットの第2の基地局を取得し、ユーザ端末がターゲットの第2の基地局との間でデータ送信を行うことができることを示すために、第1の指示メッセージをターゲットの第2の基地局に送信するステップとを含む。
2019510432.tif 000002
【特許請求の範囲】
【請求項１】
通信方法であって、
ユーザ端末によって送信される受信される第1の測定報告に基づいて第1の基地局によって、前記ユーザ端末が前処理することができる第2の基地局を決定するステップであって、前記前処理が、前記第2の基地局に対する事前ハンドオーバまたは前記第2の基地局の事前追加を含むが、前記第2の基地局を用いたデータ送信を含まず、前記第1の基地局が、第1のコンポーネントキャリアを使用して前記ユーザ端末に接続され、前記第1の測定報告が、現在のサービングセルの信号品質情報および前記現在のサービングセルの隣接セルの信号品質情報を含む、ステップと、
前記第1の基地局によって第1の要求メッセージを前記第2の基地局に送信するステップであって、前記第1の要求メッセージが、前記ユーザ端末が前記第2の基地局を前処理することができることを示す指示情報を含む、ステップと、
前記第2の基地局によって返信される第1の肯定応答メッセージを受信したときに前記第1の基地局によって、前記ユーザ端末は前記第2の基地局を前処理することができると判断し、前処理指示メッセージを前記ユーザ端末に送信するステップであって、前記前処理指示メッセージが、前記ユーザ端末が前記前処理を行うときに前記第2の基地局とのアップリンク同期を行う第2のコンポーネントキャリアに関する情報を含み、前記第2のコンポーネントキャリアが、前記第1のコンポーネントキャリアとは異なる、ステップと、
前記ユーザ端末がデータ送信を行うことができるターゲットの第2の基地局に関する情報を前記第1の基地局によって取得するステップと、
データ送信のために前記ターゲットの第2の基地局にハンドオーバされるように前記ユーザ端末に命令するために、またはデータ送信のために前記ターゲットの第2の基地局を追加するように前記ユーザ端末に命令するために、前記第1の基地局によって、第1の指示メッセージを前記ターゲットの第2の基地局に送信するか、または前記第1の指示メッセージを前記ターゲットの第2の基地局に送信し、かつ第2の指示メッセージを前記ユーザ端末に送信するステップと
を含む、通信方法。
【請求項２】
前記第1の測定報告が、前記現在のサービングセルに対応する第1の測定結果および前記現在のサービングセルの前記隣接セルに対応する第2の測定結果を含み、
前記ユーザ端末によって送信される前記受信される第1の測定報告に基づいて前記第1の基地局によって、前記ユーザ端末が前処理することができる前記第2の基地局を決定する前記ステップが、
前記第1の測定結果が第1の閾値よりも小さい場合、前記第2の測定結果に基づいて前記第1の基地局によって、前記第2の測定結果に対応する少なくとも1つの第2の基地局を、前記ユーザ端末が前処理することができる前記第2の基地局として決定するステップであって、前記第2の測定結果が、前記第1の測定結果よりも大きい、ステップを含む、請求項1に記載の通信方法。
【請求項３】
前記ユーザ端末がデータ送信を行うことができるターゲットの第2の基地局に関する情報を前記第1の基地局によって取得する前記ステップおよび第1の指示メッセージを前記ターゲットの第2の基地局に送信するか、または前記第1の指示メッセージを前記ターゲットの第2の基地局に送信し、かつ第2の指示メッセージを前記ユーザ端末に送信するステップが、
前記ユーザ端末によって送信される第3の指示メッセージを前記第1の基地局によって受信するステップであって、前記第3の指示メッセージが、前記ターゲットの第2の基地局の識別子を搬送し、前記ターゲットの第2の基地局が、第2の測定報告に基づいて前記ユーザ端末によって決定される、ステップおよび前記第1の基地局によって前記第1の指示メッセージを前記ターゲットの第2の基地局に送信するステップであって、前記第2の測定報告が、前記現在のサービングセルの信号品質情報を含み、前記第1の測定報告とは異なる、ステップ、または
前記ユーザ端末によって送信される前記第2の測定報告に基づいて前記第1の基地局によって前記ターゲットの第2の基地局を決定するステップおよび前記第1の指示メッセージを前記ターゲットの第2の基地局に送信し、前記第2の指示メッセージを前記ユーザ端末に送信するステップ
を含む、請求項1または2に記載の通信方法。
【請求項４】
前記第1の要求メッセージが、情報を設定するための設定命令をさらに含み、これにより、前記第2の基地局が、前記設定命令に従って前記ユーザ端末のためにSRBおよびDRBを事前設定し、
前記第1の肯定応答メッセージおよび前記前処理指示メッセージの両方が、前記SRBの設定情報および前記DRBの設定情報を含む、請求項1から3のいずれか一項に記載の通信方法。
【請求項５】
前記第1の指示メッセージを前記ターゲットの第2の基地局に送信し、第2の指示メッセージを前記ユーザ端末に送信する前記ステップが、
前記第1の指示メッセージを前記ターゲットの第2の基地局に送信するステップと、
前記ターゲットの第2の基地局によって返信される第2の肯定応答メッセージを受信するステップであって、前記第2の肯定応答メッセージが、前記ユーザ端末のために前記ターゲットの第2の基地局によって事前設定されるSRB設定情報およびDRB設定情報を含む、ステップと、
前記SRB設定情報および前記DRB設定情報を搬送する前記第2の指示メッセージを前記ユーザ端末に送信するステップと
を含む、請求項1から3のいずれか一項に記載の通信方法。
【請求項６】
前記第1の要求メッセージが、前記ユーザ端末のためにSRBを確立し、DRBを確立するか、またはDRBの設定情報を事前設定するように前記第2の基地局に命令するための指示情報をさらに含み、
前記第1の肯定応答メッセージおよび前記前処理指示メッセージの両方が、前記確立されたSRBに関する情報および前記確立されたDRBに関する情報または前記DRBの前記設定情報を含み、
前記前処理指示メッセージが、前記確立されたSRBに関する前記情報および前記DRBの前記設定情報を含むとき、前記前処理指示メッセージが、前記第2の基地局が前記DRBの前記設定情報に基づいて前記ユーザ端末のために前記DRBを確立したことを示す指示情報をさらに含む、請求項1から3のいずれか一項に記載の通信方法。
【請求項７】
前記第1の指示メッセージが、前記ターゲットの第2の基地局のために前記第1の基地局によって生成される、前記ターゲットの第2の基地局と前記ユーザ端末との間の第1の中間鍵と、前記ユーザ端末と前記第1の基地局との間の第2の中間鍵に基づいて前記ユーザ端末と前記ターゲットの第2の基地局との間の前記第1の中間鍵を生成し、前記第1の中間鍵に基づいて前記ユーザ端末と前記第2の基地局との間の最終鍵であって、前記ユーザ端末によって前記第2の基地局に送信されるデータを暗号化するために使用される最終鍵を生成するように前記ユーザ端末に命令するための情報とを含む、請求項1から6のいずれか一項に記載の通信方法。
【請求項８】
前記前処理指示メッセージが、
前記ユーザ端末のために前記第1の基地局によって事前設定される、前記ユーザ端末と前記第2の基地局との間のセキュリティ鍵情報を含み、これにより、前記第2の指示メッセージを受信したとき、前記ユーザ端末は、前記ユーザ端末と前記第1の基地局との間の前記第2の中間鍵および前記セキュリティ鍵情報を使用して前記ユーザ端末と前記第2の基地局との間の前記第1の中間鍵を生成する、
請求項1から7のいずれか一項に記載の通信方法。
【請求項９】
前記前処理指示メッセージが、前記ユーザ端末のために前記第1の基地局によって事前設定される第2の基地局セキュリティアルゴリズム情報を含み、
前記第1の基地局によって前記ユーザ端末に送信される前記第2の指示メッセージが、前記ユーザ端末のために前記第1の基地局によって事前設定されるセキュリティ鍵カウンタ情報を含み、これにより、前記第2の指示メッセージを受信したとき、前記ユーザ端末が、前記ユーザ端末と前記第1の基地局との間の前記第2の中間鍵、前記第2の基地局セキュリティアルゴリズム情報、および前記セキュリティ鍵カウンタ情報を使用して前記ユーザ端末と前記第2の基地局との間の前記第1の中間鍵を生成する、請求項1から8のいずれか一項に記載の通信方法。
【請求項１０】
前記方法が、
前記第1の基地局によって第1のデータを前記ターゲットの第2の基地局に送信するステップであって、前記第1のデータが、前記第1の基地局が前記ユーザ端末にまだ送信していないデータである、ステップをさらに含む、請求項1から9のいずれか一項に記載の通信方法。
【請求項１１】
前記方法が、
前記第1の基地局によって経路切り替えメッセージをMMEに送信するステップであって、これにより、前記MMEが、データ送信経路をハンドオーバ先の最終的な前記第2の基地局に切り替える、ステップ
をさらに含む、請求項1から10のいずれか一項に記載の通信方法。
【請求項１２】
前記前処理指示メッセージが、前記ユーザ端末のために前記第2の基地局によって事前設定される前記SRBと、前記ユーザ端末および前記第1の基地局によって維持されるSRBとの対応関係ならびに／または前記ユーザ端末のために前記第2の基地局によって事前設定される前記DRBの前記設定情報と、前記ユーザ端末および前記第1の基地局によって維持されるDRBとの対応関係をさらに含む、請求項1から11のいずれか一項に記載の通信方法。
【請求項１３】
通信方法であって、
第1の基地局によって送信される第1の要求メッセージを第2の基地局によって受信するステップであって、前記第1の要求メッセージが、ユーザ端末の識別子と、前記ユーザ端末が前記第2の基地局を前処理することができることを示す指示情報とを含み、前記前処理が、前記第2の基地局に対する前記ユーザ端末の事前ハンドオーバまたは前記第2の基地局の事前追加を含むが、前記第2の基地局を用いたデータ送信を含まない、ステップと、
前記第2の基地局によって、前記第1の要求メッセージに基づいてアドミッション制御を行い、前記ユーザ端末が前処理の実行を許可されていると判断したときに第1の肯定応答メッセージを前記第1の基地局に返信するステップと、
前記第2の基地局によって、前記ユーザ端末によって送信されるアクセス要求を受信し、前記アクセス要求に基づいて前記ユーザ端末と同期するステップと、
前記第2の基地局によって、前記第1の基地局によって送信される第1の指示メッセージを受信し、前記ユーザ端末との間でデータ送信を実施するために前記第1の指示メッセージに基づいて対応するハンドオーバ処理を行うステップと
を含む、通信方法。
【請求項１４】
前記第1の要求メッセージが、情報を設定するための設定命令をさらに含み、前記方法が、
前記第2の基地局によって、前記設定命令に従って前記ユーザ端末のためにSRBおよびDRBを事前設定するステップをさらに含み、
前記第1の肯定応答メッセージが、前記SRBの設定情報および前記DRBの設定情報を含む、請求項13に記載の通信方法。
【請求項１５】
前記第2の基地局によって、前記第1の基地局によって送信される第1の指示メッセージを受信し、前記ユーザ端末との間でデータ送信を実施するために前記第1の指示メッセージに基づいて対応するハンドオーバ処理を行う前記ステップが、
前記第1の指示メッセージならびに前記第2の基地局にローカルに格納されている前記SRBの前記設定情報および前記DRBの前記設定情報に基づいて前記第2の基地局と前記ユーザ端末との間の前記SRBおよび前記DRBを確立するステップと、
経路切り替えメッセージをMMEに送信するステップであって、これにより、前記MMEが、前記受信した経路切り替えメッセージに基づいてデータ送信経路を前記第2の基地局に切り替える、ステップと
を含む、請求項14に記載の通信方法。
【請求項１６】
前記第2の基地局によって、前記第1の基地局によって送信される第1の指示メッセージを受信し、前記第1の指示メッセージに基づいて対応するハンドオーバ処理を行う前記ステップであって、これにより、前記第2の基地局が、前記ユーザ端末との間でデータ送信を行う、前記ステップが、
前記第2の基地局によって第2の肯定応答メッセージを前記第1の基地局に送信するステップであって、前記第2の肯定応答メッセージが、前記ユーザ端末のために前記ターゲットの第2の基地局によって事前設定されるSRB設定情報およびDRB設定情報を含む、ステップと、
前記第1の指示メッセージならびに前記SRB設定情報および前記DRB設定情報に基づいて前記第2の基地局と前記ユーザ端末との間のSRBおよびDRBを確立するステップと、
経路切り替えメッセージをMMEに送信するステップであって、これにより、前記MMEが、前記受信した経路切り替えメッセージに基づいてデータ送信経路を前記第2の基地局に切り替える、ステップと
を含む、請求項13に記載の通信方法。
【請求項１７】
前記第1の指示メッセージが、前記第2の基地局のために前記第1の基地局によって生成される、前記第2の基地局と前記ユーザ端末との間の第1の中間鍵と、前記ユーザ端末が前記第1の中間鍵に基づいて前記ユーザ端末と前記第2の基地局との間の最終鍵を生成し、前記最終鍵に基づいて前記送信データを暗号化することができることを示す指示情報とを含む、請求項13から16のいずれか一項に記載の通信方法。
【請求項１８】
前記第1の基地局によって送信される第1のデータを前記第2の基地局によって受信するステップであって、前記第1のデータが、前記第1の基地局が前記ユーザ端末にまだ送信していないデータである、ステップ
をさらに含む、請求項13から17のいずれか一項に記載の通信方法。
【請求項１９】
前記第2の基地局によって、前記第1の基地局における前記ユーザ端末の前記第1の中間鍵と、前記ユーザ端末のために前記第1の基地局によって事前設定される第1のカウンタ値とに基づいて前記第2の基地局と前記ユーザ端末との間の第2の中間鍵を生成し、前記第2の中間鍵に基づいて前記第2の基地局と前記ユーザ端末との間の第1の最終鍵を生成するステップであって、前記第1の最終鍵が、前記第2の基地局によって前記ユーザ端末に送信されるデータを暗号化するために使用される、ステップと、
前記第1の基地局によって送信される鍵更新要求メッセージを前記第2の基地局によって受信するステップと、
前記第2の基地局によって、前記第1の基地局における前記ユーザ端末の前記第1の中間鍵と、前記ユーザ端末のために前記第2の基地局によって事前設定される第2のカウンタ値とを使用して第3の中間鍵を生成し、前記第3の鍵を鍵更新応答メッセージに追加し、前記鍵更新応答メッセージを前記第1の基地局に送信するステップであって、前記第2のカウンタ値が、前記第1のカウンタ値とは異なる、ステップと、
前記第2の基地局によって第1の基地局鍵更新コマンドを前記ユーザ端末に送信するステップであって、前記第1の基地局鍵更新コマンドが、前記第2のカウンタ値を搬送し、これにより、前記ユーザ端末が、前記第1の中間鍵および前記第2のカウンタ値に基づいて前記第1の基地局に前記第3の中間鍵を生成し、前記第3の中間鍵に基づいて前記ユーザ端末と前記第1の基地局との間の第2の最終鍵を生成し、前記第2の最終鍵が、前記ユーザ端末によって前記第1の基地局に送信されるデータを暗号化するために使用される、ステップと
をさらに含む、請求項13から18のいずれか一項に記載の通信方法。
【請求項２０】
前記第2の基地局によって、前記第1の基地局における前記ユーザ端末の第4の中間鍵と、前記ユーザ端末のために前記第1の基地局によって事前設定される第3のカウンタ値とに基づいて前記第2の基地局と前記ユーザ端末との間の第5の中間鍵を生成し、前記第5の中間鍵に基づいて前記第2の基地局と前記ユーザ端末との間の第3の最終鍵を生成するステップであって、前記第3の最終鍵が、前記第2の基地局によって前記ユーザ端末に送信されるデータを暗号化するために使用される、ステップと、
前記第1の基地局によって送信される鍵更新要求を前記第2の基地局によって受信するステップと、
前記第2の基地局によって、前記第2の基地局における前記ユーザ端末の前記第5の中間鍵および前記第3のカウンタ値を使用して第6の中間鍵を生成し、前記第6の鍵を鍵更新応答メッセージに追加し、前記鍵更新応答メッセージを前記第1の基地局に送信するステップと、
前記第2の基地局によって鍵更新コマンドを前記ユーザ端末に送信するステップであって、前記鍵更新コマンドが、前記第5の中間鍵および前記第3のカウンタ値を搬送し、これにより、前記ユーザ端末が、前記第5の中間鍵および前記第3のカウンタ値に基づいて前記第1の基地局に前記第6の中間鍵を生成し、前記第6の中間鍵に基づいて前記ユーザ端末と前記第1の基地局との間の第4の最終鍵を生成し、前記第4の最終鍵が、前記ユーザ端末によって前記第2の基地局に送信されるデータを暗号化するために使用される、ステップと
をさらに含む、請求項13から18のいずれか一項に記載の通信方法。
【請求項２１】
通信方法であって、
ユーザ端末によって第1の測定報告を第1の基地局に送信するステップであって、これにより、前記第1の基地局が、前記第1の測定報告に基づいて、前記ユーザ端末が前処理することができる第2の基地局を決定し、前記前処理が、前記第2の基地局に対する事前ハンドオーバまたは前記第2の基地局の事前追加を含むが、前記第2の基地局を用いたデータ送信を含まず、前記ユーザ端末が、第1のコンポーネントキャリアを使用して前記第1の基地局に接続され、前記第1の測定報告が、現在のサービングセルの信号品質情報および前記現在のサービングセルの隣接セルの信号品質情報を含む、ステップと、
前記第1の基地局によって送信される前処理指示メッセージを前記ユーザ端末によって受信するステップであって、前記事前ハンドオーバ指示メッセージが、前記ユーザ端末が前記前処理を行うときに前記第2の基地局とのアップリンク同期を行う第2のコンポーネントキャリアに関する情報を含み、前記第2のコンポーネントキャリアが、前記第1のコンポーネントキャリアとは異なる、ステップと、
前記第2の基地局に対する前記前処理を実施するために、前記前処理指示メッセージに基づいて前記ユーザ端末によって、前記第2のコンポーネントキャリアでランダムアクセス要求を前記第2の基地局に送信するステップと、
前記ユーザ端末によって、前記第1の基地局によって送信される第2の指示メッセージを受信し、前記第2の指示メッセージに基づいて前記ユーザ端末と前記第2の基地局との間でデータ送信を実施するステップと
を含む、通信方法。
【請求項２２】
前記前処理指示メッセージが、前記ユーザ端末のために前記第2の基地局によって事前設定されるSRB設定情報およびDRB設定情報をさらに含み、
前記ユーザ端末によって、前記第1の基地局によって送信される第2の指示メッセージを受信し、前記第2の指示メッセージに基づいて前記ユーザ端末と前記第2の基地局との間で通信を実施する前記ステップが、
前記ユーザ端末によって、前記第1の基地局によって送信される前記第2の指示メッセージを受信し、前記第2の基地局との間でデータ送信を実施するために、前記SRB設定情報および前記DRB設定情報に基づいて前記ユーザ端末と前記第2の基地局との間のSRBおよびDRBを確立するステップを含む、請求項21に記載の通信方法。
【請求項２３】
前記第2の指示メッセージが、前記ユーザ端末のために前記第2の基地局によって事前設定されるSRB設定情報およびDRB設定情報をさらに含み、
前記ユーザ端末によって、前記第1の基地局によって送信される第2の指示メッセージを受信し、前記第2の指示メッセージに基づいて前記ユーザ端末と前記第2の基地局との間で通信を実施する前記ステップが、
前記ユーザ端末によって、前記第1の基地局によって送信される前記第2の指示メッセージを受信し、前記第2の基地局との間でデータ送信を実施するために、前記第2の指示メッセージ内の前記SRB設定情報および前記DRB設定情報に基づいて前記ユーザ端末と前記第2の基地局との間のSRBおよびDRBを確立するステップを含む、請求項21に記載の通信方法。
【請求項２４】
前記ユーザ端末によって、前記第1の基地局における第1の中間鍵と、前記ユーザ端末のために前記第1の基地局によって事前設定される第1のカウンタ値とに基づいて前記第2の基地局に前記ユーザ端末の第2の中間鍵を生成し、前記第2の中間鍵に基づいて前記第2の基地局に前記ユーザ端末の第1の最終鍵を生成するステップであって、前記第1の最終鍵が、前記ユーザ端末によって前記第2の基地局に送信されるデータを暗号化するために使用される、ステップと、
前記第2の基地局によって送信される第1の基地局鍵更新コマンドを前記ユーザ端末によって受信するステップであって、前記第1の基地局鍵更新コマンドが、前記ユーザ端末のために前記第2の基地局によって事前設定される第2のカウンタ値を含み、前記第2のカウンタ値が、前記第1のカウンタ値とは異なる、ステップと、
前記ユーザ端末によって、前記第1の中間鍵および前記第2のカウンタ値に基づいて前記第1の基地局に前記ユーザ端末の第3の中間鍵を生成し、前記第3の中間鍵に基づいて前記第1の基地局に前記ユーザ端末の第2の最終鍵を生成するステップであって、前記第2の最終鍵が、前記ユーザ端末によって前記第1の基地局に送信されるデータを暗号化するために使用される、ステップと
をさらに含む、請求項21から23のいずれか一項に記載の通信方法。
【請求項２５】
前記ユーザ端末によって、前記第1の基地局における第4の中間鍵と、前記ユーザ端末のために前記第1の基地局によって事前設定される第3のカウンタ値とに基づいて前記第2の基地局に前記ユーザ端末の第5の中間鍵を生成し、前記第5の中間鍵に基づいて前記第2の基地局に前記ユーザ端末の第3の最終鍵を生成するステップであって、前記第3の最終鍵が、前記ユーザ端末によって前記第2の基地局に送信されるデータを暗号化するために使用される、ステップと、
前記第2の基地局によって送信される第1の基地局鍵更新コマンドを前記ユーザ端末によって受信するステップであって、前記第1の基地局鍵更新コマンドが、前記第5の中間鍵および前記第3のカウンタ値を含む、ステップと、
前記ユーザ端末によって、前記第5の中間鍵および前記第3のカウンタ値に基づいて前記第1の基地局に第6の中間鍵を生成し、前記第6の中間鍵に基づいて前記ユーザ端末と前記ユーザ端末との間の第4の最終鍵を生成するステップであって、前記第4の最終鍵が、前記ユーザ端末によって前記第2の基地局に送信されるデータを暗号化するために使用される、ステップと
をさらに含む、請求項21から23のいずれか一項に記載の通信方法。
【請求項２６】
前記前処理指示メッセージが、前記第2の基地局を前処理するように前記ユーザ端末に命令するための指示情報をさらに含み、前記ユーザ端末が、前記指示情報に基づいて、前記第1の基地局との接続を維持することを決定する、請求項21から25のいずれか一項に記載の通信方法。
【請求項２７】
ネットワーク側デバイスであって、前記デバイスが、第1の基地局であり、
ユーザ端末によって送信され、前記第1の基地局によって受信される第1の測定報告に基づいて、前記ユーザ端末が前処理することができる第2の基地局を決定するように構成される処理ユニットであって、前記前処理が、前記第2の基地局に対する事前ハンドオーバまたは前記第2の基地局の事前追加を含むが、前記第2の基地局を用いたデータ送信を含まず、前記第1の基地局が、第1のコンポーネントキャリアを使用して前記ユーザ端末に接続され、前記第1の測定報告が、現在のサービングセルの信号品質情報および前記現在のサービングセルの隣接セルの信号品質情報を含む、処理ユニットと、
第1の要求メッセージを前記第2の基地局に送信するように構成される送信ユニットであって、前記第1の要求メッセージが、前記ユーザ端末が前記第2の基地局を前処理することができることを示す指示情報を含む、送信ユニットと
を備え、
前記処理ユニットが、前記第1の基地局が前記第2の基地局によって返信される第1の肯定応答メッセージを受信したときに、前記ユーザ端末は前記第2の基地局を前処理することができると判断するようにさらに構成され、
前記送信ユニットが、前処理指示メッセージを前記ユーザ端末に送信し、前記前処理指示メッセージが、前記ユーザ端末が前記前処理を行うときに前記第2の基地局とのアップリンク同期を行う第2のコンポーネントキャリアに関する情報を含み、前記第2のコンポーネントキャリアが、前記第1のコンポーネントキャリアとは異なる、ようにさらに構成され、
前記処理ユニットが、前記ユーザ端末がデータ送信を行うことができるターゲットの第2の基地局に関する情報を取得するようにさらに構成され、
前記送信ユニットが、データ送信のために前記ターゲットの第2の基地局にハンドオーバされるように前記ユーザ端末に命令するために、またはデータ送信のために前記ターゲットの第2の基地局を追加するように前記ユーザ端末に命令するために、第1の指示メッセージを前記ターゲットの第2の基地局に送信するか、または前記第1の指示メッセージを前記ターゲットの第2の基地局に送信し、かつ第2の指示メッセージを前記ユーザ端末に送信するようにさらに構成される、
ネットワーク側デバイス。
【請求項２８】
前記第1の測定報告が、前記現在のサービングセルに対応する第1の測定結果および前記現在のサービングセルの前記隣接セルに対応する第2の測定結果を含み、
処理ユニットが、ユーザ端末によって送信され、前記第1の基地局によって受信される第1の測定報告に基づいて、前記ユーザ端末が前処理することができる第2の基地局を決定することが、
前記第1の測定結果が第1の閾値よりも小さい場合、前記第2の測定結果に基づいて、前記第2の測定結果に対応する少なくとも1つの第2の基地局を、前記ユーザ端末が前処理することができる前記第2の基地局として決定し、前記第2の測定結果が、前記第1の測定結果よりも大きいことを含む、請求項27に記載のネットワーク側デバイス。
【請求項２９】
受信ユニットであって、前記受信ユニットが、前記ユーザ端末によって送信される第3の指示メッセージを受信するように構成され、前記第3の指示メッセージが、前記ターゲットの第2の基地局の識別子を搬送し、前記ターゲットの第2の基地局が、第2の測定報告に基づいて前記ユーザ端末によって決定され、前記第2の測定報告が、前記現在のサービングセルの信号品質情報を含み、前記第1の測定報告とは異なる、受信ユニット
をさらに備え、
送信ユニットが第1の要求メッセージを前記第2の基地局に送信するように構成されることが、前記受信ユニットが前記第3の指示メッセージを受信したときに、前記第1の指示メッセージを前記ターゲットの第2の基地局に送信することを含むか、または
前記処理ユニットが、前記ユーザ端末がデータ送信を行うことができるターゲットの第2の基地局に関する情報を取得するように構成されることが、前記ユーザ端末によって送信される前記第2の測定報告に基づいて前記ターゲットの第2の基地局を決定することを含み、前記送信ユニットが、前記第1の指示メッセージを前記ターゲットの第2の基地局に送信し、前記第2の指示メッセージを前記ユーザ端末に送信する、ように構成される、
請求項27または28に記載のネットワーク側デバイス。
【請求項３０】
前記第1の要求メッセージが、情報を設定するための設定命令をさらに含み、これにより、前記第2の基地局が、前記設定命令に従って前記ユーザ端末のためにSRBおよびDRBを事前設定し、
前記第1の肯定応答メッセージおよび前記前処理指示メッセージの両方が、前記SRBの設定情報および前記DRBの設定情報を含む、請求項27から29のいずれか一項に記載のネットワーク側デバイス。
【請求項３１】
前記送信ユニットが、前記第1の指示メッセージを前記ターゲットの第2の基地局に送信し、前記第2の指示メッセージを前記ユーザ端末に送信するように構成されることが、前記第1の指示メッセージを前記ターゲットの第2の基地局に送信することを含み、
前記受信ユニットが、前記ターゲットの第2の基地局によって返信される第2の肯定応答メッセージを受信し、前記第2の肯定応答メッセージが、前記ユーザ端末のために前記ターゲットの第2の基地局によって事前設定されるSRB設定情報およびDRB設定情報を含む、ように構成され、
前記送信ユニットが、前記第1の指示メッセージを前記ターゲットの第2の基地局に送信し、前記第2の指示メッセージを前記ユーザ端末に送信するように構成されることが、前記SRB設定情報および前記DRB設定情報を搬送する前記第2の指示メッセージを前記ユーザ端末に送信することを含む、
請求項29に記載のネットワーク側デバイス。
【請求項３２】
前記第1の要求メッセージが、前記ユーザ端末のためにSRBを確立し、DRBを確立するか、またはDRBの設定情報を事前設定するように前記第2の基地局に命令するための指示情報をさらに含み、
前記第1の肯定応答メッセージおよび前記前処理指示メッセージの両方が、前記確立されたSRBに関する情報および前記確立されたDRBに関する情報または前記DRBの前記設定情報を含み、
前記前処理指示メッセージが、前記確立されたSRBに関する前記情報および前記DRBの前記設定情報を含むとき、前記前処理指示メッセージが、前記第2の基地局が前記DRBの前記設定情報に基づいて前記ユーザ端末のために前記DRBを確立したことを示す指示情報をさらに含む、請求項27から29のいずれか一項に記載のネットワーク側デバイス。
【請求項３３】
前記第1の指示メッセージが、前記ターゲットの第2の基地局のために前記第1の基地局によって生成される、前記ターゲットの第2の基地局と前記ユーザ端末との間の第1の中間鍵と、前記ユーザ端末と前記第1の基地局との間の第2の中間鍵に基づいて前記ユーザ端末と前記ターゲットの第2の基地局との間の前記第1の中間鍵を生成し、前記第1の中間鍵に基づいて前記ユーザ端末と前記第2の基地局との間の最終鍵であって、前記ユーザ端末によって前記第2の基地局に送信されるデータを暗号化するために使用される最終鍵を生成するように前記ユーザ端末に命令するための情報とを含む、請求項27から32のいずれか一項に記載のネットワーク側デバイス。
【請求項３４】
前記前処理指示メッセージが、
前記ユーザ端末のために前記第1の基地局によって事前設定される、前記ユーザ端末と前記第2の基地局との間のセキュリティ鍵情報を含み、これにより、前記第2の指示メッセージを受信したとき、前記ユーザ端末は、前記ユーザ端末と前記第1の基地局との間の前記第2の中間鍵および前記セキュリティ鍵情報を使用して前記ユーザ端末と前記第2の基地局との間の前記第1の中間鍵を生成する、
請求項27から33のいずれか一項に記載のネットワーク側デバイス。
【請求項３５】
前記前処理指示メッセージが、前記ユーザ端末のために前記第1の基地局によって事前設定される第2の基地局セキュリティアルゴリズム情報を含み、
前記第1の基地局によって前記ユーザ端末に送信される前記第2の指示メッセージが、前記ユーザ端末のために前記第1の基地局によって事前設定されるセキュリティ鍵カウンタ情報を含み、これにより、前記第2の指示メッセージを受信したとき、前記ユーザ端末が、前記ユーザ端末と前記第1の基地局との間の前記第2の中間鍵、前記第2の基地局セキュリティアルゴリズム情報、および前記セキュリティ鍵カウンタ情報を使用して前記ユーザ端末と前記第2の基地局との間の前記第1の中間鍵を生成する、請求項27から34のいずれか一項に記載のネットワーク側デバイス。
【請求項３６】
前記送信ユニットが、第1のデータを前記ターゲットの第2の基地局に送信し、前記第1のデータが、前記第1の基地局が前記ユーザ端末にまだ送信していないデータである、ようにさらに構成される、請求項28から35のいずれか一項に記載のネットワーク側デバイス。
【請求項３７】
前記送信ユニットが、経路切り替えメッセージをMMEに送信し、これにより、前記MMEが、データ送信経路をハンドオーバ先の最終的な前記第2の基地局に切り替える、ようにさらに構成される、請求項28から36のいずれか一項に記載のネットワーク側デバイス。
【請求項３８】
前記前処理指示メッセージが、前記ユーザ端末のために前記第2の基地局によって事前設定される前記SRBと、前記ユーザ端末および前記第1の基地局によって維持されるSRBとの対応関係ならびに／または前記ユーザ端末のために前記第2の基地局によって事前設定される前記DRBの前記設定情報と、前記ユーザ端末および前記第1の基地局によって維持されるDRBとの対応関係をさらに含む、請求項28から37のいずれか一項に記載のネットワーク側デバイス。
【請求項３９】
ネットワーク側デバイスであって、前記デバイスが、第2の基地局であり、
第1の基地局によって送信される第1の要求メッセージを受信するように構成される受信ユニットであって、前記第1の要求メッセージが、ユーザ端末の識別子と、前記ユーザ端末が前記第2の基地局を前処理することができることを示す指示情報とを含み、前記前処理が、前記第2の基地局に対する前記ユーザ端末の事前ハンドオーバまたは前記第2の基地局の事前追加を含むが、前記第2の基地局を用いたデータ送信を含まない、受信ユニットと、
前記第1の要求メッセージに基づいてアドミッション制御を行うように構成される処理ユニットと、
前記処理ユニットが前記ユーザ端末が前処理の実行を許可されていると判断したときに第1の肯定応答メッセージを前記第1の基地局に送信するように構成される送信ユニットと
を備え、
前記受信ユニットが、前記ユーザ端末によって送信されるアクセス要求を受信するようにさらに構成され、前記処理ユニットが、前記アクセス要求に基づいて前記ユーザ端末と同期するようにさらに構成され、
前記受信ユニットが、前記第1の基地局によって送信される第1の指示メッセージを受信するようにさらに構成され、
前記処理ユニットが、前記第2の基地局と前記ユーザ端末との間でデータ送信を実施するために前記第1の指示メッセージに基づいて対応するハンドオーバ処理を行うようにさらに構成される、
ネットワーク側デバイス。
【請求項４０】
前記第1の要求メッセージが、情報を設定するための設定命令をさらに含み、
前記処理ユニットが、前記設定命令に従って前記ユーザ端末のためにSRBおよびDRBを事前設定するようにさらに構成され、
前記第1の肯定応答メッセージが、前記SRBの設定情報および前記DRBの設定情報を含む、請求項39に記載のネットワーク側デバイス。
【請求項４１】
前記処理ユニットが、前記第2の基地局と前記ユーザ端末との間でデータ送信を実施するために前記第1の指示メッセージに基づいて対応するハンドオーバ処理を行うように構成されることが、前記第1の指示メッセージならびに前記第2の基地局にローカルに格納されている前記SRBの前記設定情報および前記DRBの前記設定情報に基づいて前記第2の基地局と前記ユーザ端末との間の前記SRBおよび前記DRBを確立することを含み、
前記送信ユニットが、経路切り替えメッセージをMMEに送信し、これにより、前記MMEが、前記受信した経路切り替えメッセージに基づいてデータ送信経路を前記第2の基地局に切り替える、ようにさらに構成される、
請求項40に記載のネットワーク側デバイス。
【請求項４２】
前記送信ユニットが、前記受信ユニットが前記第1の基地局によって送信される前記第1の指示メッセージを受信した後、第2の肯定応答メッセージを前記第1の基地局に送信し、前記第2の肯定応答メッセージが、前記ユーザ端末のために前記ターゲットの第2の基地局によって事前設定されるSRB設定情報およびDRB設定情報を含む、ように構成され、
前記処理ユニットが、前記第1の指示メッセージならびに前記SRB設定情報および前記DRB設定情報に基づいて前記第2の基地局と前記ユーザ端末との間のSRBおよびDRBを確立するように構成され、
前記送信ユニットが、経路切り替えメッセージをMMEに送信し、これにより、前記MMEが、前記受信した経路切り替えメッセージに基づいてデータ送信経路を前記第2の基地局に切り替える、ようにさらに構成される、
請求項39に記載のネットワーク側デバイス。
【請求項４３】
前記第1の指示メッセージが、前記第2の基地局のために前記第1の基地局によって生成される、前記第2の基地局と前記ユーザ端末との間の第1の中間鍵と、前記ユーザ端末が前記第1の中間鍵に基づいて前記ユーザ端末と前記第2の基地局との間の最終鍵を生成し、前記最終鍵に基づいて前記送信データを暗号化することができることを示す指示情報とを含む、請求項39から42のいずれか一項に記載のネットワーク側デバイス。
【請求項４４】
前記受信ユニットが、前記第1の基地局によって送信される第1のデータを受信し、前記第1のデータが、前記第1の基地局が前記ユーザ端末にまだ送信していないデータである、ようにさらに構成される、
請求項39から43のいずれか一項に記載のネットワーク側デバイス。
【請求項４５】
前記処理ユニットが、
前記第1の基地局における前記ユーザ端末の前記第1の中間鍵と、前記ユーザ端末のために前記第1の基地局によって事前設定される第1のカウンタ値とに基づいて前記第2の基地局と前記ユーザ端末との間の第2の中間鍵を生成し、前記第2の中間鍵に基づいて前記第2の基地局と前記ユーザ端末との間の第1の最終鍵を生成し、前記第1の最終鍵が、前記第2の基地局によって前記ユーザ端末に送信されるデータを暗号化するために使用される、
ようにさらに構成され、
前記受信ユニットが、前記第1の基地局によって送信される鍵更新要求メッセージを受信するようにさらに構成され、
前記処理ユニットが、前記第1の基地局における前記ユーザ端末の前記第1の中間鍵と、前記ユーザ端末のために前記第2の基地局によって事前設定される第2のカウンタ値とを使用して第3の中間鍵を生成し、前記第3の鍵を鍵更新応答メッセージに追加し、前記鍵更新応答メッセージを前記第1の基地局に送信し、前記第2のカウンタ値が、前記第1のカウンタ値とは異なる、ようにさらに構成され、
前記送信ユニットが、第1の基地局鍵更新コマンドを前記ユーザ端末に送信し、前記第1の基地局鍵更新コマンドが、前記第2のカウンタ値を搬送し、これにより、前記ユーザ端末が、前記第1の中間鍵および前記第2のカウンタ値に基づいて前記第1の基地局に前記第3の中間鍵を生成し、前記第3の中間鍵に基づいて前記ユーザ端末と前記第1の基地局との間の第2の最終鍵を生成し、前記第2の最終鍵が、前記ユーザ端末によって前記第1の基地局に送信されるデータを暗号化するために使用される、ようにさらに構成される、
請求項39から44のいずれか一項に記載のネットワーク側デバイス。
【請求項４６】
前記処理ユニットが、前記第1の基地局における前記ユーザ端末の第4の中間鍵と、前記ユーザ端末のために前記第1の基地局によって事前設定される第3のカウンタ値とに基づいて前記第2の基地局と前記ユーザ端末との間の第5の中間鍵を生成し、前記第5の中間鍵に基づいて前記第2の基地局と前記ユーザ端末との間の第3の最終鍵を生成し、前記第3の最終鍵が、前記第2の基地局によって前記ユーザ端末に送信されるデータを暗号化するために使用される、ようにさらに構成され、
前記受信ユニットが、前記第1の基地局によって送信される鍵更新要求を受信するようにさらに構成され、
前記処理ユニットが、前記第2の基地局における前記ユーザ端末の前記第5の中間鍵および前記第3のカウンタ値を使用して第6の中間鍵を生成し、前記第6の鍵を鍵更新応答メッセージに追加し、前記鍵更新応答メッセージを前記第1の基地局に送信するようにさらに構成され、
前記送信ユニットが、鍵更新コマンドを前記ユーザ端末に送信し、前記鍵更新コマンドが、前記第5の中間鍵および前記第3のカウンタ値を搬送し、これにより、前記ユーザ端末が、前記第5の中間鍵および前記第3のカウンタ値に基づいて前記第1の基地局に前記第6の中間鍵を生成し、前記第6の中間鍵に基づいて前記ユーザ端末と前記第1の基地局との間の第4の最終鍵を生成し、前記第4の最終鍵が、前記ユーザ端末によって前記第2の基地局に送信されるデータを暗号化するために使用される、ようにさらに構成される、
請求項39から44のいずれか一項に記載のネットワーク側デバイス。
【請求項４７】
ユーザ端末であって、
第1の測定報告を第1の基地局に送信し、これにより、前記第1の基地局が、前記第1の測定報告に基づいて、前記ユーザ端末が前処理することができる第2の基地局を決定する、ように構成される送信ユニットであって、前記前処理が、前記第2の基地局に対する事前ハンドオーバまたは前記第2の基地局の事前追加を含むが、前記第2の基地局を用いたデータ送信を含まず、前記ユーザ端末が、第1のコンポーネントキャリアを使用して前記第1の基地局に接続され、前記第1の測定報告が、現在のサービングセルの信号品質情報および前記現在のサービングセルの隣接セルの信号品質情報を含む、送信ユニットと、
前記第1の基地局によって送信される前処理指示メッセージを受信するように構成される受信ユニットであって、前記事前ハンドオーバ指示メッセージが、前記ユーザ端末が前記前処理を行うときに前記第2の基地局とのアップリンク同期を行う第2のコンポーネントキャリアに関する情報を含み、前記第2のコンポーネントキャリアが、前記第1のコンポーネントキャリアとは異なる、受信ユニットと
を備え、
前記送信ユニットが、前記第2の基地局に対する前記前処理を実施するために、前記前処理指示メッセージに基づいて、前記第2のコンポーネントキャリアでランダムアクセス要求を前記第2の基地局に送信するようにさらに構成され、
前記受信ユニットが、前記第1の基地局によって送信される第2の指示メッセージを受信するようにさらに構成され、前記ユーザ端末が、
前記第2の指示メッセージに基づいて前記ユーザ端末と前記第2の基地局との間でデータ送信を実施するように構成される処理ユニットをさらに備える、
ユーザ端末。
【請求項４８】
前記前処理指示メッセージが、前記ユーザ端末のために前記第2の基地局によって事前設定されるSRB設定情報およびDRB設定情報をさらに含み、
前記処理ユニットが、前記受信ユニットが前記第1の基地局によって送信される前記第2の指示メッセージを受信した後、前記第2の基地局との間でデータ送信を実施するために、前記SRB設定情報および前記DRB設定情報に基づいて前記ユーザ端末と前記第2の基地局との間のSRBおよびDRBを確立するように構成される、請求項47に記載のユーザ端末。
【請求項４９】
前記第2の指示メッセージが、前記ユーザ端末のために前記第2の基地局によって事前設定されるSRB設定情報およびDRB設定情報をさらに含み、
前記処理ユニットが、前記受信ユニットが前記第1の基地局によって送信される前記第2の指示メッセージを受信した後、前記第2の基地局との間でデータ送信を実施するために、前記第2の指示メッセージ内の前記SRB設定情報および前記DRB設定情報に基づいて前記ユーザ端末と前記第2の基地局との間のSRBおよびDRBを確立するように構成される、請求項47に記載のユーザ端末。
【請求項５０】
前記処理ユニットが、前記第1の基地局における前記ユーザ端末の第1の中間鍵と、前記ユーザ端末のために前記第1の基地局によって事前設定される第1のカウンタ値とに基づいて前記第2の基地局に前記ユーザ端末の第2の中間鍵を生成し、前記第2の中間鍵に基づいて前記第2の基地局に前記ユーザ端末の第1の最終鍵を生成し、前記第1の最終鍵が、前記ユーザ端末によって前記第2の基地局に送信されるデータを暗号化するために使用される、ようにさらに構成され、
前記受信ユニットが、前記第2の基地局によって送信される第1の基地局鍵更新コマンドを受信し、前記第1の基地局鍵更新コマンドが、前記ユーザ端末のために前記第2の基地局によって事前設定される第2のカウンタ値を含み、前記第2のカウンタ値が、前記第1のカウンタ値とは異なる、ようにさらに構成され、
前記処理ユニットが、前記第1の中間鍵および前記第2のカウンタ値に基づいて前記第1の基地局に前記ユーザ端末の第3の中間鍵を生成し、前記第3の中間鍵に基づいて前記第1の基地局に前記ユーザ端末の第2の最終鍵を生成し、前記第2の最終鍵が、前記ユーザ端末によって前記第1の基地局に送信されるデータを暗号化するために使用される、ようにさらに構成される、
請求項47から49のいずれか一項に記載のユーザ端末。
【請求項５１】
前記処理ユニットが、前記第1の基地局における第4の中間鍵と、前記ユーザ端末のために前記第1の基地局によって事前設定される第3のカウンタ値とに基づいて前記第2の基地局に前記ユーザ端末の第5の中間鍵を生成し、前記第5の中間鍵に基づいて前記第2の基地局に前記ユーザ端末の第3の最終鍵を生成し、前記第3の最終鍵が、前記ユーザ端末によって前記第2の基地局に送信されるデータを暗号化するために使用される、ようにさらに構成され、
前記受信ユニットが、前記第2の基地局によって送信される第1の基地局鍵更新コマンドを受信し、前記第1の基地局鍵更新コマンドが、前記第5の中間鍵および前記第3のカウンタ値を含む、ようにさらに構成され、
前記処理ユニットが、前記第5の中間鍵および前記第3のカウンタ値に基づいて前記第1の基地局に第6の中間鍵を生成し、前記第6の中間鍵に基づいて前記ユーザ端末と前記ユーザ端末との間の第4の最終鍵を生成し、前記第4の最終鍵が、前記ユーザ端末によって前記第2の基地局に送信されるデータを暗号化するために使用される、ようにさらに構成される、
請求項47から49のいずれか一項に記載のユーザ端末。
【請求項５２】
前記前処理指示メッセージが、前記第2の基地局を前処理するように前記ユーザ端末に命令するための指示情報をさらに含み、
前記処理ユニットが、前記指示情報に基づいて、前記ユーザ端末と前記第1の基地局との接続を維持することを決定するようにさらに構成される、請求項47から51のいずれか一項に記載のユーザ端末。
【発明の詳細な説明】
【技術分野】
【０００１】
本発明の実施形態は、通信技術に関し、具体的には、通信方法、ネットワーク側デバイス、およびユーザ端末に関する。
【背景技術】
【０００２】
ロングタームエボリューション（Long Term Evolution、略してLTE）は、ユニバーサル移動通信システム（Universal Mobile Telecommunications System、略してUMTS）の技術規格のロングタームエボリューションであり、第3世代パートナーシッププロジェクト（The 3rd Generation Partnership Project、略して3GPP）機関によって開発されている。LTEネットワークでは、ユーザ機器（User Equipment、略してUE）が、移動中に、モビリティ管理エンティティ（Mobility Management Entity、略してMME）によって管理される基地局のカバレッジエリアから別の基地局のカバレッジエリアに移動するとき、ハードハンドオーバ処理を行う必要がある。
【０００３】
従来技術では、UEに関して実行されるハードハンドオーバの主な動作原理は以下の通りである。UEは、現在のサービングセルの信号強度を最初に測定し、現在のサービングセルの信号強度が第1の特定の閾値よりも低いとき、現在のサービングセルの隣接セルの信号強度を測定し、UEの測定結果をソース基地局に報告する。ソース基地局は、測定によって取得された隣接セルの信号強度に基づいて、UEがハンドオーバされ得るターゲット基地局を決定し、現在のサービングセルの信号強度が第2の特定の閾値よりも低いとき、ハンドオーバ要求を生成し、ハンドオーバ要求をターゲット基地局に送信する。ターゲット基地局は、ハンドオーバ要求に従ってアドミッション制御を行い、ハンドオーバ肯定応答メッセージをソース基地局に送信する。次に、ソース基地局は、ハンドオーバコマンドをUEに送信する。ハンドオーバコマンドを受信した後、UEは、ソース基地局との接続をすぐに切断し、ランダムアクセスモードでターゲット基地局とアップリンク同期される。ランダムアクセスが成功した後、UEは、ターゲット基地局と通信することができる。
【０００４】
しかしながら、従来技術のハードハンドオーバモードでは、ソース基地局との接続を切断した後、UEは、ランダムアクセス手順を使用してターゲット基地局にアクセスする。したがって、比較的大きな待ち時間が生じる。
【発明の概要】
【０００５】
本発明の実施形態は、UEをターゲット基地局にハンドオーバするためにハードハンドオーバモードを使用するときに比較的大きな待ち時間が生じるという従来技術の問題を解決するために通信方法、ネットワーク側デバイス、ユーザ端末、および通信システムを提供する。
【課題を解決するための手段】
【０００６】
第1の態様によれば、本発明の一実施形態は、通信方法であって、
ユーザ端末によって送信される受信される第1の測定報告に基づいて第1の基地局によって、ユーザ端末が前処理することができる第2の基地局を決定するステップであって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、ステップと、
第1の基地局によって第1の要求メッセージを第2の基地局に送信するステップであって、第1の要求メッセージが、ユーザ端末が第2の基地局を前処理することができることを示す指示情報を含む、ステップと、
第2の基地局によって返信される第1の肯定応答メッセージを受信したときに第1の基地局によって、ユーザ端末は第2の基地局を前処理することができると判断し、前処理指示メッセージをユーザ端末に送信するステップであって、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ステップと、
ユーザ端末がデータ送信を行うことができるターゲットの第2の基地局に関する情報を第1の基地局によって取得するステップと、
データ送信のためにターゲットの第2の基地局にハンドオーバされるようにユーザ端末に命令するために、またはデータ送信のためにターゲットの第2の基地局を追加するようにユーザ端末に命令するために、第1の基地局によって、第1の指示メッセージをターゲットの第2の基地局に送信するか、または第1の指示メッセージをターゲットの第2の基地局に送信し、かつ第2の指示メッセージをユーザ端末に送信するステップと
を含む、通信方法を提供する。
【０００７】
任意選択的に、第1の測定報告は、現在のサービングセルに対応する第1の測定結果および現在のサービングセルの隣接セルに対応する第2の測定結果を含み、
ユーザ端末によって送信される受信される第1の測定報告に基づいて第1の基地局によって、ユーザ端末が前処理することができる第2の基地局を決定するステップは、
第1の測定結果が第1の閾値よりも小さい場合、第2の測定結果に基づいて第1の基地局によって、第2の測定結果に対応する少なくとも1つの第2の基地局を、ユーザ端末が前処理することができる第2の基地局として決定するステップであって、第2の測定結果が、第1の測定結果よりも大きい、ステップを含む。
【０００８】
任意選択的に、ユーザ端末がデータ送信を行うことができるターゲットの第2の基地局に関する情報を第1の基地局によって取得するステップおよび第1の指示メッセージをターゲットの第2の基地局に送信するか、または第1の指示メッセージをターゲットの第2の基地局に送信し、かつ第2の指示メッセージをユーザ端末に送信するステップは、
ユーザ端末によって送信される第3の指示メッセージを第1の基地局によって受信するステップであって、第3の指示メッセージが、ターゲットの第2の基地局の識別子を搬送し、ターゲットの第2の基地局が、第2の測定報告に基づいてユーザ端末によって決定される、ステップおよび第1の基地局によって第1の指示メッセージをターゲットの第2の基地局に送信するステップであって、第2の測定報告が、現在のサービングセルの信号品質情報を含み、第1の測定報告とは異なる、ステップ、または
ユーザ端末によって送信される第2の測定報告に基づいて第1の基地局によってターゲットの第2の基地局を決定するステップおよび第1の指示メッセージをターゲットの第2の基地局に送信し、第2の指示メッセージをユーザ端末に送信するステップ
を含む。
【０００９】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【００１０】
任意選択的に、第1の指示メッセージをターゲットの第2の基地局に送信し、第2の指示メッセージをユーザ端末に送信するステップは、
第1の指示メッセージをターゲットの第2の基地局に送信するステップと、
ターゲットの第2の基地局によって返信される第2の肯定応答メッセージを受信するステップであって、第2の肯定応答メッセージが、ユーザ端末のためにターゲットの第2の基地局によって事前設定されるSRB設定情報およびDRB設定情報を含む、ステップと、
SRB設定情報およびDRB設定情報を搬送する第2の指示メッセージをユーザ端末に送信するステップと
を含む。
【００１１】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【００１２】
任意選択的に、第1の指示メッセージは、ターゲットの第2の基地局のために第1の基地局によって生成される、ターゲットの第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【００１３】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【００１４】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【００１５】
任意選択的に、本方法は、
第1の基地局によって第1のデータをターゲットの第2の基地局に送信するステップであって、第1のデータが、第1の基地局がユーザ端末にまだ送信していないデータである、ステップ
をさらに含む。
【００１６】
任意選択的に、本方法は、
第1の基地局によって経路切り替えメッセージをMMEに送信するステップであって、これにより、MMEが、データ送信経路をハンドオーバ先の最終的な第2の基地局に切り替える、ステップ
をさらに含む。
【００１７】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBの設定情報と、ユーザ端末および第1の基地局によって維持されているDRBとの対応関係をさらに含む。
【００１８】
第2の態様によれば、本発明の一実施形態は、通信方法をさらに提供し、本方法は、
第1の基地局によって送信される第1の要求メッセージを第2の基地局によって受信するステップであって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、ステップと、
第2の基地局によって、第1の要求メッセージに基づいてアドミッション制御を行い、ユーザ端末が前処理の実行を許可されていると判断したときに第1の肯定応答メッセージを第1の基地局に返信するステップと、
第2の基地局によって、ユーザ端末によって送信されるアクセス要求を受信し、アクセス要求に基づいてユーザ端末と同期するステップと、
第2の基地局によって、第1の基地局によって送信される第1の指示メッセージを受信し、ユーザ端末との間でデータ送信を実施するために第1の指示メッセージに基づいて対応するハンドオーバ処理を行うステップと
を含む。
【００１９】
任意選択的に、第1の要求メッセージは、情報を設定するための設定命令をさらに含み、本方法は、
第2の基地局によって、設定命令に従ってユーザ端末のためにSRBおよびDRBを事前設定するステップをさらに含み、
第1の肯定応答メッセージは、SRBの設定情報およびDRBの設定情報を含む。
【００２０】
任意選択的に、第1の指示メッセージに基づいて対応するハンドオーバ処理を行うステップであって、これにより、第2の基地局が、ユーザ端末との間でデータ送信を行う、ステップは、
第1の指示メッセージならびに第2の基地局にローカルに格納されているSRBの設定情報およびDRBの設定情報に基づいて第2の基地局とユーザ端末との間のSRBおよびDRBを確立するステップと、
経路切り替えメッセージをMMEに送信するステップであって、これにより、MMEが、受信した経路切り替えメッセージに基づいてデータ送信経路を第2の基地局に切り替える、ステップと
を含む。
【００２１】
任意選択的に、第2の基地局によって、第1の基地局によって送信される第1の指示メッセージを受信し、第1の指示メッセージに基づいて対応するハンドオーバ処理を行うステップであって、これにより、第2の基地局が、ユーザ端末との間でデータ送信を行う、ステップは、
第2の基地局によって第2の肯定応答メッセージを第1の基地局に送信するステップであって、第2の肯定応答メッセージが、ユーザ端末のためにターゲットの第2の基地局によって事前設定されるSRB設定情報およびDRB設定情報を含む、ステップと、
第1の指示メッセージならびにSRB設定情報およびDRB設定情報に基づいて第2の基地局とユーザ端末との間のSRBおよびDRBを確立するステップと、
経路切り替えメッセージをMMEに送信するステップであって、これにより、MMEが、受信した経路切り替えメッセージに基づいてデータ送信経路を第2の基地局に切り替える、ステップと
を含む。
【００２２】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【００２３】
任意選択的に、本方法は、
第1の基地局によって送信される第1のデータを第2の基地局によって受信するステップであって、第1のデータが、第1の基地局がユーザ端末にまだ送信していないデータである、ステップ
をさらに含む。
【００２４】
任意選択的に、本方法は、
第2の基地局によって、第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成するステップであって、第1の最終鍵が、第2の基地局によってユーザ端末に送信されるデータを暗号化するために使用される、ステップと、
第1の基地局によって送信される鍵更新要求メッセージを第2の基地局によって受信するステップと、
第2の基地局によって、第1の基地局におけるユーザ端末の第1の中間鍵と、ユーザ端末のために第2の基地局によって事前設定される第2のカウンタ値とを使用して第3の中間鍵を生成し、第3の鍵を鍵更新応答メッセージに追加し、鍵更新応答メッセージを第1の基地局に送信するステップであって、第2のカウンタ値が、第1のカウンタ値とは異なる、ステップと、
第2の基地局によって第1の基地局鍵更新コマンドをユーザ端末に送信するステップであって、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ステップと
をさらに含む。
【００２５】
任意選択的に、本方法は、
第2の基地局によって、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成するステップであって、第3の最終鍵が、第2の基地局によってユーザ端末に送信されるデータを暗号化するために使用される、ステップと、
第1の基地局によって送信される鍵更新要求を第2の基地局によって受信するステップと、
第2の基地局によって、第2の基地局におけるユーザ端末の第5の中間鍵および第3のカウンタ値を使用して第6の中間鍵を生成し、第6の鍵を鍵更新応答メッセージに追加し、鍵更新応答メッセージを第1の基地局に送信するステップと、
第2の基地局によって鍵更新コマンドをユーザ端末に送信するステップであって、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ステップと
をさらに含む。
【００２６】
第3の態様によれば、本発明の一実施形態は、通信方法であって、
ユーザ端末によって第1の測定報告を第1の基地局に送信するステップであって、これにより、第1の基地局が、第1の測定報告に基づいて、ユーザ端末が前処理することができる第2の基地局を決定し、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、ステップと、
第1の基地局によって送信される前処理指示メッセージをユーザ端末によって受信するステップであって、事前ハンドオーバ指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ステップと、
第2の基地局に対する前処理を実施するために、前処理指示メッセージに基づいてユーザ端末によって、第2のコンポーネントキャリアでランダムアクセス要求を第2の基地局に送信するステップと、
ユーザ端末によって、第1の基地局によって送信される第2の指示メッセージを受信し、第2の指示メッセージに基づいてユーザ端末と第2の基地局との間でデータ送信を実施するステップと
を含む、通信方法を提供する。
【００２７】
任意選択的に、前処理指示メッセージは、ユーザ端末のために第2の基地局によって事前設定されるSRB設定情報およびDRB設定情報をさらに含み、
ユーザ端末によって、第1の基地局によって送信される第2の指示メッセージを受信し、第2の指示メッセージに基づいてユーザ端末と第2の基地局との間で通信を実施するステップは、
ユーザ端末によって、第1の基地局によって送信される第2の指示メッセージを受信し、第2の基地局との間でデータ送信を実施するために、SRB設定情報およびDRB設定情報に基づいてユーザ端末と第2の基地局との間のSRBおよびDRBを確立するステップを含む。
【００２８】
任意選択的に、第2の指示メッセージは、ユーザ端末のために第2の基地局によって事前設定されるSRB設定情報およびDRB設定情報をさらに含み、
ユーザ端末によって、第1の基地局によって送信される第2の指示メッセージを受信し、第2の指示メッセージに基づいてユーザ端末と第2の基地局との間で通信を実施するステップは、
ユーザ端末によって、第1の基地局によって送信される第2の指示メッセージを受信し、第2の基地局との間でデータ送信を実施するために、第2の指示メッセージ内のSRB設定情報およびDRB設定情報に基づいてユーザ端末と第2の基地局との間のSRBおよびDRBを確立するステップ
を含む。
【００２９】
任意選択的に、本方法は、
ユーザ端末によって、第1の基地局における第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成するステップであって、第1の最終鍵が、ユーザ端末によって第2の基地局に送信されるデータを暗号化するために使用される、ステップと、
第2の基地局によって送信される第1の基地局鍵更新コマンドをユーザ端末によって受信するステップであって、第1の基地局鍵更新コマンドが、ユーザ端末のために第2の基地局によって事前設定される第2のカウンタ値を含み、第2のカウンタ値が、第1のカウンタ値とは異なる、ステップと、
ユーザ端末によって、第1の中間鍵および第2のカウンタ値に基づいて第1の基地局にユーザ端末の第3の中間鍵を生成し、第3の中間鍵に基づいて第1の基地局にユーザ端末の第2の最終鍵を生成するステップであって、第2の最終鍵が、ユーザ端末によって第1の基地局に送信されるデータを暗号化するために使用される、ステップと
をさらに含む。
【００３０】
任意選択的に、本方法は、
ユーザ端末によって、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成するステップであって、第3の最終鍵が、ユーザ端末によって第2の基地局に送信されるデータを暗号化するために使用される、ステップと、
第2の基地局によって送信される第1の基地局鍵更新コマンドをユーザ端末によって受信するステップであって、第1の基地局鍵更新コマンドが、第5の中間鍵および第3のカウンタ値を含む、ステップと、
ユーザ端末によって、第5の中間鍵および第3のカウンタ値に基づいて第1の基地局に第6の中間鍵を生成し、第6の中間鍵に基づいてユーザ端末とユーザ端末との間の第4の最終鍵を生成するステップであって、第4の最終鍵が、ユーザ端末によって第2の基地局に送信されるデータを暗号化するために使用される、ステップと
をさらに含む。
【００３１】
任意選択的に、前処理指示メッセージは、第2の基地局を前処理するようにユーザ端末に命令するための指示情報をさらに含み、ユーザ端末は、指示情報に基づいて、第1の基地局との接続を維持することを決定する。
【００３２】
第4の態様によれば、本発明の一実施形態は、ネットワーク側デバイスをさらに提供し、本デバイスは、第1の基地局であり、
ユーザ端末によって送信され、第1の基地局によって受信される第1の測定報告に基づいて、ユーザ端末が前処理することができる第2の基地局を決定するように構成される処理ユニットであって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、処理ユニットと、
第1の要求メッセージを第2の基地局に送信するように構成される送信ユニットであって、第1の要求メッセージが、ユーザ端末が第2の基地局を前処理することができることを示す指示情報を含む、送信ユニットと
を含み、
処理ユニットは、第1の基地局が第2の基地局によって返信される第1の肯定応答メッセージを受信したときに、ユーザ端末は第2の基地局を前処理することができると判断するようにさらに構成され、
送信ユニットは、前処理指示メッセージをユーザ端末に送信し、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ようにさらに構成され、
処理ユニットは、ユーザ端末がデータ送信を行うことができるターゲットの第2の基地局に関する情報を取得するようにさらに構成され、
送信ユニットは、データ送信のためにターゲットの第2の基地局にハンドオーバされるようにユーザ端末に命令するために、またはデータ送信のためにターゲットの第2の基地局を追加するようにユーザ端末に命令するために、第1の指示メッセージをターゲットの第2の基地局に送信するか、または第1の指示メッセージをターゲットの第2の基地局に送信し、かつ第2の指示メッセージをユーザ端末に送信するようにさらに構成される。
【００３３】
任意選択的に、第1の測定報告は、現在のサービングセルに対応する第1の測定結果および現在のサービングセルの隣接セルに対応する第2の測定結果を含み、
処理ユニットは、ユーザ端末によって送信される受信される第1の測定報告に基づいて、ユーザ端末が前処理することができる第2の基地局を決定し、
第1の測定結果が第1の閾値よりも小さい場合、第2の測定結果に基づいて、第2の測定結果に対応する少なくとも1つの第2の基地局を、ユーザ端末が前処理することができる第2の基地局として決定し、第2の測定結果が、第1の測定結果よりも大きい、ように構成される。
【００３４】
任意選択的に、本デバイスは、
受信ユニットであって、該受信ユニットが、ユーザ端末によって送信される第3の指示メッセージを受信するように構成され、第3の指示メッセージが、ターゲットの第2の基地局の識別子を搬送し、ターゲットの第2の基地局が、第2の測定報告に基づいてユーザ端末によって決定され、第2の測定報告が、現在のサービングセルの信号品質情報を含み、第1の測定報告とは異なる、受信ユニットをさらに含み、
送信ユニットは、受信ユニットが第3の指示メッセージを受信したときに、第1の指示メッセージをターゲットの第2の基地局に送信するように構成されるか、または
処理ユニットは、ユーザ端末によって送信される第2の測定報告に基づいてターゲットの第2の基地局を決定するように構成され、
送信ユニットは、第1の指示メッセージをターゲットの第2の基地局に送信し、第2の指示メッセージをユーザ端末に送信するように構成される。
【００３５】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【００３６】
任意選択的に、受信ユニットは、送信ユニットが第1の指示メッセージをターゲットの第2の基地局に送信した後、ターゲットの第2の基地局によって返信される第2の肯定応答メッセージを受信し、第2の肯定応答メッセージが、ユーザ端末のためにターゲットの第2の基地局によって事前設定されたSRB設定情報およびDRB設定情報を含む、ように構成され、
送信ユニットは、SRB設定情報およびDRB設定情報を搬送する第2の指示メッセージをユーザ端末に送信するように特に構成される。
【００３７】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【００３８】
任意選択的に、第1の指示メッセージは、ターゲットの第2の基地局のために第1の基地局によって生成される、ターゲットの第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【００３９】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【００４０】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【００４１】
任意選択的に、送信ユニットは、第1のデータをターゲットの第2の基地局に送信し、第1のデータが、第1の基地局がユーザ端末にまだ送信していないデータである、ようにさらに構成される。
【００４２】
任意選択的に、送信ユニットは、経路切り替えメッセージをMMEに送信し、これにより、MMEが、データ送信経路をハンドオーバ先の最終的な第2の基地局に切り替える、ようにさらに構成される。
【００４３】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBの設定情報と、ユーザ端末および第1の基地局によって維持されているDRBとの対応関係をさらに含む。
【００４４】
第5の態様によれば、本発明の一実施形態は、ネットワーク側デバイスをさらに提供し、本デバイスは、第2の基地局であり、
第1の基地局によって送信される第1の要求メッセージを受信するように構成される受信ユニットであって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、受信ユニットと、
第1の要求メッセージに基づいてアドミッション制御を行うように構成される処理ユニットと、
処理ユニットがユーザ端末が前処理の実行を許可されていると判断したときに第1の肯定応答メッセージを第1の基地局に送信するように構成される送信ユニットと
を含み、
受信ユニットは、ユーザ端末によって送信されるアクセス要求を受信するようにさらに構成され、処理ユニットが、アクセス要求に基づいてユーザ端末と同期するようにさらに構成され、
受信ユニットは、第1の基地局によって送信される第1の指示メッセージを受信するようにさらに構成され、処理ユニットは、第1の指示メッセージに基づいて第2の基地局とユーザ端末との間でデータ送信を実施するようにさらに構成される。
【００４５】
任意選択的に、第1の要求メッセージは、情報を設定するための設定命令をさらに含み、
処理ユニットは、設定命令に従ってユーザ端末のためにSRBおよびDRBを事前設定するようにさらに構成され、
第1の肯定応答メッセージは、SRBの設定情報およびDRBの設定情報を含む。
【００４６】
任意選択的に、処理ユニットは、受信ユニットが第1の基地局によって送信される第1の指示メッセージを受信した後、第1の指示メッセージならびに第2の基地局にローカルに格納されているSRBの設定情報およびDRBの設定情報に基づいて第2の基地局とユーザ端末との間のSRBおよびDRBを確立するように構成され、
送信ユニットは、経路切り替えメッセージをMMEに送信し、これにより、MMEが、受信した経路切り替えメッセージに基づいてデータ送信経路を第2の基地局に切り替える、ようにさらに構成される。
【００４７】
任意選択的に、送信ユニットは、受信ユニットが第1の基地局によって送信される第1の指示メッセージを受信した後、第2の肯定応答メッセージを第1の基地局に送信し、第2の肯定応答メッセージが、ユーザ端末のためにターゲットの第2の基地局によって事前設定されるSRB設定情報およびDRB設定情報を含む、ように構成され、
処理ユニットは、第1の指示メッセージならびにSRB設定情報およびDRB設定情報に基づいて第2の基地局とユーザ端末との間のSRBおよびDRBを確立するように構成され、
送信ユニットは、経路切り替えメッセージをMMEに送信し、これにより、MMEが、受信した経路切り替えメッセージに基づいてデータ送信経路を第2の基地局に切り替える、ようにさらに構成される。
【００４８】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【００４９】
任意選択的に、受信ユニットは、第1の基地局によって送信される第1のデータを受信し、第1のデータが、第1の基地局がユーザ端末にまだ送信していないデータである、ようにさらに構成される。
【００５０】
任意選択的に、処理ユニットは、
第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成し、第1の最終鍵が、第2の基地局によってユーザ端末に送信されるデータを暗号化するために使用される、ようにさらに構成され、
受信ユニットは、第1の基地局によって送信される鍵更新要求メッセージを受信するようにさらに構成され、
処理ユニットは、第1の基地局におけるユーザ端末の第1の中間鍵と、ユーザ端末のために第2の基地局によって事前設定される第2のカウンタ値とを使用して第3の中間鍵を生成し、第3の鍵を鍵更新応答メッセージに追加し、鍵更新応答メッセージを第1の基地局に送信し、第2のカウンタ値が、第1のカウンタ値とは異なる、ようにさらに構成され、
送信ユニットは、第1の基地局鍵更新コマンドをユーザ端末に送信し、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ようにさらに構成される。
【００５１】
任意選択的に、処理ユニットは、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成し、第3の最終鍵が、第2の基地局によってユーザ端末に送信されるデータを暗号化するために使用される、ようにさらに構成され、
受信ユニットは、第1の基地局によって送信される鍵更新要求を受信するようにさらに構成され、
処理ユニットは、第2の基地局におけるユーザ端末の第5の中間鍵および第3のカウンタ値を使用して第6の中間鍵を生成し、第6の鍵を鍵更新応答メッセージに追加し、鍵更新応答メッセージを第1の基地局に送信するようにさらに構成され、
送信ユニットは、鍵更新コマンドをユーザ端末に送信し、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ようにさらに構成される。
【００５２】
第6の態様によれば、本発明の一実施形態は、ユーザ端末であって、
第1の測定報告を第1の基地局に送信し、これにより、第1の基地局が、第1の測定報告に基づいて、ユーザ端末が前処理することができる第2の基地局を決定する、ように構成される送信ユニットであって、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、送信ユニットと、
第1の基地局によって送信される前処理指示メッセージを受信するように構成される受信ユニットであって、事前ハンドオーバ指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、受信ユニットと
を含み、
送信ユニットが、第2の基地局に対する前処理を実施するために、前処理指示メッセージに基づいて、第2のコンポーネントキャリアでランダムアクセス要求を第2の基地局に送信するようにさらに構成され、
受信ユニットが、第1の基地局によって送信される第2の指示メッセージを受信するようにさらに構成され、ユーザ端末が、
第2の指示メッセージに基づいてユーザ端末と第2の基地局との間でデータ送信を実施するように構成される処理ユニットをさらに含む、ユーザ端末を提供する。
【００５３】
任意選択的に、前処理指示メッセージは、ユーザ端末のために第2の基地局によって事前設定されるSRB設定情報およびDRB設定情報をさらに含み、
処理ユニットは、受信ユニットが第1の基地局によって送信される第2の指示メッセージを受信した後、第2の基地局との間でデータ送信を実施するために、SRB設定情報およびDRB設定情報に基づいてユーザ端末と第2の基地局との間のSRBおよびDRBを確立するように構成される。
【００５４】
任意選択的に、第2の指示メッセージは、ユーザ端末のために第2の基地局によって事前設定されるSRB設定情報およびDRB設定情報をさらに含み、
処理ユニットは、受信ユニットが第1の基地局によって送信される第2の指示メッセージを受信した後、第2の基地局との間でデータ送信を実施するために、第2の指示メッセージ内のSRB設定情報およびDRB設定情報に基づいてユーザ端末と第2の基地局との間のSRBおよびDRBを確立するように構成される。
【００５５】
任意選択的に、処理ユニットは、第1の基地局におけるユーザ端末の第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成し、第1の最終鍵が、ユーザ端末によって第2の基地局に送信されるデータを暗号化するために使用される、ようにさらに構成され、
受信ユニットは、第2の基地局によって送信される第1の基地局鍵更新コマンドを受信し、第1の基地局鍵更新コマンドが、ユーザ端末のために第2の基地局によって事前設定される第2のカウンタ値を含み、第2のカウンタ値が、第1のカウンタ値とは異なる、ようにさらに構成され、
処理ユニットは、第1の中間鍵および第2のカウンタ値に基づいて第1の基地局にユーザ端末の第3の中間鍵を生成し、第3の中間鍵に基づいて第1の基地局にユーザ端末の第2の最終鍵を生成し、第2の最終鍵が、ユーザ端末によって第1の基地局に送信されるデータを暗号化するために使用される、ようにさらに構成される。
【００５６】
任意選択的に、処理ユニットは、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成し、第3の最終鍵が、ユーザ端末によって第2の基地局に送信されるデータを暗号化するために使用される、ようにさらに構成され、
受信ユニットは、第2の基地局によって送信される第1の基地局鍵更新コマンドを受信し、第1の基地局鍵更新コマンドが、第5の中間鍵および第3のカウンタ値を含む、ようにさらに構成され、
処理ユニットは、第5の中間鍵および第3のカウンタ値に基づいて第1の基地局に第6の中間鍵を生成し、第6の中間鍵に基づいてユーザ端末とユーザ端末との間の第4の最終鍵を生成し、第4の最終鍵が、ユーザ端末によって第2の基地局に送信されるデータを暗号化するために使用される、ようにさらに構成される。
【００５７】
任意選択的に、前処理指示メッセージは、第2の基地局を前処理するようにユーザ端末に命令するための指示情報をさらに含み、
処理ユニットは、指示情報に基づいて、ユーザ端末と第1の基地局との接続を維持することを決定するようにさらに構成される。
【００５８】
第7の態様によれば、本発明の一実施形態は、ネットワーク側デバイスをさらに提供し、本デバイスは、第1の基地局であり、
ユーザ端末によって送信され、第1の基地局によって受信される第1の測定報告に基づいて、ユーザ端末が前処理することができる第2の基地局を決定するように構成されるプロセッサであって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、プロセッサと、
第1の要求メッセージを第2の基地局に送信するように構成される送信機であって、第1の要求メッセージが、ユーザ端末が第2の基地局を前処理することができることを示す指示情報を含む、送信機と
を含み、
プロセッサは、第1の基地局が第2の基地局によって返信される第1の肯定応答メッセージを受信したときに、ユーザ端末は第2の基地局を前処理することができると判断するようにさらに構成され、
送信機は、前処理指示メッセージをユーザ端末に送信し、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ようにさらに構成され、
プロセッサは、ユーザ端末がデータ送信を行うことができるターゲットの第2の基地局に関する情報を取得するようにさらに構成され、
送信機は、データ送信のためにターゲットの第2の基地局にハンドオーバされるようにユーザ端末に命令するために、またはデータ送信のためにターゲットの第2の基地局を追加するようにユーザ端末に命令するために、第1の指示メッセージをターゲットの第2の基地局に送信するか、または第1の指示メッセージをターゲットの第2の基地局に送信し、かつ第2の指示メッセージをユーザ端末に送信するようにさらに構成される。
【００５９】
任意選択的に、第1の測定報告は、現在のサービングセルに対応する第1の測定結果および現在のサービングセルの隣接セルに対応する第2の測定結果を含み、
プロセッサは、ユーザ端末によって送信される受信される第1の測定報告に基づいて、ユーザ端末が前処理することができる第2の基地局を決定し、
第1の測定結果が第1の閾値よりも小さい場合、第2の測定結果に基づいて、第2の測定結果に対応する少なくとも1つの第2の基地局を、ユーザ端末が前処理することができる第2の基地局として決定し、第2の測定結果が、第1の測定結果よりも大きい、ように構成される。
【００６０】
任意選択的に、本デバイスは、
受信機であって、該受信機が、ユーザ端末によって送信される第3の指示メッセージを受信するように構成され、第3の指示メッセージが、ターゲットの第2の基地局の識別子を搬送し、ターゲットの第2の基地局が、第2の測定報告に基づいてユーザ端末によって決定され、第2の測定報告が、現在のサービングセルの信号品質情報を含み、第1の測定報告とは異なる、受信機
をさらに含み、
送信機は、受信機が第3の指示メッセージを受信したときに、第1の指示メッセージをターゲットの第2の基地局に送信するように構成されるか、または
プロセッサは、ユーザ端末によって送信される第2の測定報告に基づいてターゲットの第2の基地局を決定するように構成され、送信機は、第1の指示メッセージをターゲットの第2の基地局に送信し、第2の指示メッセージをユーザ端末に送信するように構成される。
【００６１】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【００６２】
任意選択的に、受信機は、送信機が第1の指示メッセージをターゲットの第2の基地局に送信した後、ターゲットの第2の基地局によって返信される第2の肯定応答メッセージを受信し、第2の肯定応答メッセージが、ユーザ端末のためにターゲットの第2の基地局によって事前設定されたSRB設定情報およびDRB設定情報を含む、ように構成され、
送信機は、SRB設定情報およびDRB設定情報を搬送する第2の指示メッセージをユーザ端末に送信するように特に構成される。
【００６３】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【００６４】
任意選択的に、第1の指示メッセージは、ターゲットの第2の基地局のために第1の基地局によって生成される、ターゲットの第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【００６５】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【００６６】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【００６７】
任意選択的に、送信機は、第1のデータをターゲットの第2の基地局に送信し、第1のデータが、第1の基地局がユーザ端末にまだ送信していないデータである、ようにさらに構成される。
【００６８】
任意選択的に、送信機は、経路切り替えメッセージをMMEに送信し、これにより、MMEが、データ送信経路をハンドオーバ先の最終的な第2の基地局に切り替える、ようにさらに構成される。
【００６９】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBの設定情報と、ユーザ端末および第1の基地局によって維持されているDRBとの対応関係をさらに含む。
【００７０】
第8の態様によれば、本発明の一実施形態は、ネットワーク側デバイスをさらに提供し、本デバイスは、第2の基地局であり、
第1の基地局によって送信される第1の要求メッセージを受信するように構成される受信機であって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、受信機と、
第1の要求メッセージに基づいてアドミッション制御を行うように構成されるプロセッサと、
プロセッサがユーザ端末が前処理の実行を許可されていると判断したときに第1の肯定応答メッセージを第1の基地局に送信するように構成される送信機と
を含み、
受信機は、ユーザ端末によって送信されるアクセス要求を受信するようにさらに構成され、プロセッサは、アクセス要求に基づいてユーザ端末と同期するようにさらに構成され、
受信機は、第1の基地局によって送信される第1の指示メッセージを受信するようにさらに構成され、プロセッサは、第1の指示メッセージに基づいて第2の基地局とユーザ端末との間でデータ送信を実施するようにさらに構成される。
【００７１】
任意選択的に、第1の要求メッセージは、情報を設定するための設定命令をさらに含み、
プロセッサは、設定命令に従ってユーザ端末のためにSRBおよびDRBを事前設定するようにさらに構成され、
第1の肯定応答メッセージは、SRBの設定情報およびDRBの設定情報を含む。
【００７２】
任意選択的に、プロセッサは、受信機が第1の基地局によって送信される第1の指示メッセージを受信した後、第1の指示メッセージならびに第2の基地局にローカルに格納されているSRBの設定情報およびDRBの設定情報に基づいて第2の基地局とユーザ端末との間のSRBおよびDRBを確立するように構成され、
送信機は、経路切り替えメッセージをMMEに送信し、これにより、MMEが、受信した経路切り替えメッセージに基づいてデータ送信経路を第2の基地局に切り替える、ようにさらに構成される。
【００７３】
任意選択的に、送信機は、受信機が第1の基地局によって送信される第1の指示メッセージを受信した後、第2の肯定応答メッセージを第1の基地局に送信し、第2の肯定応答メッセージが、ユーザ端末のためにターゲットの第2の基地局によって事前設定されるSRB設定情報およびDRB設定情報を含む、ように構成され、
プロセッサは、第1の指示メッセージならびにSRB設定情報およびDRB設定情報に基づいて第2の基地局とユーザ端末との間のSRBおよびDRBを確立するように構成され、
送信機は、経路切り替えメッセージをMMEに送信し、これにより、MMEが、受信した経路切り替えメッセージに基づいてデータ送信経路を第2の基地局に切り替える、ようにさらに構成される。
【００７４】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【００７５】
任意選択的に、受信機は、第1の基地局によって送信される第1のデータを受信し、第1のデータが、第1の基地局がユーザ端末にまだ送信していないデータである、ようにさらに構成される。
【００７６】
任意選択的に、プロセッサは、
第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成し、第1の最終鍵が、第2の基地局によってユーザ端末に送信されるデータを暗号化するために使用される、ようにさらに構成され、
受信機は、第1の基地局によって送信される鍵更新要求メッセージを受信するようにさらに構成され、
プロセッサは、第1の基地局におけるユーザ端末の第1の中間鍵と、ユーザ端末のために第2の基地局によって事前設定される第2のカウンタ値とを使用して第3の中間鍵を生成し、第3の鍵を鍵更新応答メッセージに追加し、鍵更新応答メッセージを第1の基地局に送信し、第2のカウンタ値が、第1のカウンタ値とは異なる、ようにさらに構成され、
送信機は、第1の基地局鍵更新コマンドをユーザ端末に送信し、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ようにさらに構成される。
【００７７】
任意選択的に、プロセッサは、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成し、第3の最終鍵が、第2の基地局によってユーザ端末に送信されるデータを暗号化するために使用される、ようにさらに構成され、
受信機は、第1の基地局によって送信される鍵更新要求を受信するようにさらに構成され、
プロセッサは、第2の基地局におけるユーザ端末の第5の中間鍵および第3のカウンタ値を使用して第6の中間鍵を生成し、第6の鍵を鍵更新応答メッセージに追加し、鍵更新応答メッセージを第1の基地局に送信するようにさらに構成され、
送信機は、鍵更新コマンドをユーザ端末に送信し、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ようにさらに構成される。
【００７８】
第9の態様によれば、本発明の一実施形態は、ユーザ端末であって、
第1の測定報告を第1の基地局に送信し、これにより、第1の基地局が、第1の測定報告に基づいて、ユーザ端末が前処理することができる第2の基地局を決定する、ように構成される送信機であって、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、送信機と、
第1の基地局によって送信される前処理指示メッセージを受信するように構成される受信機であって、事前ハンドオーバ指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、受信機と
を含み、
送信機が、第2の基地局に対する前処理を実施するために、前処理指示メッセージに基づいて、第2のコンポーネントキャリアでランダムアクセス要求を第2の基地局に送信するようにさらに構成され、
受信機が、第1の基地局によって送信される第2の指示メッセージを受信するようにさらに構成され、ユーザ端末が、
第2の指示メッセージに基づいてユーザ端末と第2の基地局との間でデータ送信を実施するように構成されるプロセッサをさらに含む、ユーザ端末をさらに提供する。
【００７９】
任意選択的に、前処理指示メッセージは、ユーザ端末のために第2の基地局によって事前設定されるSRB設定情報およびDRB設定情報をさらに含み、
プロセッサは、受信機が第1の基地局によって送信される第2の指示メッセージを受信した後、第2の基地局との間でデータ送信を実施するために、SRB設定情報およびDRB設定情報に基づいてユーザ端末と第2の基地局との間のSRBおよびDRBを確立するように構成される。
【００８０】
任意選択的に、第2の指示メッセージは、ユーザ端末のために第2の基地局によって事前設定されるSRB設定情報およびDRB設定情報をさらに含み、
プロセッサは、受信機が第1の基地局によって送信される第2の指示メッセージを受信した後、第2の基地局との間でデータ送信を実施するために、第2の指示メッセージ内のSRB設定情報およびDRB設定情報に基づいてユーザ端末と第2の基地局との間のSRBおよびDRBを確立するように構成される。
【００８１】
任意選択的に、プロセッサは、第1の基地局におけるユーザ端末の第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成し、第1の最終鍵が、ユーザ端末によって第2の基地局に送信されるデータを暗号化するために使用される、ようにさらに構成され、
受信機は、第2の基地局によって送信される第1の基地局鍵更新コマンドを受信し、第1の基地局鍵更新コマンドが、ユーザ端末のために第2の基地局によって事前設定される第2のカウンタ値を含み、第2のカウンタ値が、第1のカウンタ値とは異なる、ようにさらに構成され、
プロセッサは、第1の中間鍵および第2のカウンタ値に基づいて第1の基地局にユーザ端末の第3の中間鍵を生成し、第3の中間鍵に基づいて第1の基地局にユーザ端末の第2の最終鍵を生成し、第2の最終鍵が、ユーザ端末によって第1の基地局に送信されるデータを暗号化するために使用される、ようにさらに構成される。
【００８２】
任意選択的に、プロセッサは、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成し、第3の最終鍵が、ユーザ端末によって第2の基地局に送信されるデータを暗号化するために使用される、ようにさらに構成され、
受信機は、第2の基地局によって送信される第1の基地局鍵更新コマンドを受信し、第1の基地局鍵更新コマンドが、第5の中間鍵および第3のカウンタ値を含む、ようにさらに構成され、
プロセッサは、第5の中間鍵および第3のカウンタ値に基づいて第1の基地局に第6の中間鍵を生成し、第6の中間鍵に基づいてユーザ端末とユーザ端末との間の第4の最終鍵を生成し、第4の最終鍵が、ユーザ端末によって第2の基地局に送信されるデータを暗号化するために使用される、ようにさらに構成される。
【００８３】
任意選択的に、前処理指示メッセージは、第2の基地局を前処理するようにユーザ端末に命令するための指示情報をさらに含み、
プロセッサは、指示情報に基づいて、ユーザ端末と第1の基地局との接続を維持することを決定するようにさらに構成される。
【００８４】
第9の態様によれば、本発明の一実施形態は、上記の様々な態様におけるネットワーク側デバイスおよびユーザ端末を含む通信システムをさらに提供する。
【００８５】
本発明の実施形態で提供される通信方法、ネットワーク側デバイス、ユーザ端末、および通信システムによれば、ユーザ端末は、第1のコンポーネントキャリアを使用して第1の基地局に接続され、第1の基地局は、ユーザ端末が第2のコンポーネントキャリアで第2の基地局とのアップリンク同期を行うことができることを示すために前処理指示メッセージをユーザ端末に送信し、ユーザ端末がデータ送信を行う必要があるターゲットの第2の基地局を取得したとき、第1の基地局は、ユーザ端末との間でデータ送信を行うようにターゲットの第2の基地局に命令するために第1の指示メッセージをターゲットの第2の基地局に送信する。第1の基地局が、ユーザ端末との間でデータ送信を行うようにターゲット基地局に命令するために第1の指示メッセージをターゲットの第2の基地局に送信する前に、ユーザ端末は、第1の基地局との接続を維持しながら、第2のコンポーネントキャリアを使用して第2の基地局とのアップリンク同期を確立している。したがって、第1の基地局が、ターゲットの第2の基地局へのユーザ端末の実際のハンドオーバの実施を命令するために第1の指示メッセージをターゲットの第2の基地局に送信したとき、ユーザ端末を、第1の基地局から第2の基地局に迅速にハンドオーバすることができ、これにより、ハンドオーバ待ち時間が短縮され、第2の基地局との間でデータ送信が迅速に実施される。
【００８６】
本発明の実施形態の技術的解決策をより明確に説明するために、以下では、実施形態を説明するために必要な添付図面について簡単に説明する。明らかに、以下の説明の添付図面は、本発明の一部の実施形態を示しており、当業者は、創造的な努力なしにこれらの添付図面から他の図面を得ることができる。
【図面の簡単な説明】
【００８７】
【図１】本発明の一実施形態による通信システムの構造フレームワークの概略図である。
【図２】本発明の一実施形態による通信方法の概略フローチャートである。
【図３】本発明の別の実施形態による通信方法の概略フローチャートである。
【図４】本発明の一実施形態による通信方法の鍵更新の概略フローチャートである。
【図５】本発明の一実施形態によるネットワーク側デバイスのフレームワークの概略構成図である。
【図６】本発明の別の実施形態によるネットワーク側デバイスのフレームワークの概略構成図である。
【図７】本発明の別の実施形態によるユーザ端末のフレームワークの概略構成図である。
【図８】本発明の別の実施形態によるネットワーク側デバイスのフレームワークの概略構成図である。
【図９】本発明の別の実施形態によるネットワーク側デバイスのフレームワークの概略構成図である。
【図１０】本発明の別の実施形態によるユーザ端末のフレームワークの概略構成図である。
【図１１】本発明の別の実施形態による通信システムのフレームワークの概略構成図である。
【発明を実施するための形態】
【００８８】
本発明の実施形態の目的、技術的解決策、および利点をより明確にするために、以下では、本発明の実施形態の添付図面を参照しながら本発明の実施形態の技術的解決策を明確かつ完全に説明する。明らかに、説明されている実施形態は、本発明の実施形態の一部であり、本発明の実施形態の全部ではない。創造的な努力なしに本発明の実施形態に基づいて当業者によって得られる他のすべての実施形態は、本発明の保護範囲内に含まれるものとする。
【００８９】
図1は、本発明の一実施形態による通信システムの構造フレームワークの概略図である。
【００９０】
図1を参照すると、基地局モビリティ管理に基づく処理システムは、第1の基地局10、第2の基地局20、ユーザ機器（User Equipment、略してUE）30、およびモビリティ管理エンティティ（Mobility Management Entity、略しMME）を含む。UE30は、第1のコンポーネントキャリアを使用して第1の基地局10に接続され、第1の基地局10との間でデータ送信を行う。UEは、キャリアアグリゲーション（Carrier Aggregation、略してCA）またはデュアルコネクティビティ（Dual connectivity、略してDC）能力を有するUEである。
【００９１】
本発明の実施形態における通信方法、ネットワーク側デバイス、およびユーザ端末は、UEと第1の基地局との間の信号の品質がある程度低下したときにUEが第2の基地局との間でデータ送信を行うことができるように第1の基地局から第2の基地局へのUEのハンドオーバを実施するために、または第1の基地局と第2の基地局との間でのプライマリ／セカンダリの切り替えおよびUEと第2の基地局との間のデータ送信を実施できるように第2の基地局との接続を追加するために使用される。本発明の実施形態における通信方法、ネットワーク側デバイス、およびユーザ端末によれば、UEがデータ送信のために第2の基地局にハンドオーバされるまたは第2の基地局を追加する前、UEは、第1のコンポーネントキャリアとは異なる第2のコンポーネントキャリアを使用して第2の基地局とのアップリンク同期を事前に確立するが、第2の基地局との間で実際のデータ送信を行わない。UEが実際に第2の基地局にハンドオーバされた後または第2の基地局および第1の基地局がプライマリ／セカンダリの切り替えを完了した後、UEは、第2の基地局との間でデータ送信を実施する。第2の基地局へのハンドオーバまたは第2の基地局の追加が実際に実施される前に、UEは、第2の基地局とのアップリンク同期を完了し、第2の基地局との接続を確立している。ハンドオーバが実際に実施されたとき、UEを、第1の基地局から第2の基地局に迅速にハンドオーバすることができ、これにより、ハンドオーバ待ち時間が短縮され、第2の基地局との間でデータ送信が迅速に実施される。
【００９２】
図2は、本発明の一実施形態による通信方法の概略フローチャートである。図3は、本発明の別の実施形態による通信方法の概略フローチャートである。
【００９３】
図2および図3を参照すると、本発明の実施形態における通信方法は、以下のステップを含む。
【００９４】
S101：UEが、第1の測定報告を第1の基地局に送信するステップであって、これにより、第1の基地局が、第1の測定報告に基づいて、UEが前処理することができる第2の基地局を決定し、前処理が、第2の基地局に対する事前ハンドオーバまたは第2の基地局の事前追加を含むが、第2の基地局を用いたデータ送信を含まず、UEが、第1のコンポーネントキャリアを使用して第1の基地局に接続され、第1の測定報告が、現在のサービングセルの信号品質情報および現在のサービングセルの隣接セルの信号品質情報を含む、ステップ。
【００９５】
S102：第1の基地局が、UEによって送信された受信された第1の測定報告に基づいて、UEが前処理することができる第2の基地局を決定するステップ。
【００９６】
具体的には、第1の測定報告は、現在のサービングセルに対応する第1の測定結果および現在のサービングセルの隣接セルに対応する第2の測定結果を含む。第1の測定結果は、現在のサービングセルの信号強度であってもよく、第2の測定結果は、隣接セルの信号強度であってもよい。あるいは、第1の測定結果および第2の測定結果は、現在のサービングセルおよび隣接セルの信号品質を反映することができる他のパラメータであってもよい。
【００９７】
UEによって送信された受信された第1の測定報告に基づいて、第1の基地局によって、UEが前処理することができる第2の基地局を決定するステップは、
第1の測定結果が第1の閾値よりも小さい場合に、第2の測定結果に基づいて、第1の基地局によって、第2の測定結果に対応する少なくとも1つの第2の基地局を、UEが前処理することができる第2の基地局として決定するステップであって、第2の測定結果が、第1の測定結果よりも大きい、ステップ
を含む。
【００９８】
具体的には、現在のサービングセルの信号強度が第1の閾値よりも小さい場合、それは、現在のサービングセルの信号強度が不十分であり、前処理することができる第2の基地局を決定する必要があることを示す。第1の基地局は、信号強度が現在のサービングセルよりも大きい第2の測定結果から、最も強い信号強度の隣接セルに対応する基地局を、UEが前処理することができる第2の基地局として決定するか、または比較的強い信号強度の複数の隣接セルに対応する基地局を、UEが前処理することができる第2の基地局として決定する。
【００９９】
S103：第1の基地局が第1の要求メッセージを第2の基地局に送信するステップであって、第1の要求メッセージが、UEの識別子と、UEが第2の基地局を前処理することができることを示す指示情報とを含む、ステップ。
【０１００】
具体的には、UEが第2の基地局を前処理することができることを示す指示情報は、UEが第2の基地局とのアップリンク同期を確立することができることを第2の基地局に通知するために使用される。
【０１０１】
S104：第2の基地局が、第1の基地局によって送信された第1の要求メッセージを受信し、第1の要求メッセージに基づいてアドミッション制御を行い、UEが前処理の実行を許可されていると判断したときに第1の肯定応答メッセージを第1の基地局に返信するステップ。
【０１０２】
S105：第1の基地局が、第2の基地局によって返信された第1の肯定応答メッセージを受信したときに、UEは第2の基地局を前処理することができると判断し、前処理指示メッセージをUEに送信するステップであって、前処理指示メッセージが、UEが前処理を行うときに第2の基地局とのアップリンク同期を行う第2のコンポーネントキャリアに関する情報を含み、第2のコンポーネントキャリアが、第1のコンポーネントキャリアとは異なる、ステップ。
【０１０３】
前処理指示メッセージは、事前ハンドオーバが行われ得る1つ以上の第2の基地局に関する情報（識別子など）と、1つ以上の第2の基地局に対するUEの事前ハンドオーバ中のアップリンク同期に使用されるコンポーネントキャリアに関する情報、すなわち、第2のコンポーネントキャリアに関する情報とを含む。
【０１０４】
S106：UEが、第1の基地局によって送信された前処理指示メッセージを受信し、第2の基地局に対する前処理を実施するために、前処理指示メッセージに基づいて、第2のコンポーネントキャリアでランダムアクセス要求を第2の基地局に送信するステップ。
【０１０５】
前処理指示メッセージは、第2の基地局を前処理するようにUEに命令するための指示情報をさらに含む。UEは、指示情報に基づいて、第1の基地局との接続を維持することを決定する。
【０１０６】
具体的には、前処理指示メッセージは、第2の基地局との接続を確立するが、第2の基地局との間でデータ送信を行わないように、第1の基地局との接続を維持しながら第2の基地局とのアップリンク同期を行うようにUEに命令するために使用される。
【０１０７】
S107：第2の基地局が、UEによって送信されたランダムアクセス要求を受信し、ランダムアクセス要求に基づいてUEと同期するステップ。
【０１０８】
具体的には、UEは、ハンドオーバコマンドで通知されたコンポーネントキャリアで対応する第2の基地局に対してランダムアクセス手順を実行し、第2の基地局との同期を要求するためにランダムアクセスプリアンブルを送信する。この点に関して、ランダムアクセスプリアンブルは、第1の基地局および1つ以上の第2の基地局によってネゴシエートされた、事前ハンドオーバのための共通ランダムアクセスプリアンブルであってもよい。
【０１０９】
UEは、第2の基地局によって送信されるランダムアクセス応答メッセージを受信する。ランダムアクセス応答メッセージは、アップリンクタイミング事前情報を含み、UEに割り当てられたULリソースに関する情報をさらに含む。
【０１１０】
UEは、事前同期プロセスが完了したことを示すために、割り当てられたアップリンクリソースを使用して事前同期完了指示メッセージを第2の基地局に送信する。事前ハンドオーバ完了メッセージは、UEの識別子情報を含む。次に、UEが事前ハンドオーバを終了したと判断した後、第2の基地局は、事前ハンドオーバ完了指示を第1の基地局に送信する。
【０１１１】
あるいは、事前ハンドオーバが完了したと判断した後、UEは、事前ハンドオーバ完了指示を第1の基地局に送信してもよい。次に、第1の基地局はまた、UEが事前ハンドオーバを終了したという指示を第2の基地局に送信してもよい。
【０１１２】
あるいは、UEは、事前ハンドオーバ完了指示を第1の基地局と第2の基地局の両方に送信してもよい。
【０１１３】
UEが複数の第2の基地局と事前同期を行う必要があるとき、UEは、事前同期を異なる時間にまたは同時に行ってもよいことに留意されたい。UEによって同時にサポートされるアップリンクキャリアが不十分であるとき、UEは、複数の第2の基地局に対する事前ハンドオーバまたは複数の第2の基地局の事前追加を異なる時間に行ってもよい。UEによって同時にサポートされるアップリンクキャリアが十分である場合、UEは、複数の第2の基地局に対する事前ハンドオーバまたは複数の第2の基地局の事前追加を同時に行ってもよい。さらに、UEによって異なる時間のハンドオーバに使用される特定の時間パターン（time pattern）が、UEのために第1の基地局によって前処理指示メッセージに設定されてもよい。
【０１１４】
さらに、事前ハンドオーバまたは事前追加の準備において、UEが、複数のコンポーネントキャリアで現在通信を行っており、第2の基地局に対する事前ハンドオーバまたは第2の基地局の事前追加のために、使用されていないコンポーネントキャリアまたは予備能力を有さない場合、ハンドオーバコマンドにおいて、第1の基地局は、1つ以上の特定のコンポーネントキャリアでの通信を中断して、第2の基地局に対する事前ハンドオーバまたは第2の基地局の事前追加を最初に行うようにUEに命令してもよい。
【０１１５】
S108．第1の基地局が、UEがデータ送信を行うことができるターゲットの第2の基地局に関する情報を取得するステップ。
【０１１６】
前処理を完了した後、UEは、第2の基地局とのアップリンク同期を維持するために、周期（この周期は、UEのために第1の基地局もしくは第2の基地局によって前処理指示メッセージに設定されてもよい）またはイベント（例えば、UEと第1の基地局との間の信号の品質が特定の閾値よりも低い）に基づいてSRS信号などのアップリンク同期維持信号を第2の基地局に送信してもよい。UEが第2の基地局とのアップリンク同期を維持することができないとき、UEは、UEと第2の基地局がアップリンク同期していないことを示す指示情報を第1の基地局に報告する。さらに、UEは、周期またはイベントに基づいて第2の測定報告を第1の基地局に送信し続ける。第2の測定報告は、現在のサービングセルの信号品質情報を含み、第1の測定報告とは異なる。
【０１１７】
具体的には、第2の測定報告における現在のサービングセルの信号品質が第2の閾値よりも低いとき、UEはデータ送信のために第2の基地局にハンドオーバされるまたはデータ送信のために第2の基地局を追加する必要があると判断される。
【０１１８】
第1の基地局は、以下の方法で、UEがデータ送信を行うことができるターゲットの第2の基地局に関する情報を取得することができる。
【０１１９】
一実施態様では、第1の基地局は、UEによって送信される第2の測定報告を受信し、UEによって送信される第2の測定報告に基づいて、UEは第2の基地局にハンドオーバされるまたは第2の基地局を追加する必要があると判断し、UEがデータ送信を行うことができるターゲットの第2の基地局を決定する。UEが前処理することができる複数の第2の基地局が存在する場合、最良の信号品質の第2の基地局が、複数の第2の基地局の中からターゲットの第2の基地局として決定される。
【０１２０】
別の実施態様では、UEは、第2の測定報告に基づいて、第2の基地局へのハンドオーバまたは第2の基地局の追加が必要であると判断し、UEがデータ送信を行うことができるターゲットの第2の基地局を決定する。UEが前処理することができる複数の第2の基地局が存在する場合、UEは、複数の第2の基地局の中から最良の信号品質の第2の基地局をターゲットの第2の基地局として決定し、ターゲットの第2の基地局に関する情報を第1の基地局に送信する。
【０１２１】
S109：第1の基地局が、データ送信のためにターゲットの第2の基地局にハンドオーバされるようにUEに命令するために、またはデータ送信のためにターゲットの第2の基地局を追加するようにUEに命令するために、第1の指示メッセージをターゲットの第2の基地局に送信するか、または第1の指示メッセージをターゲットの第2の基地局に送信し、かつ第2の指示メッセージをUEに送信するステップ。
【０１２２】
具体的には、ターゲットの第2の基地局を取得する一実施態様によれば、UEは、第2の測定報告に基づいてターゲットの第2の基地局を決定してもよい。第1の基地局は、UEによって送信される第3の指示メッセージを受信し、第3の指示メッセージは、ターゲットの第2の基地局の識別子を搬送する。第1の基地局は、UEが第1の基地局からターゲットの第2の基地局にハンドオーバされ得ることを示すために、第1の指示メッセージをターゲットの第2の基地局に送信する。さらに、UEは、データ送信のためにUEがターゲットの第2の基地局にハンドオーバされ得るまたはターゲットの第2の基地局を追加し得ることをターゲットの第2の基地局に通知するために、代替的に第4の指示メッセージをターゲットの第2の基地局に送信してもよい。
【０１２３】
あるいは、ターゲットの第2の基地局を取得する他の実施態様によれば、第1の基地局は、UEによって送信される第2の測定報告に基づいてターゲットの第2の基地局を決定し、第1の指示メッセージをターゲットの第2の基地局に送信し、第2の指示メッセージをUEに送信する。
【０１２４】
S110：第2の基地局が、第1の基地局によって送信された第1の指示メッセージを受信し、第1の指示メッセージに基づいてUEとの間でデータ送信を実施するステップ。
【０１２５】
S111：UEが、第1の基地局によって送信された第2の指示メッセージを受信し、第2の指示メッセージに基づいてUEと第2の基地局との間でデータ送信を実施するステップ。
【０１２６】
具体的には、UEと第2の基地局との間のデータ送信は、以下の方法（これに限定されないが）で実施されてもよい。
【０１２７】
一実施態様では、第1の基地局によって第2の基地局に送信される第1の要求メッセージは、情報を設定するための設定命令を含み、これにより、第2の基地局は、設定命令に従ってUEのためにシグナリング無線ベアラ（Signaling Radio Bearer、略してSRB）およびデータ無線ベアラ（Data Radio Bearer、略してDRB）を事前設定する。
【０１２８】
第2の基地局がUEのためにSRBを確立し、DRBを設定または確立するプロセスをサポートするために、第1の基地局は、参照のために設定情報の第2の基地局にUEと第1の基地局との間のSRBおよびDRBを通知してもよい。
【０１２９】
第1の要求メッセージを受信した後、第2の基地局は、UEが前処理の実行を許可されていると判断したら、UEのためにSRBを確立し、DRBを設定または確立する。この場合、第1の肯定応答メッセージおよび前処理指示メッセージの両方が、SRBの設定情報およびDRBの設定情報を含む。
【０１３０】
第1の指示メッセージを受信した後、第2の基地局は、第2の基地局とUEとの間のSRBおよびDRBを最初に確立する。具体的には、第2の基地局とUEとの間のSRBおよびDRBを確立することは、SRBのためにパケット・データ・コンバージェンス・プロトコルPDCP（Packet Data Convergence Protocol、略してPDCP）エンティティ、無線リンク制御層（Radio Link Control、略してRLC）エンティティ、および媒体アクセス制御（Media Access Control、略してMAC）エンティティなどの対応するL2エンティティを確立することならびにDRBのために対応するPDCPエンティティ、RLCエンティティ、およびMACエンティティを確立することを含む。次に、確立されたPDCPエンティティ、RLCエンティティ、およびMACエンティティを使用して、第2の基地局は、UEによって送信されるアップリンクデータを受信し、ダウンリンクデータをUEに送信する。
【０１３１】
次に、第1の基地局は、第1の基地局がUEにまだ送信していないデータをターゲットの第2の基地局に転送し、経路切り替えメッセージをモビリティ管理エンティティ（Mobility Management Entity、略してMME）に送信し、これにより、MMEは、ハンドオーバ先または追加対象の最終的な第2の基地局にデータ送信経路を切り替える。
【０１３２】
第2の指示メッセージを受信した後、UEは、第2の基地局との間でデータ送信を行うために、第2の基地局によって事前設定されたSRBおよびDRBの格納された設定情報を使用してUEと第2の基地局との間のSRBおよびDRBを最初に確立する。具体的には、UEと第2の基地局との間のSRBおよびDRBを確立することは、SRBのために対応するL2エンティティ（例えば、PDCPエンティティ、RLCエンティティ、およびMACエンティティ）を確立することならびにDRBのために対応するPDCPエンティティ、RLCエンティティ、およびMACエンティティを確立することを含む。次に、確立されたPDCPエンティティ、RLCエンティティ、およびMACエンティティを使用して、UEは、第2の基地局によって送信されるダウンリンクデータを受信し、アップリンクデータを第2の基地局に送信する。
【０１３３】
別の実施態様では、第1の指示メッセージをターゲットの第2の基地局に送信した後、第1の基地局は、ターゲットの第2の基地局によって返信される第2の肯定応答メッセージであって、UEのためにターゲットの第2の基地局によって事前設定されたSRB設定情報およびDRB設定情報を含む第2の肯定応答メッセージを受信し、
第1の基地局は、SRB設定情報およびDRB設定情報を搬送する第2の指示メッセージをUEに送信する。
【０１３４】
任意選択的に、第2の指示メッセージは、鍵更新カウンタなどの鍵更新パラメータをさらに含んでもよい。
【０１３５】
第1の基地局が、第2の測定報告に基づいて、UEがデータ送信のために第2の基地局にハンドオーバされるべきであるまたは第2の基地局を追加するべきであると判断したとき、第1の基地局は、経路切り替えメッセージをMMEに送信し、これにより、MMEは、データ送信経路を第2の基地局に切り替える。あるいは、第1の基地局によって送信された第1の指示情報を受信した後、第2の基地局は、経路切り替えメッセージをMMEに送信してもよい。
【０１３６】
第2の指示メッセージを受信した後、UEは、鍵更新を行い、第2の基地局との間でデータ送信を行うために、第2の基地局によって事前設定されたSRB設定情報およびDRB設定情報を使用してUEと第2の基地局との間のSRBおよびDRBを最初に確立する。
【０１３７】
具体的には、第1の基地局によって第2の基地局に送信される第1の指示メッセージは、ターゲットの第2の基地局のために第1の基地局によって生成される、ターゲットの第2の基地局とUEとの間の第1の中間鍵をさらに含む。第1の基地局によって送信された第2の指示メッセージを受信した後、UEは、UEと第1の基地局との間の第2の中間鍵に基づいてUEとターゲットの第2の基地局との間の中間鍵を生成し、次に、UEと第2の基地局との間の最終鍵を生成し、最終鍵は、UEによって第2の基地局に送信されるデータを暗号化するために使用される。
【０１３８】
別の実施態様では、第1の基地局によって第2の基地局に送信される第1の要求メッセージは、UEのためにSRBを確立し、DRBを確立するか、またはDRBの設定情報を事前設定するように第2の基地局に命令するための指示情報をさらに含み、
第2の基地局によって第1の基地局に送信される第1の肯定応答メッセージおよび第1の基地局によってUEに送信される前処理指示メッセージの両方が、確立されたSRBに関する情報および確立されたDRBに関する情報またはDRBの設定情報を含み、
第1の基地局によってUEに送信される前処理指示メッセージは、第2の基地局がDRBの設定情報に基づいてUEのためにDRBを確立したことを示す指示情報をさらに含む。
【０１３９】
具体的には、第1の要求メッセージを受信した後、第2の基地局は、アドミッション制御を行う。UEが前処理の実行を許可されていると判断したら、第2の基地局は、第1の肯定応答メッセージを第1の基地局に送信し、UEのためにSRBを確立し、DRBを設定または確立する。さらに、第1の肯定応答メッセージは、UEと第2の基地局とのRRC接続のプライマリセルの指示情報をさらに含む。説明を容易にするために、UEと第1の基地局とのRRC接続は、第1のRRC接続と呼ばれ、第1のRRC接続のプライマリセルは、第1のプライマリセルと呼ばれる。UEと第2の基地局との間に確立される接続（すなわち、確立されるSRB）は、第2のRRC接続と呼ばれ、第2のRRC接続のプライマリセルは、第2のプライマリセルと呼ばれる。
【０１４０】
第1の基地局は、前処理指示メッセージをUEに送信する。前処理指示メッセージは、前処理のみを行うようにUEに命令するための指示情報、または第2のRRC接続を確立するようにUEに命令するための指示情報、または非アクティブな第2のRRC接続を確立するようにUEに命令するための指示情報、またはUEと第2の基地局との間の非アクティブなSRBを確立するようにUEに命令するための指示情報を含む。前処理指示メッセージは、第2のRRC接続の第2のプライマリセルの指示情報と、第2のプライマリセルのために設定される物理アップリンク制御チャネル（Physical Uplink Control Channel、略してPUCCH）リソースに関する情報とをさらに含む。
【０１４１】
第1の基地局は、前処理指示メッセージをUEに送信し、これにより、UEは、データ送信のために実際に第2の基地局にハンドオーバされるか、もしくは第2の基地局を追加するかを決定するか、または前処理のみを行う、すなわち、データ送信をすぐには行わず、単に、第2の基地局のためにSRBを確立し、DRBを設定もしくは確立するか、または確立されたSRBおよびDRBを非アクティブ状態に設定し、第2の基地局とアップリンク同期される。
【０１４２】
前処理指示メッセージが、データ送信のために第2の基地局を事前追加するように、すなわち、第2の基地局との第2のRRC接続を確立するようにUEに命令する場合、UEは、第2の基地局との第2のRRC接続を確立し、第2のRRC接続を維持する。具体的には、第2のRRC接続を維持することは、第2のRRC接続に無線リンク障害が発生する可能性があるかどうかを判定するために第2のRRC接続のダウンリンクリスニングを行うことおよび第2のRRC接続に無線リンク障害が発生したときに、第2のRRC接続を解放するために無線リンク障害を報告することを含む。
【０１４３】
ターゲットの第2の基地局へのハンドオーバまたは第2の基地局の追加を実際に行う必要があると判断したとき、第1の基地局は、UEとの間でデータ送信を行う準備をするように第2の基地局に命令するために、第1の指示メッセージをターゲットの第2の基地局に送信する。高速ハンドオーバコマンドを受信した後、第2の基地局は、データ送信のために第2の基地局とUEとの間のSRBおよびDRBをアクティブにする。
【０１４４】
次に、第1の基地局は、UEにまだ送信されていないデータを第2の基地局に転送してもよい。高速ハンドオーバ指示を受信した後、第2の基地局は、経路切り替えメッセージをMMEに送信してもよく、これにより、MMEは、データ送信経路を第2の基地局に切り替える。
【０１４５】
第1の基地局によって送信された第2の指示メッセージを受信した後、UEは、UEと第2の基地局との間の確立されたSRBおよびDRBを使用して第2の基地局との通信を開始する、すなわち、データ送信のためにUEと第2の基地局との間のSRBおよびDRBをアクティブにする。
【０１４６】
別の実施態様では、本発明のこの実施形態における通信方法は、デュアルコネクティビティモードを使用して第1の基地局と第2の基地局との間でプライマリ／セカンダリの切り替えを実施するために使用される。切り替え前、第1の基地局はプライマリ基地局であり、第2の基地局はセカンダリ基地局である。
【０１４７】
第1の要求メッセージは、UEが第2の基地局とのアップリンク同期を確立することができることを第2の基地局に通知するために使用され、UEのためにSRBおよび／またはDRBの設定情報を設定するように第2の基地局に要求する。
【０１４８】
第1の要求メッセージを受信した後、第2の基地局は、アドミッション制御を行う。UEが事前追加の実行を許可されていると判断したら、第2の基地局は、第1の肯定応答メッセージを第1の基地局に送信し、UEのためにSRBおよび／またはDRBの設定情報を事前設定する。
【０１４９】
この場合、第2の基地局はまた、SRBおよび／またはDRBのために対応するPDCPエンティティ、RLCエンティティ、およびMACエンティティを事前に確立してもよい。
【０１５０】
さらに、切り替えを実際に行う必要があると判断したとき、第1の基地局は、プライマリ基地局として機能するように第2の基地局に命令し、セカンダリ基地局として機能するように第1の基地局に命令するか、または第1の基地局を解放するために、第1の指示メッセージを第2の基地局に送信する。
【０１５１】
第1の指示メッセージを受信した後、SRBおよびDRBが確立されている場合、第2の基地局は、データ送信のために第2の基地局とUEとの間のSRBおよびDRBをアクティブにする。SRBおよびDRBのパラメータのみが設定される場合、第2の基地局は、データ送信のために第2の基地局とUEとの間のSRBおよびDRBを確立する。
【０１５２】
別の実施態様では、本発明のこの実施形態における通信方法は、デュアルコネクティビティモードを使用して第1の基地局と第2の基地局との間でプライマリ／セカンダリの切り替えを実施するためにさらに使用される。切り替え前、第1の基地局はプライマリ基地局であり、第2の基地局はセカンダリ基地局である。この実施態様と上記の実施態様の違いは、第1の基地局と通信するときにUEが第2の基地局との間でデータ送信を行うために第2の基地局と実際にデュアルコネクティビティを確立することにある。
【０１５３】
具体的には、第1の基地局によって第2の基地局に送信される第1の要求メッセージは、UEのためにSRBを事前設定するための指示情報またはUEのために第2のRRC接続を事前設定するための指示情報を含む。
【０１５４】
第1の要求メッセージを受信した後、第2の基地局は、アドミッション制御を行う。UEが第2の基地局の事前追加を許可されていると判断したら、第2の基地局は、第1の肯定応答メッセージを第1の基地局に送信し、UEのためにSRBを事前設定し、UEのためにDRBを確立する。
【０１５５】
第1の基地局は、前処理指示メッセージをUEに送信する。前処理指示メッセージは、第2の基地局に対してSRBを事前設定するための指示情報およびDRBを追加するための指示情報を含み、これにより、UEは、データ送信のためにUEと第2の基地局との間のDRBを確立し、第2の基地局に対するSRBまたは第2のRRC接続を事前設定または事前確立することを決定する。
【０１５６】
第2の基地局を追加した後、UEは、UEと第2の基地局との間の確立されたDRBを使用してデータ送信を行う。
【０１５７】
第1の基地局は、UEによって送信される測定報告に基づいて、UEに関してプライマリ基地局の切り替えを行う必要があると判断したとき、第1の基地局は、指定のターゲットの第2の基地局を新しいプライマリ基地局として使用し、第1の基地局を新しいセカンダリ基地局として使用するか、または第1の基地局を新しいセカンダリ基地局として使用し、UEと第2の基地局との間のSRBを維持するか、または第1の基地局を解放するようにUEに命令するために、第2の指示メッセージをUEに送信する。具体的には、第2の指示メッセージは、物理層制御シグナリング、MAC制御シグナリング、またはRRCメッセージであってもよい。
【０１５８】
さらに、切り替えを実際に行う必要があると判断したとき、第1の基地局は、第2の基地局が新しいプライマリeNBとして機能することができることおよび第1の基地局が新しいセカンダリ基地局として機能することができるまたは解放され得るという指示情報を示すために、第1の指示メッセージを第2の基地局に送信する。
【０１５９】
第1の指示メッセージを受信した後、SRBおよびDRBが確立されている場合、第2の基地局は、データ送信のために第2の基地局とUEとの間のSRBおよびDRBをアクティブにする。SRBおよびDRBのパラメータのみが設定される場合、第2の基地局は、データ送信のために第2の基地局とUEとの間のSRBおよびDRBを確立する。
【０１６０】
第1の基地局の解放が決定されたら、この場合、第1の基地局は、UEにまだ送信されていないデータを第2の基地局に転送し始めてもよい。第2の基地局は、経路切り替えメッセージをMMEに送信してもよく、これにより、MMEは、データ送信経路を第2の基地局に切り替える。
【０１６１】
あるいは、第1の基地局は新しいセカンダリ基地局として機能すると判断された場合、UEは、UEと第1の基地局との間のDRBを使用してデータ送信を行い続けてもよい。
【０１６２】
第2の基地局が第1の指示メッセージを受信した後、UEと第2の基地局との間のSRBのパラメータのみが事前設定されており、SRBのためにL2エンティティが確立されていない場合、UEは、第2の基地局に対して事前設定された格納されたSRBの設定情報を使用してUEと第2の基地局との間のSRBを確立する、すなわち、第2の基地局、言い換えれば新しいプライマリeNBとのRRC接続を確立する。あるいは、第2の基地局に対してSRBが確立されている場合、UEは、SRBを使用して第2の基地局、言い換えれば新しいプライマリeNBに制御メッセージを送信し始める。
【０１６３】
さらに、上記の実施形態に基づいて、前処理指示メッセージは、UEのために第2の基地局によって事前設定されたSRBと、UEおよび第1の基地局によって維持されているSRBとの対応関係ならびに／またはUEのために第2の基地局によって事前設定されたDRBの設定情報と、UEおよび第1の基地局によって維持されているDRBとの対応関係をさらに含む。例えば、第2の基地局によって事前設定されたDRBの識別子Xは、UEと第1の基地局との間のDRBの識別子Yに対応する。この場合、実際にUEが第2の基地局にハンドオーバされるまたは第2の基地局を追加するとき、第1の基地局のSRBおよびDRBを使用して送信され得るデータは、送信のために第2の基地局によって事前設定された対応するSRBおよびDRBにマッピングされ得る。さらに、第1の基地局がUEのデータを第2の基地局に転送するとき、これらの対応関係は、第1の基地局のSRBおよび／またはDRBを使用して送信され得るデータを、UEのために第2の基地局によって設定されたSRBおよび／またはDRBにマッピングすることにも役立つ。
【０１６４】
任意選択的に、UEが第2の基地局を追加した後およびUEが第1の基地局から第2の基地局にハンドオーバされた後に、UEによって生成されたセキュリティ鍵が第2の基地局によって生成されたセキュリティ鍵と同じでない事態またはセキュリティコンテキスト情報が一致しない事態を回避するために、セキュリティ鍵は以下のように特に設計される必要がある。
【０１６５】
上記の実施形態に基づいて、前処理指示メッセージは、UEのために第1の基地局によって事前設定される、UEと第2の基地局との間のセキュリティ鍵情報を含む。
【０１６６】
具体的には、セキュリティ鍵情報は、第2の基地局セキュリティアルゴリズム情報および第2の基地局セキュリティ鍵カウンタ情報を含んでもよい。
【０１６７】
第2の指示メッセージを受信したとき、UEは、UEと第1の基地局との間の第2の中間鍵およびセキュリティ鍵情報を使用してUEと第2の基地局との間の第1の中間鍵を生成する。
【０１６８】
あるいは、前処理指示メッセージは、UEのために第1の基地局によって事前設定された第2の基地局セキュリティアルゴリズム情報を含むが、第2の基地局セキュリティ鍵カウンタを含まず、第1の基地局によってUEに送信される第2の指示メッセージが、UEのために第1の基地局によって事前設定されたセキュリティ鍵カウンタ情報を含む。
【０１６９】
第2の指示メッセージを受信したとき、UEは、UEと第1の基地局との間の第2の中間鍵、第2の基地局セキュリティアルゴリズム情報、およびセキュリティ鍵カウンタ情報を使用してUEと第2の基地局との間の第1の中間鍵を生成する。
【０１７０】
図4は、本発明の一実施形態による通信方法の鍵更新の概略フローチャートである。
【０１７１】
図4を参照すると、さらに、元のプライマリeNB（言い換えれば、新しいセカンダリ基地局）のいくつかの状態のために（例えば、PDCP COUNT値を反転させなければならないために）、UEが第2の基地局との接続を確立し、第2の基地局がプライマリ基地局として機能し、第1の基地局がセカンダリ基地局になるとき、元のプライマリeNBの鍵更新がトリガされる。
【０１７２】
従来技術では、セカンダリ基地局に対するUEの中間鍵KeNB2は、元のプライマリeNBに対するUEの中間鍵およびUEのために元の基地局によって設定されたセカンダリ基地局カウンタに基づいて生成される。しかしながら、この場合、元のプライマリeNBは、新しいセカンダリ基地局になっている。したがって、鍵更新の際、既存のセカンダリ基地局鍵更新メカニズムに基づいて、UEは、UEと元のプライマリeNBとの間の現在の中間鍵KeNB1と、UEのために新しいプライマリeNBによって設定されたセカンダリ基地局カウンタとを使用して新しい中間鍵KeNB3を生成する。UEのために新しいプライマリeNBによって設定されたセカンダリ基地局カウンタが元のセカンダリ基地局カウンタと同じである場合、元のプライマリeNBに対してUEによって更新された中間鍵KeNB3は、KeNB2と同じである。
【０１７３】
以下の方法および他の方法が、UEが鍵更新において新しいプライマリ基地局および新しい第2の基地局に対して同じ中間鍵を使用するのを防止するために使用されてもよい。
【０１７４】
一実施態様では、第2の基地局は、第1の基地局におけるUEの第1の中間鍵と、UEのために第1の基地局によって事前設定される第1のカウンタ値とに基づいて第2の基地局とUEとの間の第2の中間鍵を生成し、第2の中間鍵に基づいて第2の基地局とUEとの間の第1の最終鍵を生成し、その場合、第1の最終鍵は、第2の基地局によってUEに送信されるデータを暗号化するために使用され、
第2の基地局は、第1の基地局によって送信される鍵更新要求メッセージを受信し、
第2の基地局は、第1の基地局におけるUEの第1の中間鍵と、UEのために第2の基地局によって事前設定される第2のカウンタ値とを使用して第3の中間鍵を生成し、第3の鍵を鍵更新応答メッセージに追加し、鍵更新応答メッセージを第1の基地局に送信し、その場合、第2のカウンタ値は、第1のカウンタ値とは異なり、
第2の基地局は、第1の基地局鍵更新コマンドをUEに送信し、その場合、第1の基地局鍵更新コマンドは、第2のカウンタ値を搬送し、これにより、UEは、第1の中間鍵および第2のカウンタ値に基づいて第1の基地局に第3の中間鍵を生成し、第3の中間鍵に基づいてUEと第1の基地局との間の第2の最終鍵を生成し、その場合、第2の最終鍵は、UEによって第1の基地局に送信されるデータを暗号化するために使用される。
【０１７５】
別の実施態様では、第2の基地局は、第1の基地局におけるUEの第4の中間鍵と、UEのために第1の基地局によって事前設定される第3のカウンタ値とに基づいて第2の基地局とUEとの間の第5の中間鍵を生成し、第5の中間鍵に基づいて第2の基地局とUEとの間の第3の最終鍵を生成し、その場合、第3の最終鍵は、第2の基地局によってUEに送信されるデータを暗号化するために使用され、
第2の基地局は、第1の基地局によって送信される鍵更新要求を受信し、
第2の基地局は、第2の基地局におけるUEの第5の中間鍵および第3のカウンタ値を使用して第6の中間鍵を生成し、第6の鍵を鍵更新応答メッセージに追加し、鍵更新応答メッセージを第1の基地局に送信し、
第2の基地局は、鍵更新コマンドをUEに送信し、その場合、鍵更新コマンドは、第5の中間鍵および第3のカウンタ値を搬送し、これにより、UEは、第5の中間鍵および第3のカウンタ値に基づいて第1の基地局に第6の中間鍵を生成し、第6の中間鍵に基づいてUEと第1の基地局との間の第4の最終鍵を生成し、その場合、第4の最終鍵は、UEによって第2の基地局に送信されるデータを暗号化するために使用される。
【０１７６】
本発明のこの実施形態における通信方法によれば、UEは、第1のコンポーネントキャリアを使用して第1の基地局に接続され、第1の基地局は、前処理指示メッセージをUEに送信し、その場合、前処理指示メッセージは、UEが前処理を行うときに第2の基地局とのアップリンク同期を行う第2のコンポーネントキャリアに関する情報を含み、第2のコンポーネントキャリアは、第1のコンポーネントキャリアとは異なる。前処理指示メッセージは、第2のコンポーネントキャリアで第2の基地局に対する事前ハンドオーバまたは第2の基地局の事前追加を行うようにUEに命令する。UEがデータ送信を行う必要があるターゲットの第2の基地局を取得したとき、第1の基地局は、UEとの間でデータ送信を行うようにターゲットの第2の基地局に命令するために第1の指示メッセージをターゲットの第2の基地局に送信する。第1の基地局が、UEとの間でデータ送信を行うようにターゲット基地局に命令するために第1の指示メッセージをターゲットの第2の基地局に送信する前に、UEは、第1の基地局との接続を維持しながら、第2のコンポーネントキャリアを使用して第2の基地局とのアップリンク同期を確立している。したがって、実際のハンドオーバが実施されるときに、第1の基地局が、UEとの間でデータ送信を行うようにターゲットの第2の基地局に命令するために第1の指示メッセージをターゲットの第2の基地局に送信したとき、UEを、第1の基地局から第2の基地局に迅速にハンドオーバすることができ、これにより、ハンドオーバ待ち時間が短縮され、第2の基地局との間でデータ送信が迅速に実施される。
【０１７７】
本発明の一実施形態は、ネットワーク側デバイスをさらに提供する。図5は、本発明の一実施形態によるネットワーク側デバイスのフレームワークの概略構成図である。
【０１７８】
図5を参照すると、本発明のこの実施形態で提供されるネットワーク側デバイスは、第1の基地局である。本デバイスは、
ユーザ端末によって送信され、第1の基地局によって受信される第1の測定報告に基づいて、ユーザ端末が前処理することができる第2の基地局を決定するように構成される処理ユニット510であって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、処理ユニット510と、
第1の要求メッセージを第2の基地局に送信するように構成される送信ユニット520であって、第1の要求メッセージが、ユーザ端末が第2の基地局を前処理することができることを示す指示情報を含む、送信ユニット520と
を含み、
処理ユニット510は、第1の基地局が第2の基地局によって返信される第1の肯定応答メッセージを受信したときに、ユーザ端末は第2の基地局を前処理することができると判断するようにさらに構成され、
送信ユニット520は、前処理指示メッセージをユーザ端末に送信し、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ようにさらに構成され、
処理ユニット510は、ユーザ端末がデータ送信を行うことができるターゲットの第2の基地局に関する情報を取得するようにさらに構成され、
送信ユニット520は、データ送信のためにターゲットの第2の基地局にハンドオーバされるようにユーザ端末に命令するために、またはデータ送信のためにターゲットの第2の基地局を追加するようにユーザ端末に命令するために、第1の指示メッセージをターゲットの第2の基地局に送信するか、または第1の指示メッセージをターゲットの第2の基地局に送信し、かつ第2の指示メッセージをユーザ端末に送信するようにさらに構成される。
【０１７９】
任意選択的に、第1の測定報告は、現在のサービングセルに対応する第1の測定結果および現在のサービングセルの隣接セルに対応する第2の測定結果を含み、
処理ユニット510は、ユーザ端末によって送信される受信される第1の測定報告に基づいて、ユーザ端末が前処理することができる第2の基地局を決定し、
第1の測定結果が第1の閾値よりも小さい場合、第2の測定結果に基づいて、第2の測定結果に対応する少なくとも1つの第2の基地局を、ユーザ端末が前処理することができる第2の基地局として決定し、第2の測定結果が、第1の測定結果よりも大きい、ように構成される。
【０１８０】
任意選択的に、本装置は、
ユーザ端末によって送信される第3の指示メッセージを受信するように構成される受信ユニット530であって、第3の指示メッセージが、ターゲットの第2の基地局の識別子を搬送し、ターゲットの第2の基地局が、第2の測定報告に基づいてユーザ端末によって決定され、第2の測定報告が、現在のサービングセルの信号品質情報を含み、第1の測定報告とは異なる、受信ユニット530をさらに含み、
送信ユニット520は、受信ユニット530が第3の指示メッセージを受信したときに、第1の指示メッセージをターゲットの第2の基地局に送信するように構成されるか、または
処理ユニット510は、ユーザ端末によって送信される第2の測定報告に基づいてターゲットの第2の基地局を決定するように構成され、
送信ユニット520は、第1の指示メッセージをターゲットの第2の基地局に送信し、第2の指示メッセージをユーザ端末に送信するように構成される。
【０１８１】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【０１８２】
受信ユニット530は、送信ユニット520が第1の指示メッセージをターゲットの第2の基地局に送信した後、ターゲットの第2の基地局によって返信される第2の肯定応答メッセージを受信し、第2の肯定応答メッセージが、ユーザ端末のためにターゲットの第2の基地局によって事前設定されたSRB設定情報およびDRB設定情報を含む、ように構成され、
送信ユニット520は、SRB設定情報およびDRB設定情報を搬送する第2の指示メッセージをユーザ端末に送信するように構成される。
【０１８３】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【０１８４】
任意選択的に、第1の指示メッセージは、ターゲットの第2の基地局のために第1の基地局によって生成される、ターゲットの第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【０１８５】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【０１８６】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【０１８７】
任意選択的に、送信ユニット520は、第1のデータをターゲットの第2の基地局に送信し、第1のデータが、第1の基地局がユーザ端末にまだ送信していないデータである、ようにさらに構成される。
【０１８８】
任意選択的に、本方法は、
送信ユニット520が、経路切り替えメッセージをMMEに送信し、これにより、MMEが、データ送信経路をハンドオーバ先の最終的な第2の基地局に切り替える、ようにさらに構成されること
をさらに含む。
【０１８９】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBの設定情報と、ユーザ端末および第1の基地局によって維持されているDRBとの対応関係をさらに含む。
【０１９０】
本発明のこの実施形態で提供されるネットワーク側デバイスは、上記の方法の実施形態で提供される技術的解決策を実施することができ、その実施原理および技術的効果は、この技術的解決策と同様であり、詳細はここでは説明しない。
【０１９１】
図6は、本発明の別の実施形態によるネットワーク側デバイスのフレームワークの概略構成図である。
【０１９２】
図6は、本発明の別の実施形態によるネットワーク側デバイスのフレームワークの概略構成図である。本デバイスは、
第1の基地局によって送信される第1の要求メッセージを受信するように構成される受信ユニット610であって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、受信ユニット610と、
第1の要求メッセージに基づいてアドミッション制御を行うように構成される処理ユニット620と、
処理ユニットがユーザ端末が前処理の実行を許可されていると判断したときに第1の肯定応答メッセージを第1の基地局に送信するように構成される送信ユニット630と
を含み、
受信ユニット610は、ユーザ端末によって送信されるアクセス要求を受信するようにさらに構成され、処理ユニットは、アクセス要求に基づいてユーザ端末と同期するようにさらに構成され、
受信ユニット630は、第1の基地局によって送信される第1の指示メッセージを受信するようにさらに構成され、処理ユニットは、第1の指示メッセージに基づいて第2の基地局とユーザ端末との間でデータ送信を実施するようにさらに構成される。
【０１９３】
任意選択的に、第1の要求メッセージは、情報を設定するための設定命令をさらに含み、処理ユニットは、設定命令に従ってユーザ端末のためにSRBおよびDRBを事前設定するようにさらに構成され、
第1の肯定応答メッセージは、SRBの設定情報およびDRBの設定情報を含む。
【０１９４】
任意選択的に、処理ユニット620は、受信ユニット610が第1の基地局によって送信される第1の指示メッセージを受信した後、第1の指示メッセージならびに第2の基地局にローカルに格納されているSRBの設定情報およびDRBの設定情報に基づいて第2の基地局とユーザ端末との間のSRBおよびDRBを確立するように構成され、
送信ユニット610は、経路切り替えメッセージをMMEに送信し、これにより、MMEが、受信した経路切り替えメッセージに基づいてデータ送信経路を第2の基地局に切り替える、ようにさらに構成される。
【０１９５】
任意選択的に、送信ユニット610は、受信ユニットが第1の基地局によって送信される第1の指示メッセージを受信した後、第2の肯定応答メッセージを第1の基地局に送信し、第2の肯定応答メッセージが、ユーザ端末のためにターゲットの第2の基地局によって事前設定されるSRB設定情報およびDRB設定情報を含む、ように構成され、
処理ユニット620は、第1の指示メッセージならびにSRB設定情報およびDRB設定情報に基づいて第2の基地局とユーザ端末との間のSRBおよびDRBを確立するように構成され、
送信ユニット610は、経路切り替えメッセージをMMEに送信し、これにより、MMEが、受信した経路切り替えメッセージに基づいてデータ送信経路を第2の基地局に切り替える、ようにさらに構成される。
【０１９６】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【０１９７】
任意選択的に、受信ユニット610は、第1の基地局によって送信される第1のデータを受信し、第1のデータが、第1の基地局がユーザ端末にまだ送信していないデータである、ようにさらに構成される。
【０１９８】
任意選択的に、処理ユニット620は、
第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成し、第1の最終鍵が、第2の基地局によってユーザ端末に送信されるデータを暗号化するために使用される、ようにさらに構成され、
受信ユニット630は、第1の基地局によって送信される鍵更新要求メッセージを受信するようにさらに構成され、
処理ユニット630は、第1の基地局におけるユーザ端末の第1の中間鍵と、ユーザ端末のために第2の基地局によって事前設定される第2のカウンタ値とを使用して第3の中間鍵を生成し、第3の鍵を鍵更新応答メッセージに追加し、鍵更新応答メッセージを第1の基地局に送信し、第2のカウンタ値が、第1のカウンタ値とは異なる、ようにさらに構成され、
送信ユニット630は、第1の基地局鍵更新コマンドをユーザ端末に送信し、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ようにさらに構成される。
【０１９９】
任意選択的に、処理ユニット620は、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成し、第3の最終鍵が、第2の基地局によってユーザ端末に送信されるデータを暗号化するために使用される、ようにさらに構成され、
受信ユニット610は、第1の基地局によって送信される鍵更新要求を受信するようにさらに構成され、
処理ユニット620は、第2の基地局におけるユーザ端末の第5の中間鍵および第3のカウンタ値を使用して第6の中間鍵を生成し、第6の鍵を鍵更新応答メッセージに追加し、鍵更新応答メッセージを第1の基地局に送信するようにさらに構成され、
送信ユニット630は、鍵更新コマンドをユーザ端末に送信し、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ようにさらに構成される。
【０２００】
本発明のこの実施形態で提供されるネットワーク側デバイスは、上記の方法の実施形態で提供される技術的解決策を実施することができ、その実施原理および技術的効果は、この技術的解決策と同様であり、詳細はここでは説明しない。
【０２０１】
本発明の一実施形態は、ユーザ端末をさらに提供する。図7は、本発明の別の実施形態によるユーザ端末のフレームワークの概略構成図である。
【０２０２】
図7を参照すると、本発明の別の実施形態で提供されるユーザ端末は、
第1の測定報告を第1の基地局に送信し、これにより、第1の基地局が、第1の測定報告に基づいて、ユーザ端末が前処理することができる第2の基地局を決定する、ように構成される送信ユニット710であって、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、送信ユニット710と、
第1の基地局によって送信される前処理指示メッセージを受信するように構成される受信ユニット720であって、事前ハンドオーバ指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、受信ユニット720と
を含み、
送信ユニット710は、第2の基地局に対する前処理を実施するために、前処理指示メッセージに基づいて、第2のコンポーネントキャリアでランダムアクセス要求を第2の基地局に送信するようにさらに構成され、
受信ユニット720は、第1の基地局によって送信される第2の指示メッセージを受信するようにさらに構成され、ユーザ端末は、
第2の指示メッセージに基づいてユーザ端末と第2の基地局との間でデータ送信を実施するように構成される処理ユニット730をさらに含む。
【０２０３】
任意選択的に、前処理指示メッセージは、ユーザ端末のために第2の基地局によって事前設定されるSRB設定情報およびDRB設定情報をさらに含み、
処理ユニット730は、受信ユニット720が第1の基地局によって送信される第2の指示メッセージを受信した後、第2の基地局との間でデータ送信を実施するために、SRB設定情報およびDRB設定情報に基づいてユーザ端末と第2の基地局との間のSRBおよびDRBを確立するように構成される。
【０２０４】
任意選択的に、第2の指示メッセージは、ユーザ端末のために第2の基地局によって事前設定されるSRB設定情報およびDRB設定情報をさらに含み、
処理ユニット730は、受信ユニット720が第1の基地局によって送信される第2の指示メッセージを受信した後、第2の基地局との間でデータ送信を実施するために、第2の指示メッセージ内のSRB設定情報およびDRB設定情報に基づいてユーザ端末と第2の基地局との間のSRBおよびDRBを確立するように構成される。
【０２０５】
任意選択的に、処理ユニット730は、第1の基地局におけるユーザ端末の第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成し、第1の最終鍵が、ユーザ端末によって第2の基地局に送信されるデータを暗号化するために使用される、ようにさらに構成され、
受信ユニット720は、第2の基地局によって送信される第1の基地局鍵更新コマンドを受信し、第1の基地局鍵更新コマンドが、ユーザ端末のために第2の基地局によって事前設定される第2のカウンタ値を含み、第2のカウンタ値が、第1のカウンタ値とは異なる、ようにさらに構成され、
処理ユニット730は、第1の中間鍵および第2のカウンタ値に基づいて第1の基地局にユーザ端末の第3の中間鍵を生成し、第3の中間鍵に基づいて第1の基地局にユーザ端末の第2の最終鍵を生成し、第2の最終鍵が、ユーザ端末によって第1の基地局に送信されるデータを暗号化するために使用される、ようにさらに構成される。
【０２０６】
任意選択的に、処理ユニット730は、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成し、第3の最終鍵が、ユーザ端末によって第2の基地局に送信されるデータを暗号化するために使用される、ようにさらに構成され、
受信ユニット720は、第2の基地局によって送信される第1の基地局鍵更新コマンドを受信し、第1の基地局鍵更新コマンドが、第5の中間鍵および第3のカウンタ値を含む、ようにさらに構成され、
処理ユニット730は、第5の中間鍵および第3のカウンタ値に基づいて第1の基地局に第6の中間鍵を生成し、第6の中間鍵に基づいてユーザ端末とユーザ端末との間の第4の最終鍵を生成し、第4の最終鍵が、ユーザ端末によって第2の基地局に送信されるデータを暗号化するために使用される、ようにさらに構成される。
【０２０７】
任意選択的に、前処理指示メッセージは、第2の基地局を前処理するようにユーザ端末に命令するための指示情報をさらに含み、
処理ユニット730は、指示情報に基づいて、ユーザ端末と第1の基地局との接続を維持することを決定するようにさらに構成される。
【０２０８】
本発明のこの実施形態で提供されるユーザ端末は、上記の方法の実施形態で提供される技術的解決策を実施することができ、その実施原理および技術的効果は、この技術的解決策と同様であり、詳細はここでは説明しない。
【０２０９】
図8は、本発明の別の実施形態によるネットワーク側デバイスのフレームワークの概略構成図である。
【０２１０】
図8を参照すると、本発明の別の実施形態は、ネットワーク側デバイスをさらに提供し、ネットワーク側デバイスは、第1の基地局である。第1の基地局は、
ユーザ端末によって送信され、第1の基地局によって受信される第1の測定報告に基づいて、ユーザ端末が前処理することができる第2の基地局を決定するように構成されるプロセッサ810であって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、プロセッサ810と、
第1の要求メッセージを第2の基地局に送信するように構成される送信機820であって、第1の要求メッセージが、ユーザ端末が第2の基地局を前処理することができることを示す指示情報を含む、送信機820と
を含み、
プロセッサ810は、第1の基地局が第2の基地局によって返信される第1の肯定応答メッセージを受信したときに、ユーザ端末は第2の基地局を前処理することができると判断するようにさらに構成され、
送信機820は、前処理指示メッセージをユーザ端末に送信し、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ようにさらに構成され、
プロセッサ810は、ユーザ端末がデータ送信を行うことができるターゲットの第2の基地局に関する情報を取得するようにさらに構成され、
送信機820は、データ送信のためにターゲットの第2の基地局にハンドオーバされるようにユーザ端末に命令するために、またはデータ送信のためにターゲットの第2の基地局を追加するようにユーザ端末に命令するために、第1の指示メッセージをターゲットの第2の基地局に送信するか、または第1の指示メッセージをターゲットの第2の基地局に送信し、かつ第2の指示メッセージをユーザ端末に送信するようにさらに構成される。
【０２１１】
任意選択的に、第1の測定報告は、現在のサービングセルに対応する第1の測定結果および現在のサービングセルの隣接セルに対応する第2の測定結果を含み、
プロセッサ810は、ユーザ端末によって送信される受信される第1の測定報告に基づいて、ユーザ端末が前処理することができる第2の基地局を決定し、
第1の測定結果が第1の閾値よりも小さい場合、第2の測定結果に基づいて、第2の測定結果に対応する少なくとも1つの第2の基地局を、ユーザ端末が前処理することができる第2の基地局として決定し、第2の測定結果が、第1の測定結果よりも大きい、ように構成される。
【０２１２】
任意選択的に、本デバイスは、
ユーザ端末によって送信される第3の指示メッセージを受信するように構成される受信機830であって、第3の指示メッセージが、ターゲットの第2の基地局の識別子を搬送し、ターゲットの第2の基地局が、第2の測定報告に基づいてユーザ端末によって決定され、第2の測定報告が、現在のサービングセルの信号品質情報を含み、第1の測定報告とは異なる、受信機830
をさらに含み、
送信機820は、受信機が第3の指示メッセージを受信したときに、第1の指示メッセージをターゲットの第2の基地局に送信するように構成されるか、または
プロセッサ810は、ユーザ端末によって送信される第2の測定報告に基づいてターゲットの第2の基地局を決定するように構成され、
送信機820は、第1の指示メッセージをターゲットの第2の基地局に送信し、第2の指示メッセージをユーザ端末に送信するように構成される。
【０２１３】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【０２１４】
受信機830は、送信機820が第1の指示メッセージをターゲットの第2の基地局に送信した後、ターゲットの第2の基地局によって返信される第2の肯定応答メッセージを受信し、第2の肯定応答メッセージが、ユーザ端末のためにターゲットの第2の基地局によって事前設定されたSRB設定情報およびDRB設定情報を含む、ように構成され、
送信機820は、SRB設定情報およびDRB設定情報を搬送する第2の指示メッセージをユーザ端末に送信するように構成される。
【０２１５】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【０２１６】
任意選択的に、第1の指示メッセージは、ターゲットの第2の基地局のために第1の基地局によって生成される、ターゲットの第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【０２１７】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【０２１８】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【０２１９】
任意選択的に、送信機820は、第1のデータをターゲットの第2の基地局に送信し、第1のデータが、第1の基地局がユーザ端末にまだ送信していないデータである、ようにさらに構成される。
【０２２０】
任意選択的に、送信機820は、経路切り替えメッセージをMMEに送信し、これにより、MMEが、データ送信経路をハンドオーバ先の最終的な第2の基地局に切り替える、ようにさらに構成される。
【０２２１】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBの設定情報と、ユーザ端末および第1の基地局によって維持されているDRBとの対応関係をさらに含む。
【０２２２】
本発明のこの実施形態で提供される基地局は、上記の方法の実施形態で提供される技術的解決策を実施することができ、その実施原理および技術的効果は、この技術的解決策と同様であり、詳細はここでは説明しない。
【０２２３】
図9は、本発明の別の実施形態によるネットワーク側デバイスのフレームワークの概略構成図である。
【０２２４】
図9を参照すると、本発明の一実施形態は、ネットワーク側デバイスをさらに提供し、ネットワーク側デバイスは、第2の基地局である。第2の基地局は、
第1の基地局によって送信される第1の要求メッセージを受信するように構成される受信機910であって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、受信機910と、
第1の要求メッセージに基づいてアドミッション制御を行うように構成されるプロセッサ920と、
プロセッサがユーザ端末が前処理の実行を許可されていると判断したときに第1の肯定応答メッセージを第1の基地局に送信するように構成される送信機930と
を含み、
受信機910は、ユーザ端末によって送信されるアクセス要求を受信するようにさらに構成され、プロセッサは、アクセス要求に基づいてユーザ端末と同期するようにさらに構成され、
受信機910は、第1の基地局によって送信される第1の指示メッセージを受信するようにさらに構成され、プロセッサは、第1の指示メッセージに基づいて第2の基地局とユーザ端末との間でデータ送信を実施するようにさらに構成される。
【０２２５】
任意選択的に、第1の要求メッセージは、情報を設定するための設定命令をさらに含み、プロセッサは、設定命令に従ってユーザ端末のためにSRBおよびDRBを事前設定するようにさらに構成され、
第1の肯定応答メッセージは、SRBの設定情報およびDRBの設定情報を含む。
【０２２６】
任意選択的に、プロセッサ920は、受信機910が第1の基地局によって送信される第1の指示メッセージを受信した後、第1の指示メッセージならびに第2の基地局にローカルに格納されているSRBの設定情報およびDRBの設定情報に基づいて第2の基地局とユーザ端末との間のSRBおよびDRBを確立するように構成され、
送信機930は、経路切り替えメッセージをMMEに送信し、これにより、MMEが、受信した経路切り替えメッセージに基づいてデータ送信経路を第2の基地局に切り替える、ようにさらに構成される。
【０２２７】
任意選択的に、送信機930は、第2の肯定応答メッセージを第1の基地局に送信し、第2の肯定応答メッセージが、ユーザ端末のためにターゲットの第2の基地局によって事前設定されるSRB設定情報およびDRB設定情報を含む、ように構成され、
プロセッサ920は、第1の指示メッセージならびにSRB設定情報およびDRB設定情報に基づいて第2の基地局とユーザ端末との間のSRBおよびDRBを確立するように構成され、
送信機930は、経路切り替えメッセージをMMEに送信し、これにより、MMEが、受信した経路切り替えメッセージに基づいてデータ送信経路を第2の基地局に切り替える、ようにさらに構成される。
【０２２８】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【０２２９】
任意選択的に、受信機910は、第1の基地局によって送信される第1のデータを受信し、第1のデータが、第1の基地局がユーザ端末にまだ送信していないデータである、ようにさらに構成される。
【０２３０】
任意選択的に、プロセッサ920は、
第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成し、第1の最終鍵が、第2の基地局によってユーザ端末に送信されるデータを暗号化するために使用される、ようにさらに構成され、
受信機910は、第1の基地局によって送信される鍵更新要求メッセージを受信するようにさらに構成され、
プロセッサ920は、第1の基地局におけるユーザ端末の第1の中間鍵と、ユーザ端末のために第2の基地局によって事前設定される第2のカウンタ値とを使用して第3の中間鍵を生成し、第3の鍵を鍵更新応答メッセージに追加し、鍵更新応答メッセージを第1の基地局に送信し、第2のカウンタ値が、第1のカウンタ値とは異なる、ようにさらに構成され、
送信機930は、第1の基地局鍵更新コマンドをユーザ端末に送信し、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ようにさらに構成される。
【０２３１】
任意選択的に、プロセッサ920は、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成し、第3の最終鍵が、第2の基地局によってユーザ端末に送信されるデータを暗号化するために使用される、ようにさらに構成され、
受信機910は、第1の基地局によって送信される鍵更新要求を受信するようにさらに構成され、
プロセッサ920は、第2の基地局におけるユーザ端末の第5の中間鍵および第3のカウンタ値を使用して第6の中間鍵を生成し、第6の鍵を鍵更新応答メッセージに追加し、鍵更新応答メッセージを第1の基地局に送信するようにさらに構成され、
送信機930は、鍵更新コマンドをユーザ端末に送信し、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ようにさらに構成される。
【０２３２】
本発明のこの実施形態で提供される携帯端末は、上記の方法の実施形態で提供される技術的解決策を実施することができ、その実施原理および技術的効果は、この技術的解決策と同様であり、詳細はここでは説明しない。
【０２３３】
本発明の別の実施形態は、ユーザ端末をさらに提供する。図10は、本発明の別の実施形態によるユーザ端末のフレームワークの概略構成図である。
【０２３４】
図10を参照すると、本発明の一実施形態は、ユーザ端末をさらに提供する。ユーザ端末は、
第1の測定報告を第1の基地局に送信し、これにより、第1の基地局が、第1の測定報告に基づいて、ユーザ端末が前処理することができる第2の基地局を決定する、ように構成される送信機1010であって、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、送信機1010と、
第1の基地局によって送信される前処理指示メッセージを受信するように構成される受信機1020であって、事前ハンドオーバ指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、受信機1020と
を含み、
送信機1030は、第2の基地局に対する前処理を実施するために、前処理指示メッセージに基づいて、第2のコンポーネントキャリアでランダムアクセス要求を第2の基地局に送信するようにさらに構成され、
受信機1020は、第1の基地局によって送信される第2の指示メッセージを受信するようにさらに構成され、ユーザ端末は、
第2の指示メッセージに基づいてユーザ端末と第2の基地局との間でデータ送信を実施するように構成されるプロセッサ1030をさらに含む。
【０２３５】
任意選択的に、前処理指示メッセージは、ユーザ端末のために第2の基地局によって事前設定されるSRB設定情報およびDRB設定情報をさらに含み、
プロセッサ1030は、受信機1020が第1の基地局によって送信される第2の指示メッセージを受信した後、第2の基地局との間でデータ送信を実施するために、SRB設定情報およびDRB設定情報に基づいてユーザ端末と第2の基地局との間のSRBおよびDRBを確立するように構成される。
【０２３６】
任意選択的に、第2の指示メッセージは、ユーザ端末のために第2の基地局によって事前設定されるSRB設定情報およびDRB設定情報をさらに含み、
プロセッサ1030は、受信機1020が第1の基地局によって送信される第2の指示メッセージを受信した後、第2の基地局との間でデータ送信を実施するために、第2の指示メッセージ内のSRB設定情報およびDRB設定情報に基づいてユーザ端末と第2の基地局との間のSRBおよびDRBを確立するように構成される。
【０２３７】
任意選択的に、プロセッサ1030は、第1の基地局におけるユーザ端末の第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成し、第1の最終鍵が、ユーザ端末によって第2の基地局に送信されるデータを暗号化するために使用される、ようにさらに構成され、
受信機1020は、第2の基地局によって送信される第1の基地局鍵更新コマンドを受信し、第1の基地局鍵更新コマンドが、ユーザ端末のために第2の基地局によって事前設定される第2のカウンタ値を含み、第2のカウンタ値が、第1のカウンタ値とは異なる、ようにさらに構成され、
プロセッサ1030は、第1の中間鍵および第2のカウンタ値に基づいて第1の基地局にユーザ端末の第3の中間鍵を生成し、第3の中間鍵に基づいて第1の基地局にユーザ端末の第2の最終鍵を生成し、第2の最終鍵が、ユーザ端末によって第1の基地局に送信されるデータを暗号化するために使用される、ようにさらに構成される。
【０２３８】
任意選択的に、プロセッサ1030は、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成し、第3の最終鍵が、ユーザ端末によって第2の基地局に送信されるデータを暗号化するために使用される、ようにさらに構成され、
受信機1020は、第2の基地局によって送信される第1の基地局鍵更新コマンドを受信し、第1の基地局鍵更新コマンドが、第5の中間鍵および第3のカウンタ値を含む、ようにさらに構成され、
プロセッサ1030は、第5の中間鍵および第3のカウンタ値に基づいて第1の基地局に第6の中間鍵を生成し、第6の中間鍵に基づいてユーザ端末とユーザ端末との間の第4の最終鍵を生成し、第4の最終鍵が、ユーザ端末によって第2の基地局に送信されるデータを暗号化するために使用される、ようにさらに構成される。
【０２３９】
任意選択的に、前処理指示メッセージは、第2の基地局を前処理するようにユーザ端末に命令するための指示情報をさらに含み、
プロセッサ1030は、指示情報に基づいて、ユーザ端末と第1の基地局との接続を維持することを決定するようにさらに構成される。
【０２４０】
本発明のこの実施形態で提供される携帯端末は、上記の方法の実施形態で提供される技術的解決策を実施することができ、その実施原理および技術的効果は、この技術的解決策と同様であり、詳細はここでは説明しない。
【０２４１】
図11は、本発明の別の実施形態による通信システムのフレームワークの概略構成図である。
【０２４２】
図11を参照すると、本発明のこの実施形態で提供される通信システムは、上記の実施形態のいずれかで提供されるようなネットワーク側デバイス1110およびユーザ端末1120を含む。
【０２４３】
本発明のこの実施形態で提供される通信システムは、上記の方法の実施形態で提供される技術的解決策を実施することができ、その実施原理および技術的効果は、この技術的解決策と同様であり、詳細はここでは説明しない。
【０２４４】
当業者であれば、方法の実施形態のステップの全部または一部が、関連するハードウェアに命令するプログラムによって実施され得ることを理解することができる。プログラムは、コンピュータ、携帯電話、または別のポータブル装置によって読み取られ得る記憶媒体に格納されてもよい。プログラムが実行されると、方法の実施形態のステップが実行される。上記の記憶媒体は、ROM、RAM、磁気ディスク、または光ディスクなど、プログラムコードを格納することができる任意の媒体を含む。
【０２４５】
最後に、上記の実施形態は、本発明の技術的解決策を説明するためのものに過ぎず、本発明を限定するためのものではないことに留意されたい。本発明は、上記の実施形態を参照して詳細に説明されているが、当業者であれば、本発明の実施形態の技術的解決策の範囲から逸脱することなく、上記の実施形態で説明した技術的解決策をさらに修正することができる、またはその技術的特徴の一部もしくは全部の同等の交換を行うことができることを理解するはずである。
【符号の説明】
【０２４６】
10  第1の基地局
20  第2の基地局
30  ユーザ機器
40  モビリティ管理エンティティ
510  処理ユニット
520  送信ユニット
530  受信ユニット
610  受信ユニット
620  処理ユニット
630  送信ユニット
710  送信ユニット
720  受信ユニット
730  処理ユニット
810  プロセッサ
820  送信機
830  受信機
910  受信機
920  プロセッサ
930  送信機
1010  送信機
1020  受信機
1030  プロセッサ
1110  ネットワーク側デバイス
1120  ユーザ端末
【図１】
2019510432.tif 000003
【図２】
2019510432.tif 000004
【図３】
2019510432.tif 000005
【図４】
2019510432.tif 000006
【図５】
2019510432.tif 000007
【図６】
2019510432.tif 000008
【図７】
2019510432.tif 000009
【図８】
2019510432.tif 000010
【図９】
2019510432.tif 000011
【図１０】
2019510432.tif 000012
【図１１】
2019510432.tif 000013
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
通信方法であって、
ユーザ端末によって第1の測定報告を第1の基地局に送信するステップであって、前記第1の測定報告が前記ユーザ端末が前処理することができる第2の基地局を決定するのに用いられ、前記前処理が、前記第2の基地局に対する事前ハンドオーバまたは前記第2の基地局の事前追加を含むが、前記第2の基地局を用いたデータ送信を含まず、前記ユーザ端末が、第1のコンポーネントキャリアを使用して前記第1の基地局に接続され、前記第1の測定報告が、現在のサービングセルの信号品質情報および前記現在のサービングセルの隣接セルの信号品質情報を含む、ステップと、
前記第1の基地局によって送信される前処理指示メッセージを前記ユーザ端末によって受信するステップであって、前記前処理指示メッセージが、前記ユーザ端末が前記前処理を行うときに前記第2の基地局とのアップリンク同期を行う第2のコンポーネントキャリアに関する情報を含み、前記第2のコンポーネントキャリアが、前記第1のコンポーネントキャリアとは異なる、ステップと、
前記第2の基地局に対する前記前処理を実施するために、前記前処理指示メッセージに基づいて前記ユーザ端末によって、前記第2のコンポーネントキャリアでランダムアクセス要求を前記第2の基地局に送信するステップと、
前記ユーザ端末によって、前記第1の基地局によって送信される第2の指示メッセージを受信し、前記第2の指示メッセージに基づいて前記ユーザ端末と前記第2の基地局との間でデータ送信を実施するステップと
を含む、ことを特徴とする通信方法。
【請求項２】
前記前処理指示メッセージが、前記ユーザ端末のために前記第2の基地局によって事前設定されるシグナリング無線ベアラ（SRB）設定情報およびデータ無線ベアラ（DRB）設定情報をさらに含み、
前記ユーザ端末によって、前記第1の基地局によって送信される第2の指示メッセージを受信し、前記第2の指示メッセージに基づいて前記ユーザ端末と前記第2の基地局との間で通信を実施する前記ステップが、
前記ユーザ端末によって、前記第1の基地局によって送信される前記第2の指示メッセージを受信し、前記第2の基地局との間でデータ送信を実施するために、前記SRB設定情報および前記DRB設定情報に基づいて前記ユーザ端末と前記第2の基地局との間のSRBおよびDRBを確立するステップを含む、請求項1に記載の通信方法。
【請求項３】
前記第2の指示メッセージが、前記ユーザ端末のために前記第2の基地局によって事前設定されるSRB設定情報およびDRB設定情報をさらに含み、
前記ユーザ端末によって、前記第1の基地局によって送信される第2の指示メッセージを受信し、前記第2の指示メッセージに基づいて前記ユーザ端末と前記第2の基地局との間で通信を実施する前記ステップが、
前記ユーザ端末によって、前記第1の基地局によって送信される前記第2の指示メッセージを受信し、前記第2の基地局との間でデータ送信を実施するために、前記第2の指示メッセージ内の前記SRB設定情報および前記DRB設定情報に基づいて前記ユーザ端末と前記第2の基地局との間のSRBおよびDRBを確立するステップを含む、請求項1に記載の通信方法。
【請求項４】
前記前処理指示メッセージが、前記第2の基地局を前処理するように前記ユーザ端末に命令するための指示情報をさらに含み、前記ユーザ端末が、前記指示情報に基づいて、前記第1の基地局との接続を維持することを決定する、請求項1から3のいずれか一項に記載の通信方法。
【請求項５】
ネットワーク側デバイスであって、前記デバイスが、第1の基地局であり、
ユーザ端末によって送信され、前記第1の基地局によって受信される第1の測定報告に基づいて、前記ユーザ端末が前処理することができる第2の基地局を決定するように構成される処理ユニットであって、前記前処理が、前記第2の基地局に対する事前ハンドオーバまたは前記第2の基地局の事前追加を含むが、前記第2の基地局を用いたデータ送信を含まず、前記第1の基地局が、第1のコンポーネントキャリアを使用して前記ユーザ端末に接続され、前記第1の測定報告が、現在のサービングセルの信号品質情報および前記現在のサービングセルの隣接セルの信号品質情報を含む、処理ユニットと、
第1の要求メッセージを前記第2の基地局に送信するように構成される送信ユニットであって、前記第1の要求メッセージが、前記ユーザ端末が前記第2の基地局を前処理することができることを示す指示情報を含む、送信ユニットと
を備えることを特徴とするもので、
前記処理ユニットが、前記第1の基地局が前記第2の基地局によって返信される第1の肯定応答メッセージを受信したときに、前記ユーザ端末は前記第2の基地局を前処理することができると判断するようにさらに構成され、
前記送信ユニットが、前処理指示メッセージを前記ユーザ端末に送信し、前記前処理指示メッセージが、前記ユーザ端末が前記前処理を行うときに前記第2の基地局とのアップリンク同期を行う第2のコンポーネントキャリアに関する情報を含み、前記第2のコンポーネントキャリアが、前記第1のコンポーネントキャリアとは異なる、ようにさらに構成され、
前記処理ユニットが、前記ユーザ端末がデータ送信を行うことができるターゲットの第2の基地局に関する情報を取得するようにさらに構成され、
前記送信ユニットが、データ送信のために前記ターゲットの第2の基地局にハンドオーバされるように前記ユーザ端末に命令するために、またはデータ送信のために前記ターゲットの第2の基地局を追加するように前記ユーザ端末に命令するために、第1の指示メッセージを前記ターゲットの第2の基地局に送信するか、または前記第1の指示メッセージを前記ターゲットの第2の基地局に送信し、かつ第2の指示メッセージを前記ユーザ端末に送信するようにさらに構成される、
ネットワーク側デバイス。
【請求項６】
前記第1の要求メッセージが、情報を設定するための設定命令をさらに含み、これにより、前記第2の基地局が、前記設定命令に従って前記ユーザ端末のためにシグナリング無線ベアラ（SRB）およびデータ無線ベアラ（DRB）を事前設定し、
前記第1の肯定応答メッセージおよび前記前処理指示メッセージの両方が、前記SRBの設定情報および前記DRBの設定情報を含む、請求項5に記載のネットワーク側デバイス。
【請求項７】
前記送信ユニットが、前記第1の指示メッセージを前記ターゲットの第2の基地局に送信し、前記第2の指示メッセージを前記ユーザ端末に送信するように構成されることが、前記第1の指示メッセージを前記ターゲットの第2の基地局に送信することを含み、
前記受信ユニットが、前記ターゲットの第2の基地局によって返信される第2の肯定応答メッセージを受信し、前記第2の肯定応答メッセージが、前記ユーザ端末のために前記ターゲットの第2の基地局によって事前設定されるSRB設定情報およびDRB設定情報を含む、ように構成され、
前記送信ユニットが、前記第1の指示メッセージを前記ターゲットの第2の基地局に送信し、前記第2の指示メッセージを前記ユーザ端末に送信するように構成されることが、前記SRB設定情報および前記DRB設定情報を搬送する前記第2の指示メッセージを前記ユーザ端末に送信することを含む、
請求項5に記載のネットワーク側デバイス。
【請求項８】
前記第1の要求メッセージが、前記ユーザ端末のためにSRBを確立し、DRBを確立するか、またはDRBの設定情報を事前設定するように前記第2の基地局に命令するための指示情報をさらに含み、
前記第1の肯定応答メッセージおよび前記前処理指示メッセージの両方が、前記確立されたSRBに関する情報および前記確立されたDRBに関する情報または前記DRBの前記設定情報を含み、
前記前処理指示メッセージが、前記確立されたSRBに関する前記情報および前記DRBの前記設定情報を含むとき、前記前処理指示メッセージが、前記第2の基地局が前記DRBの前記設定情報に基づいて前記ユーザ端末のために前記DRBを確立したことを示す指示情報をさらに含む、請求項5に記載のネットワーク側デバイス。
【請求項９】
前記前処理指示メッセージが、
前記ユーザ端末のために前記第1の基地局によって事前設定される、前記ユーザ端末と前記第2の基地局との間のセキュリティ鍵情報を含み、これにより、前記第2の指示メッセージを受信したとき、前記ユーザ端末は、前記ユーザ端末と前記第1の基地局との間の前記第2の中間鍵および前記セキュリティ鍵情報を使用して前記ユーザ端末と前記第2の基地局との間の前記第1の中間鍵を生成する、
請求項5から8のいずれか一項に記載のネットワーク側デバイス。
【請求項１０】
前記前処理指示メッセージが、前記ユーザ端末のために前記第2の基地局によって事前設定される前記SRBと、前記ユーザ端末および前記第1の基地局によって維持されるSRBとの対応関係ならびに／または前記ユーザ端末のために前記第2の基地局によって事前設定される前記DRBの前記設定情報と、前記ユーザ端末および前記第1の基地局によって維持されるDRBとの対応関係をさらに含む、請求項5から9のいずれか一項に記載のネットワーク側デバイス。
【請求項１１】
ネットワーク側デバイスであって、前記デバイスが、第2の基地局であり、
第1の基地局によって送信される第1の要求メッセージを受信するように構成される受信ユニットであって、前記第1の要求メッセージが、ユーザ端末の識別子と、前記ユーザ端末が前記第2の基地局を前処理することができることを示す指示情報とを含み、前記前処理が、前記第2の基地局に対する前記ユーザ端末の事前ハンドオーバまたは前記第2の基地局の事前追加を含むが、前記第2の基地局を用いたデータ送信を含まない、受信ユニットと、
前記第1の要求メッセージに基づいてアドミッション制御を行うように構成される処理ユニットと、
前記処理ユニットが前記ユーザ端末が前処理の実行を許可されていると判断したときに第1の肯定応答メッセージを前記第1の基地局に送信するように構成される送信ユニットと
を備えることを特徴とするもので、
前記受信ユニットが、前記ユーザ端末によって送信されるアクセス要求を受信するようにさらに構成され、前記処理ユニットが、前記アクセス要求に基づいて前記ユーザ端末と同期するようにさらに構成され、
前記受信ユニットが、前記第1の基地局によって送信される第1の指示メッセージを受信するようにさらに構成され、
前記処理ユニットが、前記第2の基地局と前記ユーザ端末との間でデータ送信を実施するために前記第1の指示メッセージに基づいて対応するハンドオーバ処理を行うようにさらに構成される、
ネットワーク側デバイス。
【請求項１２】
前記送信ユニットが、前記受信ユニットが前記第1の基地局によって送信される前記第1の指示メッセージを受信した後、第2の肯定応答メッセージを前記第1の基地局に送信し、前記第2の肯定応答メッセージが、前記ユーザ端末のために前記第2の基地局によって事前設定されるシグナリング無線ベアラ、SRB、設定情報およびデータ無線ベアラ、DRB、設定情報を含む、ように構成され、
前記処理ユニットが、前記第1の指示メッセージならびに前記SRB設定情報および前記DRB設定情報に基づいて前記第2の基地局と前記ユーザ端末との間のSRBおよびDRBを確立するように構成され、
前記送信ユニットが、経路切り替えメッセージをMMEに送信し、これにより、前記MMEが、前記受信した経路切り替えメッセージに基づいてデータ送信経路を前記第2の基地局に切り替える、ようにさらに構成される、
請求項11に記載のネットワーク側デバイス。
【請求項１３】
ユーザ端末であって、
第1の測定報告を第1の基地局に送信ように構成され、前記第1の測定報告が前記ユーザ端末が前処理することができる第2の基地局を決定するのに用いられるものである、送信ユニットであって、前記前処理が、前記第2の基地局に対する事前ハンドオーバまたは前記第2の基地局の事前追加を含むが、前記第2の基地局を用いたデータ送信を含まず、前記ユーザ端末が、第1のコンポーネントキャリアを使用して前記第1の基地局に接続され、前記第1の測定報告が、現在のサービングセルの信号品質情報および前記現在のサービングセルの隣接セルの信号品質情報を含む、送信ユニットと、
前記第1の基地局によって送信される前処理指示メッセージを受信するように構成される受信ユニットであって、前記前処理指示メッセージが、前記ユーザ端末が前記前処理を行うときに前記第2の基地局とのアップリンク同期を行う第2のコンポーネントキャリアに関する情報を含み、前記第2のコンポーネントキャリアが、前記第1のコンポーネントキャリアとは異なる、受信ユニットと
を備えることを特徴とするものであり、
前記送信ユニットが、前記第2の基地局に対する前記前処理を実施するために、前記前処理指示メッセージに基づいて、前記第2のコンポーネントキャリアでランダムアクセス要求を前記第2の基地局に送信するようにさらに構成され、
前記受信ユニットが、前記第1の基地局によって送信される第2の指示メッセージを受信するようにさらに構成され、前記ユーザ端末が、
前記第2の指示メッセージに基づいて前記ユーザ端末と前記第2の基地局との間でデータ送信を実施するように構成される処理ユニットをさらに備える、
ユーザ端末。
【請求項１４】
前記前処理指示メッセージが、前記ユーザ端末のために前記第2の基地局によって事前設定されるシグナリング無線ベアラ、SRB、設定情報およびデータ無線ベアラ、DRB、設定情報をさらに含み、
前記処理ユニットが、前記受信ユニットが前記第1の基地局によって送信される前記第2の指示メッセージを受信した後、前記第2の基地局との間でデータ送信を実施するために、前記SRB設定情報および前記DRB設定情報に基づいて前記ユーザ端末と前記第2の基地局との間のSRBおよびDRBを確立するように構成される、請求項13に記載のユーザ端末。
【請求項１５】
前記第2の指示メッセージが、前記ユーザ端末のために前記第2の基地局によって事前設定されるSRB設定情報およびDRB設定情報をさらに含み、
前記処理ユニットが、前記受信ユニットが前記第1の基地局によって送信される前記第2の指示メッセージを受信した後、前記第2の基地局との間でデータ送信を実施するために、前記第2の指示メッセージ内の前記SRB設定情報および前記DRB設定情報に基づいて前記ユーザ端末と前記第2の基地局との間のSRBおよびDRBを確立するように構成される、請求項13に記載のユーザ端末。
【請求項１６】
ネットワークデバイスであって、前記ネットワークデバイスが第1の基地局であり、
プロセッサと、
非一時的メモリと、を具備し、前記メモリが実行命令を格納し、前記プロセッサが前期実行命令を実行するときに、前記デバイスに以下のステップ、
ユーザ端末によって送信される受信される第1の測定報告に基づいて、前記ユーザ端末が前処理することができる第2の基地局を決定するステップであって、前記前処理が、前記第2の基地局に対する事前ハンドオーバまたは前記第2の基地局の事前追加を含むが、前記第2の基地局を用いたデータ送信を含まず、前記第1の基地局が、第1のコンポーネントキャリアを使用して前記ユーザ端末に接続され、前記第1の測定報告が、現在のサービングセルの信号品質情報および前記現在のサービングセルの隣接セルの信号品質情報を含む、ステップと、
第1の要求メッセージを前記第2の基地局に送信するステップであって、前記第1の要求メッセージが、前記ユーザ端末が前記第2の基地局を前処理することができることを示す指示情報を含む、ステップと、
前記第2の基地局によって返信される第1の肯定応答メッセージを受信したときに、前記ユーザ端末は前記第2の基地局を前処理することができると判断し、前処理指示メッセージを前記ユーザ端末に送信するステップであって、前記前処理指示メッセージが、前記ユーザ端末が前記前処理を行うときに前記第2の基地局とのアップリンク同期を行う第2のコンポーネントキャリアに関する情報を含み、前記第2のコンポーネントキャリアが、前記第1のコンポーネントキャリアとは異なる、ステップと、
前記ユーザ端末がデータ送信を行うことができるターゲットの第2の基地局に関する情報を取得するステップと、
データ送信のために前記ターゲットの第2の基地局にハンドオーバされるように前記ユーザ端末に命令するために、またはデータ送信のために前記ターゲットの第2の基地局を追加するように前記ユーザ端末に命令するために、第1の指示メッセージを前記ターゲットの第2の基地局に送信するか、または前記第1の指示メッセージを前記ターゲットの第2の基地局に送信し、かつ第2の指示メッセージを前記ユーザ端末に送信するステップと、
を処理可能とするものである、ネットワークデバイス。
【請求項１７】
ネットワークデバイスであって、前記ネットワークデバイスが第2の基地局であり、
プロセッサと、
非一時的メモリと、を具備し、前記メモリが実行命令を格納し、前記プロセッサが前期実行命令を実行するときに、前記デバイスに以下のステップ、
第1の基地局によって送信される第1の要求メッセージを受信するステップであって、前記第1の要求メッセージが、ユーザ端末の識別子と、前記ユーザ端末が前記第2の基地局を前処理することができることを示す指示情報とを含み、前記前処理が、前記第2の基地局に対する前記ユーザ端末の事前ハンドオーバまたは前記第2の基地局の事前追加を含むが、前記第2の基地局を用いたデータ送信を含まない、ステップと、
前記第1の要求メッセージに基づいてアドミッション制御を行い、前記ユーザ端末が前処理の実行を許可されていると判断したときに第1の肯定応答メッセージを前記第1の基地局に返信するステップと、
前記ユーザ端末によって送信されるアクセス要求を受信し、前記アクセス要求に基づいて前記ユーザ端末と同期するステップと、
前記第1の基地局によって送信される第1の指示メッセージを受信し、前記ユーザ端末との間でデータ送信を実施するために前記第1の指示メッセージに基づいて対応するハンドオーバ処理を行うステップと、
を処理可能とするものである、ネットワークデバイス。
【請求項１８】
ユーザ端末であって、前記ネットワークデバイスが第2の基地局であり、
プロセッサと、
非一時的メモリと、を具備し、前記メモリが実行命令を格納し、前記プロセッサが前期実行命令を実行するときに、前記デバイスに以下のステップ、
第1の測定報告を第1の基地局に送信するステップであって、前記第1の測定報告が前記ユーザ端末が前処理することができる第2の基地局を決定するのに用いられ、前記前処理が、前記第2の基地局に対する事前ハンドオーバまたは前記第2の基地局の事前追加を含むが、前記第2の基地局を用いたデータ送信を含まず、前記ユーザ端末が、第1のコンポーネントキャリアを使用して前記第1の基地局に接続され、前記第1の測定報告が、現在のサービングセルの信号品質情報および前記現在のサービングセルの隣接セルの信号品質情報を含む、ステップと、
前記第1の基地局によって送信される前処理指示メッセージを受信するステップであって、前記前処理指示メッセージが、前記ユーザ端末が前記前処理を行うときに前記第2の基地局とのアップリンク同期を行う第2のコンポーネントキャリアに関する情報を含み、前記第2のコンポーネントキャリアが、前記第1のコンポーネントキャリアとは異なる、ステップと、
前記第2の基地局に対する前記前処理を実施するために、前記前処理指示メッセージに基づいて、前記第2のコンポーネントキャリアでランダムアクセス要求を前記第2の基地局に送信するステップと、
前記第1の基地局によって送信される第2の指示メッセージを受信し、前記第2の指示メッセージに基づいて前記ユーザ端末と前記第2の基地局との間でデータ送信を実施するステップと
を処理可能とするものである、ユーザ端末。
【請求項１９】
コンピュータに請求項１から４のうちのいずれかのステップを実行させるプログラム。
【手続補正２】
【補正対象書類名】明細書
【補正対象項目名】全文
【補正方法】変更
【補正の内容】
【発明の詳細な説明】
【技術分野】
【０００１】
本発明の実施形態は、通信技術に関し、具体的には、通信方法、ネットワーク側デバイス、およびユーザ端末に関する。
【背景技術】
【０００２】
ロングタームエボリューション（LTE）は、ユニバーサル移動通信システム（UMTS）の技術規格のロングタームエボリューションであり、第3世代パートナーシッププロジェクト（3GPP）機関によって開発されている。LTEネットワークでは、ユーザ機器（UE）が、移動中に、モビリティ管理エンティティ（MME）によって管理される基地局のカバレッジエリアから別の基地局のカバレッジエリアに移動するとき、ハードハンドオーバ処理を行う必要がある。
【０００３】
従来技術では、UEに関して実行されるハードハンドオーバの主な動作原理は以下の通りである。UEは、現在のサービングセルの信号強度を最初に測定し、現在のサービングセルの信号強度が第1の特定の閾値よりも低いとき、現在のサービングセルの隣接セルの信号強度を測定し、UEの測定結果をソース基地局に報告する。ソース基地局は、測定によって取得された隣接セルの信号強度に基づいて、UEがハンドオーバされ得るターゲット基地局を決定し、現在のサービングセルの信号強度が第2の特定の閾値よりも低いとき、ハンドオーバ要求を生成し、ハンドオーバ要求をターゲット基地局に送信する。ターゲット基地局は、ハンドオーバ要求に従ってアドミッション制御を行い、ハンドオーバ肯定応答メッセージをソース基地局に送信する。次に、ソース基地局は、ハンドオーバコマンドをUEに送信する。ハンドオーバコマンドを受信した後、UEは、ソース基地局との接続をすぐに切断し、ランダムアクセスモードでターゲット基地局とアップリンク同期される。ランダムアクセスが成功した後、UEは、ターゲット基地局と通信することができる。
【０００４】
しかしながら、従来技術のハードハンドオーバモードでは、ソース基地局との接続を切断した後、UEは、ランダムアクセス手順を使用してターゲット基地局にアクセスする。したがって、比較的大きな待ち時間が生じる。
【発明の概要】
【０００５】
本発明の実施形態は、UEをターゲット基地局にハンドオーバするためにハードハンドオーバモードを使用するときに比較的大きな待ち時間が生じるという従来技術の問題を解決するために通信方法、ネットワーク側デバイス、ユーザ端末、および通信システムを提供する。
【課題を解決するための手段】
【０００６】
第1の態様によれば、本発明の一実施形態は、通信方法であって、
ユーザ端末によって送信される受信される第1の測定報告に基づいて第1の基地局によって、ユーザ端末が前処理することができる第2の基地局を決定するステップであって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、ステップと、
第1の基地局によって第1の要求メッセージを第2の基地局に送信するステップであって、第1の要求メッセージが、ユーザ端末が第2の基地局を前処理することができることを示す指示情報を含む、ステップと、
第2の基地局によって返信される第1の肯定応答メッセージを受信したときに第1の基地局によって、ユーザ端末は第2の基地局を前処理することができると判断し、前処理指示メッセージをユーザ端末に送信するステップであって、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ステップと、
ユーザ端末がデータ送信を行うことができるターゲットの第2の基地局に関する情報を第1の基地局によって取得するステップと、
データ送信のためにターゲットの第2の基地局にハンドオーバされるようにユーザ端末に命令するために、またはデータ送信のためにターゲットの第2の基地局を追加するようにユーザ端末に命令するために、第1の基地局によって、第1の指示メッセージをターゲットの第2の基地局に送信するか、または第1の指示メッセージをターゲットの第2の基地局に送信し、かつ第2の指示メッセージをユーザ端末に送信するステップと
を含む、通信方法を提供する。
【０００７】
任意選択的に、第1の測定報告は、現在のサービングセルに対応する第1の測定結果および現在のサービングセルの隣接セルに対応する第2の測定結果を含み、
ユーザ端末によって送信される受信される第1の測定報告に基づいて第1の基地局によって、ユーザ端末が前処理することができる第2の基地局を決定するステップは、
第1の測定結果が第1の閾値よりも小さい場合、第2の測定結果に基づいて第1の基地局によって、第2の測定結果に対応する少なくとも1つの第2の基地局を、ユーザ端末が前処理することができる第2の基地局として決定するステップであって、第2の測定結果が、第1の測定結果よりも大きい、ステップを含む。
【０００８】
任意選択的に、ユーザ端末がデータ送信を行うことができるターゲットの第2の基地局に関する情報を第1の基地局によって取得するステップおよび第1の指示メッセージをターゲットの第2の基地局に送信するか、または第1の指示メッセージをターゲットの第2の基地局に送信し、かつ第2の指示メッセージをユーザ端末に送信するステップは、
ユーザ端末によって送信される第3の指示メッセージを第1の基地局によって受信するステップであって、第3の指示メッセージが、ターゲットの第2の基地局の識別子を搬送し、ターゲットの第2の基地局が、第2の測定報告に基づいてユーザ端末によって決定される、ステップおよび第1の基地局によって第1の指示メッセージをターゲットの第2の基地局に送信するステップであって、第2の測定報告が、現在のサービングセルの信号品質情報を含み、第1の測定報告とは異なる、ステップ、または
ユーザ端末によって送信される第2の測定報告に基づいて第1の基地局によってターゲットの第2の基地局を決定するステップおよび第1の指示メッセージをターゲットの第2の基地局に送信し、第2の指示メッセージをユーザ端末に送信するステップ
を含む。
【０００９】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【００１０】
任意選択的に、第1の指示メッセージをターゲットの第2の基地局に送信し、第2の指示メッセージをユーザ端末に送信するステップは、
第1の指示メッセージをターゲットの第2の基地局に送信するステップと、
ターゲットの第2の基地局によって返信される第2の肯定応答メッセージを受信するステップであって、第2の肯定応答メッセージが、ユーザ端末のためにターゲットの第2の基地局によって事前設定されるSRB設定情報およびDRB設定情報を含む、ステップと、
SRB設定情報およびDRB設定情報を搬送する第2の指示メッセージをユーザ端末に送信するステップと
を含む。
【００１１】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【００１２】
任意選択的に、第1の指示メッセージは、第2の基地局のために第1の基地局によって生成される、第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【００１３】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【００１４】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【００１５】
任意選択的に、本方法は、
第1の基地局によって第1のデータをターゲットの第2の基地局に送信するステップであって、第1のデータが、第1の基地局がユーザ端末にまだ送信していないデータである、ステップ
をさらに含む。
【００１６】
任意選択的に、本方法は、
第1の基地局によって経路切り替えメッセージをMMEに送信するステップであって、これにより、MMEが、データ送信経路をハンドオーバ先の最終的な第2の基地局に切り替える、ステップ
をさらに含む。
【００１７】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBと、ユーザ端末および第1の基地局によって維持されているDRBとの対応関係をさらに含む。
【００１８】
第2の態様によれば、本発明の一実施形態は、通信方法をさらに提供し、本方法は、
第1の基地局によって送信される第1の要求メッセージを第2の基地局によって受信するステップであって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、ステップと、
第2の基地局によって、第1の要求メッセージに基づいてアドミッション制御を行い、ユーザ端末が前処理の実行を許可されていると判断したときに第1の肯定応答メッセージを第1の基地局に返信するステップと、
第2の基地局によって、ユーザ端末によって送信されるアクセス要求を受信し、アクセス要求に基づいてユーザ端末と同期するステップと、
第2の基地局によって、第1の基地局によって送信される第1の指示メッセージを受信し、ユーザ端末との間でデータ送信を実施するために第1の指示メッセージに基づいて対応するハンドオーバ処理を行うステップと
を含む。
【００１９】
任意選択的に、第1の要求メッセージは、情報を設定するための設定命令をさらに含み、本方法は、
第2の基地局によって、設定命令に従ってユーザ端末のためにSRBおよびDRBを事前設定するステップをさらに含み、
第1の肯定応答メッセージは、SRBの設定情報およびDRBの設定情報を含む。
【００２０】
任意選択的に、ユーザ端末との間でデータ送信を実施するために第1の指示メッセージに基づいて対応するハンドオーバ処理を行うステップは、
第1の指示メッセージならびに第2の基地局にローカルに格納されているSRBの設定情報およびDRBの設定情報に基づいて第2の基地局とユーザ端末との間のSRBおよびDRBを確立するステップと、
経路切り替えメッセージをMMEに送信するステップであって、これにより、MMEが、受信した経路切り替えメッセージに基づいてデータ送信経路を第2の基地局に切り替える、ステップと
を含む。
【００２１】
任意選択的に、第2の基地局によって、第1の基地局によって送信される第1の指示メッセージを受信し、ユーザ端末との間でデータ送信を実施するために第1の指示メッセージに基づいて対応するハンドオーバ処理を行うステップは、
第2の基地局によって第2の肯定応答メッセージを第1の基地局に送信するステップであって、第2の肯定応答メッセージが、ユーザ端末のために第2の基地局によって事前設定されるSRB設定情報およびDRB設定情報を含む、ステップと、
第1の指示メッセージならびにSRB設定情報およびDRB設定情報に基づいて第2の基地局とユーザ端末との間のSRBおよびDRBを確立するステップと、
経路切り替えメッセージをMMEに送信するステップであって、これにより、MMEが、受信した経路切り替えメッセージに基づいてデータ送信経路を第2の基地局に切り替える、ステップと
を含む。
【００２２】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【００２３】
任意選択的に、本方法は、
第1の基地局によって送信される第1のデータを第2の基地局によって受信するステップであって、第1のデータが、第1の基地局がユーザ端末にまだ送信していないデータである、ステップ
をさらに含む。
【００２４】
任意選択的に、本方法は、
第2の基地局によって、第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成するステップであって、第1の最終鍵が、第2の基地局によってユーザ端末に送信されるデータを暗号化するために使用される、ステップと、
第1の基地局によって送信される鍵更新要求メッセージを第2の基地局によって受信するステップと、
第2の基地局によって、第1の基地局におけるユーザ端末の第1の中間鍵と、ユーザ端末のために第2の基地局によって事前設定される第2のカウンタ値とを使用して第3の中間鍵を生成し、第3の中間鍵を鍵更新応答メッセージに追加し、鍵更新応答メッセージを第1の基地局に送信するステップであって、第2のカウンタ値が、第1のカウンタ値とは異なる、ステップと、
第2の基地局によって第1の基地局鍵更新コマンドをユーザ端末に送信するステップであって、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ステップと
をさらに含む。
【００２５】
任意選択的に、本方法は、
第2の基地局によって、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成するステップであって、第3の最終鍵が、第2の基地局によってユーザ端末に送信されるデータを暗号化するために使用される、ステップと、
第1の基地局によって送信される鍵更新要求を第2の基地局によって受信するステップと、
第2の基地局によって、第2の基地局におけるユーザ端末の第5の中間鍵および第3のカウンタ値を使用して第6の中間鍵を生成し、第6の中間鍵を鍵更新応答メッセージに追加し、鍵更新応答メッセージを第1の基地局に送信するステップと、
第2の基地局によって鍵更新コマンドをユーザ端末に送信するステップであって、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ステップと
をさらに含む。
【００２６】
第3の態様によれば、本発明の一実施形態は、通信方法であって、
ユーザ端末によって第1の測定報告を第1の基地局に送信するステップであって、これにより、第1の基地局が、第1の測定報告に基づいて、ユーザ端末が前処理することができる第2の基地局を決定し、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、ステップと、
第1の基地局によって送信される前処理指示メッセージをユーザ端末によって受信するステップであって、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ステップと、
第2の基地局に対する前処理を実施するために、前処理指示メッセージに基づいてユーザ端末によって、第2のコンポーネントキャリアでランダムアクセス要求を第2の基地局に送信するステップと、
ユーザ端末によって、第1の基地局によって送信される第2の指示メッセージを受信し、第2の指示メッセージに基づいてユーザ端末と第2の基地局との間でデータ送信を実施するステップと
を含む、通信方法を提供する。
【００２７】
任意選択的に、前処理指示メッセージは、ユーザ端末のために第2の基地局によって事前設定されるSRB設定情報およびDRB設定情報をさらに含み、
ユーザ端末によって、第1の基地局によって送信される第2の指示メッセージを受信し、第2の指示メッセージに基づいてユーザ端末と第2の基地局との間で通信を実施するステップは、
ユーザ端末によって、第1の基地局によって送信される第2の指示メッセージを受信し、第2の基地局との間でデータ送信を実施するために、SRB設定情報およびDRB設定情報に基づいてユーザ端末と第2の基地局との間のSRBおよびDRBを確立するステップを含む。
【００２８】
任意選択的に、第2の指示メッセージは、ユーザ端末のために第2の基地局によって事前設定されるSRB設定情報およびDRB設定情報をさらに含み、
ユーザ端末によって、第1の基地局によって送信される第2の指示メッセージを受信し、第2の指示メッセージに基づいてユーザ端末と第2の基地局との間で通信を実施するステップは、
ユーザ端末によって、第1の基地局によって送信される第2の指示メッセージを受信し、第2の基地局との間でデータ送信を実施するために、第2の指示メッセージ内のSRB設定情報およびDRB設定情報に基づいてユーザ端末と第2の基地局との間のSRBおよびDRBを確立するステップ
を含む。
【００２９】
任意選択的に、本方法は、
ユーザ端末によって、第1の基地局における第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成するステップであって、第1の最終鍵が、ユーザ端末によって第2の基地局に送信されるデータを暗号化するために使用される、ステップと、
第2の基地局によって送信される第1の基地局鍵更新コマンドをユーザ端末によって受信するステップであって、第1の基地局鍵更新コマンドが、ユーザ端末のために第2の基地局によって事前設定される第2のカウンタ値を含み、第2のカウンタ値が、第1のカウンタ値とは異なる、ステップと、
ユーザ端末によって、第1の中間鍵および第2のカウンタ値に基づいて第1の基地局にユーザ端末の第3の中間鍵を生成し、第3の中間鍵に基づいて第1の基地局にユーザ端末の第2の最終鍵を生成するステップであって、第2の最終鍵が、ユーザ端末によって第1の基地局に送信されるデータを暗号化するために使用される、ステップと
をさらに含む。
【００３０】
任意選択的に、本方法は、
ユーザ端末によって、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成するステップであって、第3の最終鍵が、ユーザ端末によって第2の基地局に送信されるデータを暗号化するために使用される、ステップと、
第2の基地局によって送信される第1の基地局鍵更新コマンドをユーザ端末によって受信するステップであって、第1の基地局鍵更新コマンドが、第5の中間鍵および第3のカウンタ値を含む、ステップと、
ユーザ端末によって、第5の中間鍵および第3のカウンタ値に基づいて第1の基地局に第6の中間鍵を生成し、第6の中間鍵に基づいて第2の基地局とユーザ端末との間の第4の最終鍵を生成するステップであって、第4の最終鍵が、ユーザ端末によって第2の基地局に送信されるデータを暗号化するために使用される、ステップと
をさらに含む。
【００３１】
任意選択的に、前処理指示メッセージは、第2の基地局を前処理するようにユーザ端末に命令するための指示情報をさらに含み、ユーザ端末は、指示情報に基づいて、第1の基地局との接続を維持することを決定する。
【００３２】
第4の態様によれば、本発明の一実施形態は、ネットワーク側デバイスをさらに提供し、本デバイスは、第1の基地局であり、
ユーザ端末によって送信され、第1の基地局によって受信される第1の測定報告に基づいて、ユーザ端末が前処理することができる第2の基地局を決定するように構成される処理ユニットであって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、処理ユニットと、
第1の要求メッセージを第2の基地局に送信するように構成される送信ユニットであって、第1の要求メッセージが、ユーザ端末が第2の基地局を前処理することができることを示す指示情報を含む、送信ユニットと
を含み、
処理ユニットは、第1の基地局が第2の基地局によって返信される第1の肯定応答メッセージを受信したときに、ユーザ端末は第2の基地局を前処理することができると判断するようにさらに構成され、
送信ユニットは、前処理指示メッセージをユーザ端末に送信し、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ようにさらに構成され、
処理ユニットは、ユーザ端末がデータ送信を行うことができるターゲットの第2の基地局に関する情報を取得するようにさらに構成され、
送信ユニットは、データ送信のためにターゲットの第2の基地局にハンドオーバされるようにユーザ端末に命令するために、またはデータ送信のためにターゲットの第2の基地局を追加するようにユーザ端末に命令するために、第1の指示メッセージをターゲットの第2の基地局に送信するか、または第1の指示メッセージをターゲットの第2の基地局に送信し、かつ第2の指示メッセージをユーザ端末に送信するようにさらに構成される。
【００３３】
任意選択的に、第1の測定報告は、現在のサービングセルに対応する第1の測定結果および現在のサービングセルの隣接セルに対応する第2の測定結果を含み、
処理ユニットは、ユーザ端末によって送信される受信される第1の測定報告に基づいて、ユーザ端末が前処理することができる第2の基地局を決定し、
第1の測定結果が第1の閾値よりも小さい場合、第2の測定結果に基づいて、第2の測定結果に対応する少なくとも1つの第2の基地局を、ユーザ端末が前処理することができる第2の基地局として決定し、第2の測定結果が、第1の測定結果よりも大きい、ように構成される。
【００３４】
任意選択的に、本デバイスは、
受信ユニットであって、該受信ユニットが、ユーザ端末によって送信される第3の指示メッセージを受信するように構成され、第3の指示メッセージが、ターゲットの第2の基地局の識別子を搬送し、ターゲットの第2の基地局が、第2の測定報告に基づいてユーザ端末によって決定され、第2の測定報告が、現在のサービングセルの信号品質情報を含み、第1の測定報告とは異なる、受信ユニットをさらに含み、
送信ユニットは、受信ユニットが第3の指示メッセージを受信したときに、第1の指示メッセージをターゲットの第2の基地局に送信するように構成されるか、または
処理ユニットは、ユーザ端末によって送信される第2の測定報告に基づいてターゲットの第2の基地局を決定するように構成され、
送信ユニットは、第1の指示メッセージをターゲットの第2の基地局に送信し、第2の指示メッセージをユーザ端末に送信するように構成される。
【００３５】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【００３６】
任意選択的に、受信ユニットは、送信ユニットが第1の指示メッセージをターゲットの第2の基地局に送信した後、ターゲットの第2の基地局によって返信される第2の肯定応答メッセージを受信し、第2の肯定応答メッセージが、ユーザ端末のためにターゲットの第2の基地局によって事前設定されたSRB設定情報およびDRB設定情報を含む、ように構成され、
送信ユニットは、SRB設定情報およびDRB設定情報を搬送する第2の指示メッセージをユーザ端末に送信するように特に構成される。
【００３７】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【００３８】
任意選択的に、第1の指示メッセージは、第2の基地局のために第1の基地局によって生成される、第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【００３９】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【００４０】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【００４１】
任意選択的に、送信ユニットは、第1のデータをターゲットの第2の基地局に送信し、第1のデータが、第1の基地局がユーザ端末にまだ送信していないデータである、ようにさらに構成される。
【００４２】
任意選択的に、送信ユニットは、経路切り替えメッセージをMMEに送信し、これにより、MMEが、データ送信経路をハンドオーバ先の最終的な第2の基地局に切り替える、ようにさらに構成される。
【００４３】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBと、ユーザ端末および第1の基地局によって維持されているDRBとの対応関係をさらに含む。
【００４４】
第5の態様によれば、本発明の一実施形態は、ネットワーク側デバイスをさらに提供し、本デバイスは、第2の基地局であり、
第1の基地局によって送信される第1の要求メッセージを受信するように構成される受信ユニットであって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、受信ユニットと、
第1の要求メッセージに基づいてアドミッション制御を行うように構成される処理ユニットと、
処理ユニットがユーザ端末が前処理の実行を許可されていると判断したときに第1の肯定応答メッセージを第1の基地局に送信するように構成される送信ユニットと
を含み、
受信ユニットは、ユーザ端末によって送信されるアクセス要求を受信するようにさらに構成され、処理ユニットが、アクセス要求に基づいてユーザ端末と同期するようにさらに構成され、
受信ユニットは、第1の基地局によって送信される第1の指示メッセージを受信するようにさらに構成され、処理ユニットは、第1の指示メッセージに基づいて第2の基地局とユーザ端末との間でデータ送信を実施するようにさらに構成される。
【００４５】
任意選択的に、第1の要求メッセージは、情報を設定するための設定命令をさらに含み、
処理ユニットは、設定命令に従ってユーザ端末のためにSRBおよびDRBを事前設定するようにさらに構成され、
第1の肯定応答メッセージは、SRBの設定情報およびDRBの設定情報を含む。
【００４６】
任意選択的に、処理ユニットは、受信ユニットが第1の基地局によって送信される第1の指示メッセージを受信した後、第1の指示メッセージならびに第2の基地局にローカルに格納されているSRBの設定情報およびDRBの設定情報に基づいて第2の基地局とユーザ端末との間のSRBおよびDRBを確立するように構成され、
送信ユニットは、経路切り替えメッセージをMMEに送信し、これにより、MMEが、受信した経路切り替えメッセージに基づいてデータ送信経路を第2の基地局に切り替える、ようにさらに構成される。
【００４７】
任意選択的に、送信ユニットは、受信ユニットが第1の基地局によって送信される第1の指示メッセージを受信した後、第2の肯定応答メッセージを第1の基地局に送信し、第2の肯定応答メッセージが、ユーザ端末のために第2の基地局によって事前設定されるSRB設定情報およびDRB設定情報を含む、ように構成され、
処理ユニットは、第1の指示メッセージならびにSRB設定情報およびDRB設定情報に基づいて第2の基地局とユーザ端末との間のSRBおよびDRBを確立するように構成され、
送信ユニットは、経路切り替えメッセージをMMEに送信し、これにより、MMEが、受信した経路切り替えメッセージに基づいてデータ送信経路を第2の基地局に切り替える、ようにさらに構成される。
【００４８】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【００４９】
任意選択的に、受信ユニットは、第1の基地局によって送信される第1のデータを受信し、第1のデータが、第1の基地局がユーザ端末にまだ送信していないデータである、ようにさらに構成される。
【００５０】
任意選択的に、処理ユニットは、
第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成し、第1の最終鍵が、第2の基地局によってユーザ端末に送信されるデータを暗号化するために使用される、ようにさらに構成され、
受信ユニットは、第1の基地局によって送信される鍵更新要求メッセージを受信するようにさらに構成され、
処理ユニットは、第1の基地局におけるユーザ端末の第1の中間鍵と、ユーザ端末のために第2の基地局によって事前設定される第2のカウンタ値とを使用して第3の中間鍵を生成し、第3の中間鍵を鍵更新応答メッセージに追加し、鍵更新応答メッセージを第1の基地局に送信し、第2のカウンタ値が、第1のカウンタ値とは異なる、ようにさらに構成され、
送信ユニットは、第1の基地局鍵更新コマンドをユーザ端末に送信し、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ようにさらに構成される。
【００５１】
任意選択的に、処理ユニットは、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成し、第3の最終鍵が、第2の基地局によってユーザ端末に送信されるデータを暗号化するために使用される、ようにさらに構成され、
受信ユニットは、第1の基地局によって送信される鍵更新要求を受信するようにさらに構成され、
処理ユニットは、第2の基地局におけるユーザ端末の第5の中間鍵および第3のカウンタ値を使用して第6の中間鍵を生成し、第6の中間鍵を鍵更新応答メッセージに追加し、鍵更新応答メッセージを第1の基地局に送信するようにさらに構成され、
送信ユニットは、鍵更新コマンドをユーザ端末に送信し、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ようにさらに構成される。
【００５２】
第6の態様によれば、本発明の一実施形態は、ユーザ端末であって、
第1の測定報告を第1の基地局に送信し、これにより、第1の基地局が、第1の測定報告に基づいて、ユーザ端末が前処理することができる第2の基地局を決定する、ように構成される送信ユニットであって、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、送信ユニットと、
第1の基地局によって送信される前処理指示メッセージを受信するように構成される受信ユニットであって、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、受信ユニットと
を含み、
送信ユニットが、第2の基地局に対する前処理を実施するために、前処理指示メッセージに基づいて、第2のコンポーネントキャリアでランダムアクセス要求を第2の基地局に送信するようにさらに構成され、
受信ユニットが、第1の基地局によって送信される第2の指示メッセージを受信するようにさらに構成され、ユーザ端末が、
第2の指示メッセージに基づいてユーザ端末と第2の基地局との間でデータ送信を実施するように構成される処理ユニットをさらに含む、ユーザ端末を提供する。
【００５３】
任意選択的に、前処理指示メッセージは、ユーザ端末のために第2の基地局によって事前設定されるSRB設定情報およびDRB設定情報をさらに含み、
処理ユニットは、受信ユニットが第1の基地局によって送信される第2の指示メッセージを受信した後、第2の基地局との間でデータ送信を実施するために、SRB設定情報およびDRB設定情報に基づいてユーザ端末と第2の基地局との間のSRBおよびDRBを確立するように構成される。
【００５４】
任意選択的に、第2の指示メッセージは、ユーザ端末のために第2の基地局によって事前設定されるSRB設定情報およびDRB設定情報をさらに含み、
処理ユニットは、受信ユニットが第1の基地局によって送信される第2の指示メッセージを受信した後、第2の基地局との間でデータ送信を実施するために、第2の指示メッセージ内のSRB設定情報およびDRB設定情報に基づいてユーザ端末と第2の基地局との間のSRBおよびDRBを確立するように構成される。
【００５５】
任意選択的に、処理ユニットは、第1の基地局におけるユーザ端末の第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成し、第1の最終鍵が、ユーザ端末によって第2の基地局に送信されるデータを暗号化するために使用される、ようにさらに構成され、
受信ユニットは、第2の基地局によって送信される第1の基地局鍵更新コマンドを受信し、第1の基地局鍵更新コマンドが、ユーザ端末のために第2の基地局によって事前設定される第2のカウンタ値を含み、第2のカウンタ値が、第1のカウンタ値とは異なる、ようにさらに構成され、
処理ユニットは、第1の中間鍵および第2のカウンタ値に基づいて第1の基地局にユーザ端末の第3の中間鍵を生成し、第3の中間鍵に基づいて第1の基地局にユーザ端末の第2の最終鍵を生成し、第2の最終鍵が、ユーザ端末によって第1の基地局に送信されるデータを暗号化するために使用される、ようにさらに構成される。
【００５６】
任意選択的に、処理ユニットは、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成し、第3の最終鍵が、ユーザ端末によって第2の基地局に送信されるデータを暗号化するために使用される、ようにさらに構成され、
受信ユニットは、第2の基地局によって送信される第1の基地局鍵更新コマンドを受信し、第1の基地局鍵更新コマンドが、第5の中間鍵および第3のカウンタ値を含む、ようにさらに構成され、
処理ユニットは、第5の中間鍵および第3のカウンタ値に基づいて第1の基地局に第6の中間鍵を生成し、第6の中間鍵に基づいて第2の基地局とユーザ端末との間の第4の最終鍵を生成し、第4の最終鍵が、ユーザ端末によって第2の基地局に送信されるデータを暗号化するために使用される、ようにさらに構成される。
【００５７】
任意選択的に、前処理指示メッセージは、第2の基地局を前処理するようにユーザ端末に命令するための指示情報をさらに含み、
処理ユニットは、指示情報に基づいて、ユーザ端末と第1の基地局との接続を維持することを決定するようにさらに構成される。
【００５８】
第7の態様によれば、本発明の一実施形態は、ネットワーク側デバイスをさらに提供し、本デバイスは、第1の基地局であり、
ユーザ端末によって送信され、第1の基地局によって受信される第1の測定報告に基づいて、ユーザ端末が前処理することができる第2の基地局を決定するように構成されるプロセッサであって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、プロセッサと、
第1の要求メッセージを第2の基地局に送信するように構成される送信機であって、第1の要求メッセージが、ユーザ端末が第2の基地局を前処理することができることを示す指示情報を含む、送信機と
を含み、
プロセッサは、第1の基地局が第2の基地局によって返信される第1の肯定応答メッセージを受信したときに、ユーザ端末は第2の基地局を前処理することができると判断するようにさらに構成され、
送信機は、前処理指示メッセージをユーザ端末に送信し、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ようにさらに構成され、
プロセッサは、ユーザ端末がデータ送信を行うことができるターゲットの第2の基地局に関する情報を取得するようにさらに構成され、
送信機は、データ送信のためにターゲットの第2の基地局にハンドオーバされるようにユーザ端末に命令するために、またはデータ送信のためにターゲットの第2の基地局を追加するようにユーザ端末に命令するために、第1の指示メッセージをターゲットの第2の基地局に送信するか、または第1の指示メッセージをターゲットの第2の基地局に送信し、かつ第2の指示メッセージをユーザ端末に送信するようにさらに構成される。
【００５９】
任意選択的に、第1の測定報告は、現在のサービングセルに対応する第1の測定結果および現在のサービングセルの隣接セルに対応する第2の測定結果を含み、
プロセッサは、ユーザ端末によって送信される受信される第1の測定報告に基づいて、ユーザ端末が前処理することができる第2の基地局を決定し、
第1の測定結果が第1の閾値よりも小さい場合、第2の測定結果に基づいて、第2の測定結果に対応する少なくとも1つの第2の基地局を、ユーザ端末が前処理することができる第2の基地局として決定し、第2の測定結果が、第1の測定結果よりも大きい、ように構成される。
【００６０】
任意選択的に、本デバイスは、
受信機であって、該受信機が、ユーザ端末によって送信される第3の指示メッセージを受信するように構成され、第3の指示メッセージが、ターゲットの第2の基地局の識別子を搬送し、ターゲットの第2の基地局が、第2の測定報告に基づいてユーザ端末によって決定され、第2の測定報告が、現在のサービングセルの信号品質情報を含み、第1の測定報告とは異なる、受信機
をさらに含み、
送信機は、受信機が第3の指示メッセージを受信したときに、第1の指示メッセージをターゲットの第2の基地局に送信するように構成されるか、または
プロセッサは、ユーザ端末によって送信される第2の測定報告に基づいてターゲットの第2の基地局を決定するように構成され、送信機は、第1の指示メッセージをターゲットの第2の基地局に送信し、第2の指示メッセージをユーザ端末に送信するように構成される。
【００６１】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【００６２】
任意選択的に、受信機は、送信機が第1の指示メッセージをターゲットの第2の基地局に送信した後、ターゲットの第2の基地局によって返信される第2の肯定応答メッセージを受信し、第2の肯定応答メッセージが、ユーザ端末のためにターゲットの第2の基地局によって事前設定されたSRB設定情報およびDRB設定情報を含む、ように構成され、
送信機は、SRB設定情報およびDRB設定情報を搬送する第2の指示メッセージをユーザ端末に送信するように特に構成される。
【００６３】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【００６４】
任意選択的に、第1の指示メッセージは、第2の基地局のために第1の基地局によって生成される、第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【００６５】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【００６６】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【００６７】
任意選択的に、送信機は、第1のデータをターゲットの第2の基地局に送信し、第1のデータが、第1の基地局がユーザ端末にまだ送信していないデータである、ようにさらに構成される。
【００６８】
任意選択的に、送信機は、経路切り替えメッセージをMMEに送信し、これにより、MMEが、データ送信経路をハンドオーバ先の最終的な第2の基地局に切り替える、ようにさらに構成される。
【００６９】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBと、ユーザ端末および第1の基地局によって維持されているDRBとの対応関係をさらに含む。
【００７０】
第8の態様によれば、本発明の一実施形態は、ネットワーク側デバイスをさらに提供し、本デバイスは、第2の基地局であり、
第1の基地局によって送信される第1の要求メッセージを受信するように構成される受信機であって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、受信機と、
第1の要求メッセージに基づいてアドミッション制御を行うように構成されるプロセッサと、
プロセッサがユーザ端末が前処理の実行を許可されていると判断したときに第1の肯定応答メッセージを第1の基地局に送信するように構成される送信機と
を含み、
受信機は、ユーザ端末によって送信されるアクセス要求を受信するようにさらに構成され、プロセッサは、アクセス要求に基づいてユーザ端末と同期するようにさらに構成され、
受信機は、第1の基地局によって送信される第1の指示メッセージを受信するようにさらに構成され、プロセッサは、第1の指示メッセージに基づいて第2の基地局とユーザ端末との間でデータ送信を実施するようにさらに構成される。
【００７１】
任意選択的に、第1の要求メッセージは、情報を設定するための設定命令をさらに含み、
プロセッサは、設定命令に従ってユーザ端末のためにSRBおよびDRBを事前設定するようにさらに構成され、
第1の肯定応答メッセージは、SRBの設定情報およびDRBの設定情報を含む。
【００７２】
任意選択的に、プロセッサは、受信機が第1の基地局によって送信される第1の指示メッセージを受信した後、第1の指示メッセージならびに第2の基地局にローカルに格納されているSRBの設定情報およびDRBの設定情報に基づいて第2の基地局とユーザ端末との間のSRBおよびDRBを確立するように構成され、
送信機は、経路切り替えメッセージをMMEに送信し、これにより、MMEが、受信した経路切り替えメッセージに基づいてデータ送信経路を第2の基地局に切り替える、ようにさらに構成される。
【００７３】
任意選択的に、送信機は、受信機が第1の基地局によって送信される第1の指示メッセージを受信した後、第2の肯定応答メッセージを第1の基地局に送信し、第2の肯定応答メッセージが、ユーザ端末のために第2の基地局によって事前設定されるSRB設定情報およびDRB設定情報を含む、ように構成され、
プロセッサは、第1の指示メッセージならびにSRB設定情報およびDRB設定情報に基づいて第2の基地局とユーザ端末との間のSRBおよびDRBを確立するように構成され、
送信機は、経路切り替えメッセージをMMEに送信し、これにより、MMEが、受信した経路切り替えメッセージに基づいてデータ送信経路を第2の基地局に切り替える、ようにさらに構成される。
【００７４】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【００７５】
任意選択的に、受信機は、第1の基地局によって送信される第1のデータを受信し、第1のデータが、第1の基地局がユーザ端末にまだ送信していないデータである、ようにさらに構成される。
【００７６】
任意選択的に、プロセッサは、
第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成し、第1の最終鍵が、第2の基地局によってユーザ端末に送信されるデータを暗号化するために使用される、ようにさらに構成され、
受信機は、第1の基地局によって送信される鍵更新要求メッセージを受信するようにさらに構成され、
プロセッサは、第1の基地局におけるユーザ端末の第1の中間鍵と、ユーザ端末のために第2の基地局によって事前設定される第2のカウンタ値とを使用して第3の中間鍵を生成し、第3の中間鍵を鍵更新応答メッセージに追加し、鍵更新応答メッセージを第1の基地局に送信し、第2のカウンタ値が、第1のカウンタ値とは異なる、ようにさらに構成され、
送信機は、第1の基地局鍵更新コマンドをユーザ端末に送信し、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ようにさらに構成される。
【００７７】
任意選択的に、プロセッサは、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成し、第3の最終鍵が、第2の基地局によってユーザ端末に送信されるデータを暗号化するために使用される、ようにさらに構成され、
受信機は、第1の基地局によって送信される鍵更新要求を受信するようにさらに構成され、
プロセッサは、第2の基地局におけるユーザ端末の第5の中間鍵および第3のカウンタ値を使用して第6の中間鍵を生成し、第6の中間鍵を鍵更新応答メッセージに追加し、鍵更新応答メッセージを第1の基地局に送信するようにさらに構成され、
送信機は、鍵更新コマンドをユーザ端末に送信し、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ようにさらに構成される。
【００７８】
第9の態様によれば、本発明の一実施形態は、ユーザ端末であって、
第1の測定報告を第1の基地局に送信し、これにより、第1の基地局が、第1の測定報告に基づいて、ユーザ端末が前処理することができる第2の基地局を決定する、ように構成される送信機であって、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、送信機と、
第1の基地局によって送信される前処理指示メッセージを受信するように構成される受信機であって、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、受信機と
を含み、
送信機が、第2の基地局に対する前処理を実施するために、前処理指示メッセージに基づいて、第2のコンポーネントキャリアでランダムアクセス要求を第2の基地局に送信するようにさらに構成され、
受信機が、第1の基地局によって送信される第2の指示メッセージを受信するようにさらに構成され、ユーザ端末が、
第2の指示メッセージに基づいてユーザ端末と第2の基地局との間でデータ送信を実施するように構成されるプロセッサをさらに含む、ユーザ端末をさらに提供する。
【００７９】
任意選択的に、前処理指示メッセージは、ユーザ端末のために第2の基地局によって事前設定されるSRB設定情報およびDRB設定情報をさらに含み、
プロセッサは、受信機が第1の基地局によって送信される第2の指示メッセージを受信した後、第2の基地局との間でデータ送信を実施するために、SRB設定情報およびDRB設定情報に基づいてユーザ端末と第2の基地局との間のSRBおよびDRBを確立するように構成される。
【００８０】
任意選択的に、第2の指示メッセージは、ユーザ端末のために第2の基地局によって事前設定されるSRB設定情報およびDRB設定情報をさらに含み、
プロセッサは、受信機が第1の基地局によって送信される第2の指示メッセージを受信した後、第2の基地局との間でデータ送信を実施するために、第2の指示メッセージ内のSRB設定情報およびDRB設定情報に基づいてユーザ端末と第2の基地局との間のSRBおよびDRBを確立するように構成される。
【００８１】
任意選択的に、プロセッサは、第1の基地局におけるユーザ端末の第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成し、第1の最終鍵が、ユーザ端末によって第2の基地局に送信されるデータを暗号化するために使用される、ようにさらに構成され、
受信機は、第2の基地局によって送信される第1の基地局鍵更新コマンドを受信し、第1の基地局鍵更新コマンドが、ユーザ端末のために第2の基地局によって事前設定される第2のカウンタ値を含み、第2のカウンタ値が、第1のカウンタ値とは異なる、ようにさらに構成され、
プロセッサは、第1の中間鍵および第2のカウンタ値に基づいて第1の基地局にユーザ端末の第3の中間鍵を生成し、第3の中間鍵に基づいて第1の基地局にユーザ端末の第2の最終鍵を生成し、第2の最終鍵が、ユーザ端末によって第1の基地局に送信されるデータを暗号化するために使用される、ようにさらに構成される。
【００８２】
任意選択的に、プロセッサは、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成し、第3の最終鍵が、ユーザ端末によって第2の基地局に送信されるデータを暗号化するために使用される、ようにさらに構成され、
受信機は、第2の基地局によって送信される第1の基地局鍵更新コマンドを受信し、第1の基地局鍵更新コマンドが、第5の中間鍵および第3のカウンタ値を含む、ようにさらに構成され、
プロセッサは、第5の中間鍵および第3のカウンタ値に基づいて第1の基地局に第6の中間鍵を生成し、第6の中間鍵に基づいて第2の基地局とユーザ端末との間の第4の最終鍵を生成し、第4の最終鍵が、ユーザ端末によって第2の基地局に送信されるデータを暗号化するために使用される、ようにさらに構成される。
【００８３】
任意選択的に、前処理指示メッセージは、第2の基地局を前処理するようにユーザ端末に命令するための指示情報をさらに含み、
プロセッサは、指示情報に基づいて、ユーザ端末と第1の基地局との接続を維持することを決定するようにさらに構成される。
【００８４】
第10の態様によれば、本発明の一実施形態は、上記の様々な態様におけるネットワーク側デバイスおよびユーザ端末を含む通信システムをさらに提供する。
【００８５】
本発明の実施形態で提供される通信方法、ネットワーク側デバイス、ユーザ端末、および通信システムによれば、ユーザ端末は、第1のコンポーネントキャリアを使用して第1の基地局に接続され、第1の基地局は、ユーザ端末が第2のコンポーネントキャリアで第2の基地局とのアップリンク同期を行うことができることを示すために前処理指示メッセージをユーザ端末に送信し、ユーザ端末がデータ送信を行う必要があるターゲットの第2の基地局を取得したとき、第1の基地局は、ユーザ端末との間でデータ送信を行うようにターゲットの第2の基地局に命令するために第1の指示メッセージをターゲットの第2の基地局に送信する。第1の基地局が、ユーザ端末との間でデータ送信を行うようにターゲット第2の基地局に命令するために第1の指示メッセージをターゲットの第2の基地局に送信する前に、ユーザ端末は、第1の基地局との接続を維持しながら、第2のコンポーネントキャリアを使用して第2の基地局とのアップリンク同期を確立している。したがって、第1の基地局が、ターゲットの第2の基地局へのユーザ端末の実際のハンドオーバの実施を命令するために第1の指示メッセージをターゲットの第2の基地局に送信したとき、ユーザ端末を、第1の基地局から第2の基地局に迅速にハンドオーバすることができ、これにより、ハンドオーバ待ち時間が短縮され、第2の基地局との間でデータ送信が迅速に実施される。
【００８６】
本発明の実施形態の技術的解決策をより明確に説明するために、以下では、実施形態を説明するために必要な添付図面について簡単に説明する。明らかに、以下の説明の添付図面は、本発明の一部の実施形態を示しており、当業者は、創造的な努力なしにこれらの添付図面から他の図面を得ることができる。
【図面の簡単な説明】
【００８７】
【図１】本発明の一実施形態による通信システムの構造フレームワークの概略図である。
【図２】本発明の一実施形態による通信方法の概略フローチャートである。
【図３】本発明の別の実施形態による通信方法の概略フローチャートである。
【図４】本発明の一実施形態による通信方法の鍵更新の概略フローチャートである。
【図５】本発明の一実施形態によるネットワーク側デバイスのフレームワークの概略構成図である。
【図６】本発明の別の実施形態によるネットワーク側デバイスのフレームワークの概略構成図である。
【図７】本発明の別の実施形態によるユーザ端末のフレームワークの概略構成図である。
【図８】本発明の別の実施形態によるネットワーク側デバイスのフレームワークの概略構成図である。
【図９】本発明の別の実施形態によるネットワーク側デバイスのフレームワークの概略構成図である。
【図１０】本発明の別の実施形態によるユーザ端末のフレームワークの概略構成図である。
【図１１】本発明の別の実施形態による通信システムのフレームワークの概略構成図である。
【発明を実施するための形態】
【００８８】
本発明の実施形態の目的、技術的解決策、および利点をより明確にするために、以下では、本発明の実施形態の添付図面を参照しながら本発明の実施形態の技術的解決策を明確かつ完全に説明する。明らかに、説明されている実施形態は、本発明の実施形態の一部であり、本発明の実施形態の全部ではない。創造的な努力なしに本発明の実施形態に基づいて当業者によって得られる他のすべての実施形態は、本発明の保護範囲内に含まれるものとする。
【００８９】
図1は、本発明の一実施形態による通信システムの構造フレームワークの概略図である。
【００９０】
図1を参照すると、基地局モビリティ管理に基づく通信システムは、第1の基地局10、第2の基地局20、ユーザ機器（UE）30、およびモビリティ管理エンティティ（MME）を含む。UE30は、第1のコンポーネントキャリアを使用して第1の基地局10に接続され、第1の基地局10との間でデータ送信を行う。UEは、キャリアアグリゲーション（CA）またはデュアルコネクティビティ（DC）能力を有するUEである。
【００９１】
本発明の実施形態における通信方法、ネットワーク側デバイス、およびユーザ端末は、UEと第1の基地局との間の信号の品質がある程度低下したときにUEが第2の基地局との間でデータ送信を行うことができるように第1の基地局から第2の基地局へのUEのハンドオーバを実施するために、または第1の基地局と第2の基地局との間でのプライマリ／セカンダリの切り替えおよびUEと第2の基地局との間のデータ送信を実施できるように第2の基地局との接続を追加するために使用される。本発明の実施形態における通信方法、ネットワーク側デバイス、およびユーザ端末によれば、UEがデータ送信のために第2の基地局にハンドオーバされるまたは第2の基地局を追加する前、UEは、第1のコンポーネントキャリアとは異なる第2のコンポーネントキャリアを使用して第2の基地局とのアップリンク同期を事前に確立するが、第2の基地局との間で実際のデータ送信を行わない。UEが実際に第2の基地局にハンドオーバされた後または第2の基地局および第1の基地局がプライマリ／セカンダリの切り替えを完了した後、UEは、第2の基地局との間でデータ送信を実施する。第2の基地局へのハンドオーバまたは第2の基地局の追加が実際に実施される前に、UEは、第2の基地局とのアップリンク同期を完了し、第2の基地局との接続を確立している。ハンドオーバが実際に実施されたとき、UEを、第1の基地局から第2の基地局に迅速にハンドオーバすることができ、これにより、ハンドオーバ待ち時間が短縮され、第2の基地局との間でデータ送信が迅速に実施される。
【００９２】
図2は、本発明の一実施形態による通信方法の概略フローチャートである。図3は、本発明の別の実施形態による通信方法の概略フローチャートである。
【００９３】
図2および図3を参照すると、本発明の実施形態における通信方法は、以下のステップを含む。
【００９４】
S101：UEが、第1の測定報告を第1の基地局に送信するステップであって、これにより、第1の基地局が、第1の測定報告に基づいて、UEが前処理することができる第2の基地局を決定し、前処理が、第2の基地局に対する事前ハンドオーバまたは第2の基地局の事前追加を含むが、第2の基地局を用いたデータ送信を含まず、UEが、第1のコンポーネントキャリアを使用して第1の基地局に接続され、第1の測定報告が、現在のサービングセルの信号品質情報および現在のサービングセルの隣接セルの信号品質情報を含む、ステップ。
【００９５】
S102：第1の基地局が、UEによって送信された受信された第1の測定報告に基づいて、UEが前処理することができる第2の基地局を決定するステップ。
【００９６】
具体的には、第1の測定報告は、現在のサービングセルに対応する第1の測定結果および現在のサービングセルの隣接セルに対応する第2の測定結果を含む。第1の測定結果は、現在のサービングセルの信号強度であってもよく、第2の測定結果は、隣接セルの信号強度であってもよい。あるいは、第1の測定結果および第2の測定結果は、現在のサービングセルおよび隣接セルの信号品質を反映することができる他のパラメータであってもよい。
【００９７】
UEによって送信された受信された第1の測定報告に基づいて、第1の基地局によって、UEが前処理することができる第2の基地局を決定するステップは、
第1の測定結果が第1の閾値よりも小さい場合に、第2の測定結果に基づいて、第1の基地局によって、第2の測定結果に対応する少なくとも1つの第2の基地局を、UEが前処理することができる第2の基地局として決定するステップであって、第2の測定結果が、第1の測定結果よりも大きい、ステップ
を含む。
【００９８】
具体的には、現在のサービングセルの信号強度が第1の閾値よりも小さい場合、それは、現在のサービングセルの信号強度が不十分であり、前処理することができる第2の基地局を決定する必要があることを示す。第1の基地局は、信号強度が現在のサービングセルよりも大きい隣接セルから、最も強い信号強度の隣接セルに対応する基地局を、UEが前処理することができる第2の基地局として決定するか、または比較的強い信号強度の複数の隣接セルに対応する基地局を、UEが前処理することができる第2の基地局として決定する。
【００９９】
S103：第1の基地局が第1の要求メッセージを第2の基地局に送信するステップであって、第1の要求メッセージが、UEの識別子と、UEが第2の基地局を前処理することができることを示す指示情報とを含む、ステップ。
【０１００】
具体的には、UEが第2の基地局を前処理することができることを示す指示情報は、UEが第2の基地局とのアップリンク同期を確立することができることを第2の基地局に通知するために使用される。
【０１０１】
S104：第2の基地局が、第1の基地局によって送信された第1の要求メッセージを受信し、第1の要求メッセージに基づいてアドミッション制御を行い、UEが前処理の実行を許可されていると判断したときに第1の肯定応答メッセージを第1の基地局に返信するステップ。
【０１０２】
S105：第1の基地局が、第2の基地局によって返信された第1の肯定応答メッセージを受信したときに、UEは第2の基地局を前処理することができると判断し、前処理指示メッセージをUEに送信するステップであって、前処理指示メッセージが、UEが前処理を行うときに第2の基地局とのアップリンク同期を行う第2のコンポーネントキャリアに関する情報を含み、第2のコンポーネントキャリアが、第1のコンポーネントキャリアとは異なる、ステップ。
【０１０３】
前処理指示メッセージは、事前ハンドオーバが行われ得る1つ以上の第2の基地局に関する情報（識別子など）と、1つ以上の第2の基地局に対するUEの事前ハンドオーバ中のアップリンク同期に使用されるコンポーネントキャリアに関する情報、すなわち、第2のコンポーネントキャリアに関する情報とを含む。
【０１０４】
S106：UEが、第1の基地局によって送信された前処理指示メッセージを受信し、第2の基地局に対する前処理を実施するために、前処理指示メッセージに基づいて、第2のコンポーネントキャリアでランダムアクセス要求を第2の基地局に送信するステップ。
【０１０５】
前処理指示メッセージは、第2の基地局を前処理するようにUEに命令するための指示情報をさらに含む。UEは、指示情報に基づいて、第1の基地局との接続を維持することを決定する。
【０１０６】
具体的には、前処理指示メッセージは、第2の基地局との接続を確立するが、第2の基地局との間でデータ送信を行わないように、第1の基地局との接続を維持しながら第2の基地局とのアップリンク同期を行うようにUEに命令するために使用される。
【０１０７】
S107：第2の基地局が、UEによって送信されたランダムアクセス要求を受信し、ランダムアクセス要求に基づいてUEと同期するステップ。
【０１０８】
具体的には、UEは、ハンドオーバコマンドで通知されたコンポーネントキャリアで対応する第2の基地局に対してランダムアクセス手順を実行し、第2の基地局との同期を要求するためにランダムアクセスプリアンブルを送信する。この点に関して、ランダムアクセスプリアンブルは、第1の基地局および1つ以上の第2の基地局によってネゴシエートされた、事前ハンドオーバのための共通ランダムアクセスプリアンブルであってもよい。
【０１０９】
UEは、第2の基地局によって送信されるランダムアクセス応答メッセージを受信する。ランダムアクセス応答メッセージは、アップリンクタイミング事前情報を含み、UEに割り当てられたULリソースに関する情報をさらに含む。
【０１１０】
UEは、事前同期プロセスが完了したことを示すために、割り当てられたアップリンクリソースを使用して事前同期完了指示メッセージを第2の基地局に送信する。事前ハンドオーバ完了メッセージは、UEの識別子情報を含む。次に、UEが事前ハンドオーバを終了したと判断した後、第2の基地局は、事前ハンドオーバ完了指示を第1の基地局に送信する。
【０１１１】
あるいは、事前ハンドオーバが完了したと判断した後、UEは、事前ハンドオーバ完了指示を第1の基地局に送信してもよい。次に、第1の基地局はまた、UEが事前ハンドオーバを終了したという指示を第2の基地局に送信してもよい。
【０１１２】
あるいは、UEは、事前ハンドオーバ完了指示を第1の基地局と第2の基地局の両方に送信してもよい。
【０１１３】
UEが複数の第2の基地局と事前同期を行う必要があるとき、UEは、事前同期を異なる時間にまたは同時に行ってもよいことに留意されたい。UEによって同時にサポートされるアップリンクキャリアが不十分であるとき、UEは、複数の第2の基地局に対する事前ハンドオーバまたは複数の第2の基地局の事前追加を異なる時間に行ってもよい。UEによって同時にサポートされるアップリンクキャリアが十分である場合、UEは、複数の第2の基地局に対する事前ハンドオーバまたは複数の第2の基地局の事前追加を同時に行ってもよい。さらに、UEによって異なる時間のハンドオーバに使用される特定の時間パターンが、UEのために第1の基地局によって前処理指示メッセージに設定されてもよい。
【０１１４】
さらに、事前ハンドオーバまたは事前追加の準備において、UEが、複数のコンポーネントキャリアで現在通信を行っており、第2の基地局に対する事前ハンドオーバまたは第2の基地局の事前追加のために、使用されていないコンポーネントキャリアまたは予備能力を有さない場合、ハンドオーバコマンドにおいて、第1の基地局は、1つ以上の特定のコンポーネントキャリアでの通信を中断して、第2の基地局に対する事前ハンドオーバまたは第2の基地局の事前追加を最初に行うようにUEに命令してもよい。
【０１１５】
S108．第1の基地局が、UEがデータ送信を行うことができるターゲットの第2の基地局に関する情報を取得するステップ。
【０１１６】
前処理を完了した後、UEは、第2の基地局とのアップリンク同期を維持するために、周期（この周期は、UEのために第1の基地局もしくは第2の基地局によって前処理指示メッセージに設定されてもよい）またはイベント（例えば、UEと第1の基地局との間の信号の品質が特定の閾値よりも低い）に基づいてSRS信号などのアップリンク同期維持信号を第2の基地局に送信してもよい。UEが第2の基地局とのアップリンク同期を維持することができないとき、UEは、UEと第2の基地局がアップリンク同期していないことを示す指示情報を第1の基地局に報告する。さらに、UEは、周期またはイベントに基づいて第2の測定報告を第1の基地局に送信し続ける。第2の測定報告は、現在のサービングセルの信号品質情報を含み、第1の測定報告とは異なる。
【０１１７】
具体的には、第2の測定報告における現在のサービングセルの信号品質が第2の閾値よりも低いとき、UEはデータ送信のために第2の基地局にハンドオーバされるまたはデータ送信のために第2の基地局を追加する必要がある。
【０１１８】
第1の基地局は、以下の方法で、UEがデータ送信を行うことができるターゲットの第2の基地局に関する情報を取得することができる。
【０１１９】
一実施態様では、第1の基地局は、UEによって送信される第2の測定報告を受信し、UEによって送信される第2の測定報告に基づいて、UEは第2の基地局にハンドオーバされるまたは第2の基地局を追加する必要があると判断し、UEがデータ送信を行うことができるターゲットの第2の基地局を決定する。UEが前処理することができる複数の第2の基地局が存在する場合、最良の信号品質の第2の基地局が、複数の第2の基地局の中からターゲットの第2の基地局として決定される。
【０１２０】
別の実施態様では、UEは、第2の測定報告に基づいて、第2の基地局へのハンドオーバまたは第2の基地局の追加が必要であると判断し、UEがデータ送信を行うことができるターゲットの第2の基地局を決定する。UEが前処理することができる複数の第2の基地局が存在する場合、UEは、複数の第2の基地局の中から最良の信号品質の第2の基地局をターゲットの第2の基地局として決定し、ターゲットの第2の基地局に関する情報を第1の基地局に送信する。
【０１２１】
S109：第1の基地局が、データ送信のためにターゲットの第2の基地局にハンドオーバされるようにUEに命令するために、またはデータ送信のためにターゲットの第2の基地局を追加するようにUEに命令するために、第1の指示メッセージをターゲットの第2の基地局に送信するか、または第1の指示メッセージをターゲットの第2の基地局に送信し、かつ第2の指示メッセージをUEに送信するステップ。
【０１２２】
具体的には、ターゲットの第2の基地局を取得する一実施態様によれば、UEは、第2の測定報告に基づいてターゲットの第2の基地局を決定してもよい。第1の基地局は、UEによって送信される第3の指示メッセージを受信し、第3の指示メッセージは、ターゲットの第2の基地局の識別子を搬送する。第1の基地局は、UEが第1の基地局からターゲットの第2の基地局にハンドオーバされ得ることを示すために、第1の指示メッセージをターゲットの第2の基地局に送信する。さらに、UEは、データ送信のためにUEがターゲットの第2の基地局にハンドオーバされ得るまたはターゲットの第2の基地局を追加し得ることをターゲットの第2の基地局に通知するために、代替的に第4の指示メッセージをターゲットの第2の基地局に送信してもよい。
【０１２３】
あるいは、ターゲットの第2の基地局を取得する他の実施態様によれば、第1の基地局は、UEによって送信される第2の測定報告に基づいてターゲットの第2の基地局を決定し、第1の指示メッセージをターゲットの第2の基地局に送信し、第2の指示メッセージをUEに送信する。
【０１２４】
S110：第2の基地局が、第1の基地局によって送信された第1の指示メッセージを受信し、第1の指示メッセージに基づいてUEとの間でデータ送信を実施するステップ。
【０１２５】
S111：UEが、第1の基地局によって送信された第2の指示メッセージを受信し、第2の指示メッセージに基づいてUEと第2の基地局との間でデータ送信を実施するステップ。
【０１２６】
具体的には、UEと第2の基地局との間のデータ送信は、以下の方法（これに限定されないが）で実施されてもよい。
【０１２７】
一実施態様では、第1の基地局によって第2の基地局に送信される第1の要求メッセージは、情報を設定するための設定命令を含み、これにより、第2の基地局は、設定命令に従ってUEのためにシグナリング無線ベアラ（SRB）およびデータ無線ベアラ（DRB）を事前設定する。
【０１２８】
第2の基地局がUEのためにSRBを確立し、DRBを設定または確立するプロセスをサポートするために、第1の基地局は、参照のために設定情報の第2の基地局にUEと第1の基地局との間のSRBおよびDRBを通知してもよい。
【０１２９】
第1の要求メッセージを受信した後、第2の基地局は、UEが前処理の実行を許可されていると判断したら、UEのためにSRBを確立し、DRBを設定または確立する。この場合、第1の肯定応答メッセージおよび前処理指示メッセージの両方が、SRBの設定情報およびDRBの設定情報を含む。
【０１３０】
第1の指示メッセージを受信した後、第2の基地局は、第2の基地局とUEとの間のSRBおよびDRBを最初に確立する。具体的には、第2の基地局とUEとの間のSRBおよびDRBを確立することは、SRBのためにパケット・データ・コンバージェンス・プロトコルPDCP（PDCP）エンティティ、無線リンク制御層（RLC）エンティティ、および媒体アクセス制御（MAC）エンティティなどの対応するL2エンティティを確立することならびにDRBのために対応するPDCPエンティティ、RLCエンティティ、およびMACエンティティを確立することを含む。次に、確立されたPDCPエンティティ、RLCエンティティ、およびMACエンティティを使用して、第2の基地局は、UEによって送信されるアップリンクデータを受信し、ダウンリンクデータをUEに送信する。
【０１３１】
次に、第1の基地局は、第1の基地局がUEにまだ送信していないデータをターゲットの第2の基地局に転送し、経路切り替えメッセージをモビリティ管理エンティティ（MME）に送信し、これにより、MMEは、ハンドオーバ先または追加対象の最終的な第2の基地局にデータ送信経路を切り替える。
【０１３２】
第2の指示メッセージを受信した後、UEは、第2の基地局との間でデータ送信を行うために、第2の基地局によって事前設定されたSRBおよびDRBの格納された設定情報を使用してUEと第2の基地局との間のSRBおよびDRBを最初に確立する。具体的には、UEと第2の基地局との間のSRBおよびDRBを確立することは、SRBのために対応するL2エンティティ（例えば、PDCPエンティティ、RLCエンティティ、およびMACエンティティ）を確立することならびにDRBのために対応するPDCPエンティティ、RLCエンティティ、およびMACエンティティを確立することを含む。次に、確立されたPDCPエンティティ、RLCエンティティ、およびMACエンティティを使用して、UEは、第2の基地局によって送信されるダウンリンクデータを受信し、アップリンクデータを第2の基地局に送信する。
【０１３３】
別の実施態様では、第1の指示メッセージをターゲットの第2の基地局に送信した後、第1の基地局は、ターゲットの第2の基地局によって返信される第2の肯定応答メッセージであって、UEのためにターゲットの第2の基地局によって事前設定されたSRB設定情報およびDRB設定情報を含む第2の肯定応答メッセージを受信し、
第1の基地局は、SRB設定情報およびDRB設定情報を搬送する第2の指示メッセージをUEに送信する。
【０１３４】
任意選択的に、第2の指示メッセージは、鍵更新カウンタなどの鍵更新パラメータをさらに含んでもよい。
【０１３５】
第1の基地局が、第2の測定報告に基づいて、UEがデータ送信のために第2の基地局にハンドオーバされるべきであるまたは第2の基地局を追加するべきであると判断したとき、第1の基地局は、経路切り替えメッセージをMMEに送信し、これにより、MMEは、データ送信経路を第2の基地局に切り替える。あるいは、第1の基地局によって送信された第1の指示情報を受信した後、第2の基地局は、経路切り替えメッセージをMMEに送信してもよい。
【０１３６】
第2の指示メッセージを受信した後、UEは、鍵更新を行い、第2の基地局との間でデータ送信を行うために、第2の基地局によって事前設定されたSRB設定情報およびDRB設定情報を使用してUEと第2の基地局との間のSRBおよびDRBを最初に確立する。
【０１３７】
具体的には、第1の基地局によって第2の基地局に送信される第1の指示メッセージは、の第2の基地局のために第1の基地局によって生成される、の第2の基地局とUEとの間の第1の中間鍵をさらに含む。第1の基地局によって送信された第2の指示メッセージを受信した後、UEは、UEと第1の基地局との間の第2の中間鍵に基づいてUEとターゲットの第2の基地局との間の第1の中間鍵を生成し、次に、UEと第2の基地局との間の最終鍵を生成し、最終鍵は、UEによって第2の基地局に送信されるデータを暗号化するために使用される。
【０１３８】
別の実施態様では、第1の基地局によって第2の基地局に送信される第1の要求メッセージは、UEのためにSRBを確立し、DRBを確立するか、またはDRBの設定情報を事前設定するように第2の基地局に命令するための指示情報をさらに含み、
第2の基地局によって第1の基地局に送信される第1の肯定応答メッセージおよび第1の基地局によってUEに送信される前処理指示メッセージの両方が、確立されたSRBに関する情報および確立されたDRBに関する情報またはDRBの設定情報を含み、
第1の基地局によってUEに送信される前処理指示メッセージは、第2の基地局がDRBの設定情報に基づいてUEのためにDRBを確立したことを示す指示情報をさらに含む。
【０１３９】
具体的には、第1の要求メッセージを受信した後、第2の基地局は、アドミッション制御を行う。UEが前処理の実行を許可されていると判断したら、第2の基地局は、第1の肯定応答メッセージを第1の基地局に送信し、UEのためにSRBを確立し、DRBを設定または確立する。さらに、第1の肯定応答メッセージは、UEと第2の基地局とのRRC接続のプライマリセルの指示情報をさらに含む。説明を容易にするために、UEと第1の基地局とのRRC接続は、第1のRRC接続と呼ばれ、第1のRRC接続のプライマリセルは、第1のプライマリセルと呼ばれる。UEと第2の基地局との間に確立される接続（すなわち、確立されるSRB）は、第2のRRC接続と呼ばれ、第2のRRC接続のプライマリセルは、第2のプライマリセルと呼ばれる。
【０１４０】
第1の基地局は、前処理指示メッセージをUEに送信する。前処理指示メッセージは、前処理のみを行うようにUEに命令するための指示情報、または第2のRRC接続を確立するようにUEに命令するための指示情報、または非アクティブな第2のRRC接続を確立するようにUEに命令するための指示情報、またはUEと第2の基地局との間の非アクティブなSRBを確立するようにUEに命令するための指示情報を含む。前処理指示メッセージは、第2のRRC接続の第2のプライマリセルの指示情報と、第2のプライマリセルのために設定される物理アップリンク制御チャネル（PUCCH）リソースに関する情報とをさらに含む。
【０１４１】
第1の基地局は、前処理指示メッセージをUEに送信し、これにより、UEは、データ送信のために実際に第2の基地局にハンドオーバされるか、もしくは第2の基地局を追加するかを決定するか、または前処理のみを行う、すなわち、データ送信をすぐには行わず、単に、第2の基地局のためにSRBを確立し、DRBを設定もしくは確立するか、または確立されたSRBおよびDRBを非アクティブ状態に設定し、第2の基地局とアップリンク同期される。
【０１４２】
前処理指示メッセージが、データ送信のために第2の基地局を事前追加するように、すなわち、第2の基地局との第2のRRC接続を確立するようにUEに命令する場合、UEは、第2の基地局との第2のRRC接続を確立し、第2のRRC接続を維持する。具体的には、第2のRRC接続を維持することは、第2のRRC接続に無線リンク障害が発生する可能性があるかどうかを判定するために第2のRRC接続のダウンリンクリスニングを行うことおよび第2のRRC接続に無線リンク障害が発生したときに、第2のRRC接続を解放するために無線リンク障害を報告することを含む。
【０１４３】
ターゲットの第2の基地局へのハンドオーバまたは第2の基地局の追加を実際に行う必要があると判断したとき、第1の基地局は、UEとの間でデータ送信を行う準備をするように第2の基地局に命令するために、第1の指示メッセージをターゲットの第2の基地局に送信する。高速ハンドオーバコマンドを受信した後、第2の基地局は、データ送信のために第2の基地局とUEとの間のSRBおよびDRBをアクティブにする。
【０１４４】
次に、第1の基地局は、UEにまだ送信されていないデータを第2の基地局に転送してもよい。高速ハンドオーバ指示を受信した後、第2の基地局は、経路切り替えメッセージをMMEに送信してもよく、これにより、MMEは、データ送信経路を第2の基地局に切り替える。
【０１４５】
第1の基地局によって送信された第2の指示メッセージを受信した後、UEは、UEと第2の基地局との間の確立されたSRBおよびDRBを使用して第2の基地局との通信を開始する、すなわち、データ送信のためにUEと第2の基地局との間のSRBおよびDRBをアクティブにする。
【０１４６】
別の実施態様では、本発明のこの実施形態における通信方法は、デュアルコネクティビティモードを使用して第1の基地局と第2の基地局との間でプライマリ／セカンダリの切り替えを実施するために使用される。切り替え前、第1の基地局はプライマリ基地局であり、第2の基地局はセカンダリ基地局である。
【０１４７】
第1の要求メッセージは、UEが第2の基地局とのアップリンク同期を確立することができることを第2の基地局に通知するために使用され、UEのためにSRBおよび／またはDRBの設定情報を設定するように第2の基地局に要求する。
【０１４８】
第1の要求メッセージを受信した後、第2の基地局は、アドミッション制御を行う。UEが前処理の実行を許可されていると判断したら、第2の基地局は、第1の肯定応答メッセージを第1の基地局に送信し、UEのためにSRBおよび／またはDRBの設定情報を事前設定する。
【０１４９】
この場合、第2の基地局はまた、SRBおよび／またはDRBのために対応するPDCPエンティティ、RLCエンティティ、およびMACエンティティを事前に確立してもよい。
【０１５０】
さらに、切り替えを実際に行う必要があると判断したとき、第1の基地局は、プライマリ基地局として機能するように第2の基地局に命令し、セカンダリ基地局として機能するように第1の基地局に命令するか、または第1の基地局を解放するために、第1の指示メッセージを第2の基地局に送信する。
【０１５１】
第1の指示メッセージを受信した後、SRBおよびDRBが確立されている場合、第2の基地局は、データ送信のために第2の基地局とUEとの間のSRBおよびDRBをアクティブにする。SRBおよびDRBのパラメータのみが設定される場合、第2の基地局は、データ送信のために第2の基地局とUEとの間のSRBおよびDRBを確立する。
【０１５２】
別の実施態様では、本発明のこの実施形態における通信方法は、デュアルコネクティビティモードを使用して第1の基地局と第2の基地局との間でプライマリ／セカンダリの切り替えを実施するためにさらに使用される。切り替え前、第1の基地局はプライマリ基地局であり、第2の基地局はセカンダリ基地局である。この実施態様と上記の実施態様の違いは、第1の基地局と通信するときにUEが第2の基地局との間でデータ送信を行うために第2の基地局と実際にデュアルコネクティビティを確立することにある。
【０１５３】
具体的には、第1の基地局によって第2の基地局に送信される第1の要求メッセージは、UEのためにSRBを事前設定するための指示情報またはUEのために第2のRRC接続を事前設定するための指示情報を含む。
【０１５４】
第1の要求メッセージを受信した後、第2の基地局は、アドミッション制御を行う。UEが第2の基地局の事前追加を許可されていると判断したら、第2の基地局は、第1の肯定応答メッセージを第1の基地局に送信し、UEのためにSRBを事前設定し、UEのためにDRBを確立する。
【０１５５】
第1の基地局は、前処理指示メッセージをUEに送信する。前処理指示メッセージは、第2の基地局に対してSRBを事前設定するための指示情報およびDRBを追加するための指示情報を含み、これにより、UEは、データ送信のためにUEと第2の基地局との間のDRBを確立し、第2の基地局に対するSRBまたは第2のRRC接続を事前設定または事前確立することを決定する。
【０１５６】
第2の基地局を追加した後、UEは、UEと第2の基地局との間の確立されたDRBを使用してデータ送信を行う。
【０１５７】
第1の基地局は、UEによって送信される測定報告に基づいて、UEに関してプライマリ基地局の切り替えを行う必要があると判断したとき、第1の基地局は、指定のターゲットの第2の基地局を新しいプライマリ基地局として使用し、第1の基地局を新しいセカンダリ基地局として使用するか、または第1の基地局を新しいセカンダリ基地局として使用し、UEと第2の基地局との間のSRBを維持するか、または第1の基地局を解放するようにUEに命令するために、第2の指示メッセージをUEに送信する。具体的には、第2の指示メッセージは、物理層制御シグナリング、MAC制御シグナリング、またはRRCメッセージであってもよい。
【０１５８】
さらに、切り替えを実際に行う必要があると判断したとき、第1の基地局は、第2の基地局が新しいプライマリeNBとして機能することができることおよび第1の基地局が新しいセカンダリ基地局として機能することができるまたは解放され得るという指示情報を示すために、第1の指示メッセージを第2の基地局に送信する。
【０１５９】
第1の指示メッセージを受信した後、SRBおよびDRBが確立されている場合、第2の基地局は、データ送信のために第2の基地局とUEとの間のSRBおよびDRBをアクティブにする。SRBおよびDRBのパラメータのみが設定される場合、第2の基地局は、データ送信のために第2の基地局とUEとの間のSRBおよびDRBを確立する。
【０１６０】
第1の基地局の解放が決定されたら、この場合、第1の基地局は、UEにまだ送信されていないデータを第2の基地局に転送し始めてもよい。第2の基地局は、経路切り替えメッセージをMMEに送信してもよく、これにより、MMEは、データ送信経路を第2の基地局に切り替える。
【０１６１】
あるいは、第1の基地局は新しいセカンダリ基地局として機能する場合、UEは、UEと第1の基地局との間のDRBを使用してデータ送信を行い続けてもよい。
【０１６２】
第2の基地局が第1の指示メッセージを受信した後、UEと第2の基地局との間のSRBのパラメータのみが事前設定されており、SRBのためにL2エンティティが確立されていない場合、UEは、第2の基地局に対して事前設定された格納されたSRBの設定情報を使用してUEと第2の基地局との間のSRBを確立する、すなわち、第2の基地局、言い換えれば新しいプライマリeNBとのRRC接続を確立する。あるいは、第2の基地局に対してSRBが確立されている場合、UEは、SRBを使用して第2の基地局、言い換えれば新しいプライマリeNBに制御メッセージを送信し始める。
【０１６３】
さらに、上記の実施形態に基づいて、前処理指示メッセージは、UEのために第2の基地局によって事前設定されたSRBと、UEおよび第1の基地局によって維持されているSRBとの対応関係ならびに／またはUEのために第2の基地局によって事前設定されたDRBと、UEおよび第1の基地局によって維持されているDRBとの対応関係をさらに含む。例えば、第2の基地局によって事前設定されたDRBの識別子Xは、UEと第1の基地局との間のDRBの識別子Yに対応する。この場合、実際にUEが第2の基地局にハンドオーバされるまたは第2の基地局を追加するとき、第1の基地局のSRBおよびDRBを使用して送信され得るデータは、送信のために第2の基地局によって事前設定された対応するSRBおよびDRBにマッピングされ得る。さらに、第1の基地局がUEのデータを第2の基地局に転送するとき、これらの対応関係は、第1の基地局のSRBおよび／またはDRBを使用して送信され得るデータを、UEのために第2の基地局によって設定されたSRBおよび／またはDRBにマッピングすることにも役立つ。
【０１６４】
任意選択的に、UEが第2の基地局を追加した後およびUEが第1の基地局から第2の基地局にハンドオーバされた後に、UEによって生成されたセキュリティ鍵が第2の基地局によって生成されたセキュリティ鍵と同じでない事態またはセキュリティコンテキスト情報が一致しない事態を回避するために、セキュリティ鍵は以下のように特に設計される必要がある。
【０１６５】
上記の実施形態に基づいて、前処理指示メッセージは、UEのために第1の基地局によって事前設定される、UEと第2の基地局との間のセキュリティ鍵情報を含む。
【０１６６】
具体的には、セキュリティ鍵情報は、第2の基地局セキュリティアルゴリズム情報および第2の基地局セキュリティ鍵カウンタ情報を含んでもよい。
【０１６７】
第2の指示メッセージを受信したとき、UEは、UEと第1の基地局との間の第2の中間鍵およびセキュリティ鍵情報を使用してUEと第2の基地局との間の第1の中間鍵を生成する。
【０１６８】
あるいは、前処理指示メッセージは、UEのために第1の基地局によって事前設定された第2の基地局セキュリティアルゴリズム情報を含むが、第2の基地局セキュリティ鍵カウンタを含まず、第1の基地局によってUEに送信される第2の指示メッセージが、UEのために第1の基地局によって事前設定されたセキュリティ鍵カウンタ情報を含む。
【０１６９】
第2の指示メッセージを受信したとき、UEは、UEと第1の基地局との間の第2の中間鍵、第2の基地局セキュリティアルゴリズム情報、およびセキュリティ鍵カウンタ情報を使用してUEと第2の基地局との間の第1の中間鍵を生成する。
【０１７０】
図4は、本発明の一実施形態による通信方法の鍵更新の概略フローチャートである。
【０１７１】
図4を参照すると、さらに、元のプライマリeNB（言い換えれば、新しいセカンダリ基地局）のいくつかの状態のために（例えば、PDCP COUNT値を反転させなければならないために）、UEが第2の基地局との接続を確立し、第2の基地局がプライマリ基地局として機能し、第1の基地局がセカンダリ基地局になるとき、元のプライマリeNBの鍵更新がトリガされる。
【０１７２】
従来技術では、セカンダリ基地局に対するUEの中間鍵KeNB2は、元のプライマリeNBに対するUEの中間鍵およびUEのために元の基地局によって設定されたセカンダリ基地局カウンタに基づいて生成される。しかしながら、この場合、元のプライマリeNBは、新しいセカンダリ基地局になっている。したがって、鍵更新の際、既存のセカンダリ基地局鍵更新メカニズムに基づいて、UEは、UEと元のプライマリeNBとの間の現在の中間鍵KeNB1と、UEのために新しいプライマリeNBによって設定されたセカンダリ基地局カウンタとを使用して新しい中間鍵KeNB3を生成する。UEのために新しいプライマリeNBによって設定されたセカンダリ基地局カウンタが元のセカンダリ基地局カウンタと同じである場合、元のプライマリeNBに対してUEによって更新された中間鍵KeNB3は、KeNB2と同じである。
【０１７３】
以下の方法および他の方法が、UEが鍵更新において新しいプライマリ基地局および新しい第2の基地局に対して同じ中間鍵を使用するのを防止するために使用されてもよい。
【０１７４】
一実施態様では、第2の基地局は、第1の基地局におけるUEの第1の中間鍵と、UEのために第1の基地局によって事前設定される第1のカウンタ値とに基づいて第2の基地局とUEとの間の第2の中間鍵を生成し、第2の中間鍵に基づいて第2の基地局とUEとの間の第1の最終鍵を生成し、その場合、第1の最終鍵は、第2の基地局によってUEに送信されるデータを暗号化するために使用され、
第2の基地局は、第1の基地局によって送信される鍵更新要求メッセージを受信し、
第2の基地局は、第1の基地局におけるUEの第1の中間鍵と、UEのために第2の基地局によって事前設定される第2のカウンタ値とを使用して第3の中間鍵を生成し、第3の中間鍵を鍵更新応答メッセージに追加し、鍵更新応答メッセージを第1の基地局に送信し、その場合、第2のカウンタ値は、第1のカウンタ値とは異なり、
第2の基地局は、第1の基地局鍵更新コマンドをUEに送信し、その場合、第1の基地局鍵更新コマンドは、第2のカウンタ値を搬送し、これにより、UEは、第1の中間鍵および第2のカウンタ値に基づいて第1の基地局に第3の中間鍵を生成し、第3の中間鍵に基づいてUEと第1の基地局との間の第2の最終鍵を生成し、その場合、第2の最終鍵は、UEによって第1の基地局に送信されるデータを暗号化するために使用される。
【０１７５】
別の実施態様では、第2の基地局は、第1の基地局におけるUEの第4の中間鍵と、UEのために第1の基地局によって事前設定される第3のカウンタ値とに基づいて第2の基地局とUEとの間の第5の中間鍵を生成し、第5の中間鍵に基づいて第2の基地局とUEとの間の第3の最終鍵を生成し、その場合、第3の最終鍵は、第2の基地局によってUEに送信されるデータを暗号化するために使用され、
第2の基地局は、第1の基地局によって送信される鍵更新要求を受信し、
第2の基地局は、第2の基地局におけるUEの第5の中間鍵および第3のカウンタ値を使用して第6の中間鍵を生成し、第6の中間鍵を鍵更新応答メッセージに追加し、鍵更新応答メッセージを第1の基地局に送信し、
第2の基地局は、鍵更新コマンドをUEに送信し、その場合、鍵更新コマンドは、第5の中間鍵および第3のカウンタ値を搬送し、これにより、UEは、第5の中間鍵および第3のカウンタ値に基づいて第1の基地局に第6の中間鍵を生成し、第6の中間鍵に基づいてUEと第1の基地局との間の第4の最終鍵を生成し、その場合、第4の最終鍵は、UEによって第2の基地局に送信されるデータを暗号化するために使用される。
【０１７６】
本発明のこの実施形態における通信方法によれば、UEは、第1のコンポーネントキャリアを使用して第1の基地局に接続され、第1の基地局は、前処理指示メッセージをUEに送信し、その場合、前処理指示メッセージは、UEが前処理を行うときに第2の基地局とのアップリンク同期を行う第2のコンポーネントキャリアに関する情報を含み、第2のコンポーネントキャリアは、第1のコンポーネントキャリアとは異なる。前処理指示メッセージは、第2のコンポーネントキャリアで第2の基地局に対する事前ハンドオーバまたは第2の基地局の事前追加を行うようにUEに命令する。UEがデータ送信を行う必要があるターゲットの第2の基地局を取得したとき、第1の基地局は、UEとの間でデータ送信を行うようにターゲットの第2の基地局に命令するために第1の指示メッセージをターゲットの第2の基地局に送信する。第1の基地局が、UEとの間でデータ送信を行うようにターゲット基地局に命令するために第1の指示メッセージをターゲットの第2の基地局に送信する前に、UEは、第1の基地局との接続を維持しながら、第2のコンポーネントキャリアを使用して第2の基地局とのアップリンク同期を確立している。したがって、実際のハンドオーバが実施されるときに、第1の基地局が、UEとの間でデータ送信を行うようにターゲットの第2の基地局に命令するために第1の指示メッセージをターゲットの第2の基地局に送信したとき、UEを、第1の基地局から第2の基地局に迅速にハンドオーバすることができ、これにより、ハンドオーバ待ち時間が短縮され、第2の基地局との間でデータ送信が迅速に実施される。
【０１７７】
本発明の一実施形態は、ネットワーク側デバイスをさらに提供する。図5は、本発明の一実施形態によるネットワーク側デバイスのフレームワークの概略構成図である。
【０１７８】
図5を参照すると、本発明のこの実施形態で提供されるネットワーク側デバイスは、第1の基地局である。本デバイスは、
ユーザ端末によって送信され、第1の基地局によって受信される第1の測定報告に基づいて、ユーザ端末が前処理することができる第2の基地局を決定するように構成される処理ユニット510であって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、処理ユニット510と、
第1の要求メッセージを第2の基地局に送信するように構成される送信ユニット520であって、第1の要求メッセージが、ユーザ端末が第2の基地局を前処理することができることを示す指示情報を含む、送信ユニット520と
を含み、
処理ユニット510は、第1の基地局が第2の基地局によって返信される第1の肯定応答メッセージを受信したときに、ユーザ端末は第2の基地局を前処理することができると判断するようにさらに構成され、
送信ユニット520は、前処理指示メッセージをユーザ端末に送信し、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ようにさらに構成され、
処理ユニット510は、ユーザ端末がデータ送信を行うことができるターゲットの第2の基地局に関する情報を取得するようにさらに構成され、
送信ユニット520は、データ送信のためにターゲットの第2の基地局にハンドオーバされるようにユーザ端末に命令するために、またはデータ送信のためにターゲットの第2の基地局を追加するようにユーザ端末に命令するために、第1の指示メッセージをターゲットの第2の基地局に送信するか、または第1の指示メッセージをターゲットの第2の基地局に送信し、かつ第2の指示メッセージをユーザ端末に送信するようにさらに構成される。
【０１７９】
任意選択的に、第1の測定報告は、現在のサービングセルに対応する第1の測定結果および現在のサービングセルの隣接セルに対応する第2の測定結果を含み、
処理ユニット510は、ユーザ端末によって送信される受信される第1の測定報告に基づいて、ユーザ端末が前処理することができる第2の基地局を決定し、
第1の測定結果が第1の閾値よりも小さい場合、第2の測定結果に基づいて、第2の測定結果に対応する少なくとも1つの第2の基地局を、ユーザ端末が前処理することができる第2の基地局として決定し、第2の測定結果が、第1の測定結果よりも大きい、ように構成される。
【０１８０】
任意選択的に、デバイスは、
ユーザ端末によって送信される第3の指示メッセージを受信するように構成される受信ユニット530であって、第3の指示メッセージが、ターゲットの第2の基地局の識別子を搬送し、ターゲットの第2の基地局が、第2の測定報告に基づいてユーザ端末によって決定され、第2の測定報告が、現在のサービングセルの信号品質情報を含み、第1の測定報告とは異なる、受信ユニット530をさらに含み、
送信ユニット520は、受信ユニット530が第3の指示メッセージを受信したときに、第1の指示メッセージをターゲットの第2の基地局に送信するように構成されるか、または
処理ユニット510は、ユーザ端末によって送信される第2の測定報告に基づいてターゲットの第2の基地局を決定するように構成され、
送信ユニット520は、第1の指示メッセージをターゲットの第2の基地局に送信し、第2の指示メッセージをユーザ端末に送信するように構成される。
【０１８１】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【０１８２】
受信ユニット530は、送信ユニット520が第1の指示メッセージをターゲットの第2の基地局に送信した後、ターゲットの第2の基地局によって返信される第2の肯定応答メッセージを受信し、第2の肯定応答メッセージが、ユーザ端末のためにターゲットの第2の基地局によって事前設定されたSRB設定情報およびDRB設定情報を含む、ように構成され、
送信ユニット520は、SRB設定情報およびDRB設定情報を搬送する第2の指示メッセージをユーザ端末に送信するように構成される。
【０１８３】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【０１８４】
任意選択的に、第1の指示メッセージは、第2の基地局のために第1の基地局によって生成される、第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【０１８５】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【０１８６】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【０１８７】
任意選択的に、送信ユニット520は、第1のデータをターゲットの第2の基地局に送信し、第1のデータが、第1の基地局がユーザ端末にまだ送信していないデータである、ようにさらに構成される。
【０１８８】
送信ユニット520は、経路切り替えメッセージをMMEに送信し、これにより、MMEが、データ送信経路をハンドオーバ先の最終的な第2の基地局に切り替える、ようにさらに構成される。
【０１８９】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBと、ユーザ端末および第1の基地局によって維持されているDRBとの対応関係をさらに含む。
【０１９０】
本発明のこの実施形態で提供されるネットワーク側デバイスは、上記の方法の実施形態で提供される技術的解決策を実施することができ、その実施原理および技術的効果は、この技術的解決策と同様であり、詳細はここでは説明しない。
【０１９１】
図6は、本発明の別の実施形態によるネットワーク側デバイスのフレームワークの概略構成図である。本デバイスは、
第1の基地局によって送信される第1の要求メッセージを受信するように構成される受信ユニット610であって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、受信ユニット610と、
第1の要求メッセージに基づいてアドミッション制御を行うように構成される処理ユニット620と、
処理ユニットがユーザ端末が前処理の実行を許可されていると判断したときに第1の肯定応答メッセージを第1の基地局に送信するように構成される送信ユニット630と
を含み、
受信ユニット610は、ユーザ端末によって送信されるアクセス要求を受信するようにさらに構成され、処理ユニットは、アクセス要求に基づいてユーザ端末と同期するようにさらに構成され、
受信ユニット610は、第1の基地局によって送信される第1の指示メッセージを受信するようにさらに構成され、処理ユニットは、第1の指示メッセージに基づいて第2の基地局とユーザ端末との間でデータ送信を実施するようにさらに構成される。
【０１９２】
任意選択的に、第1の要求メッセージは、情報を設定するための設定命令をさらに含み、処理ユニットは、設定命令に従ってユーザ端末のためにSRBおよびDRBを事前設定するようにさらに構成され、
第1の肯定応答メッセージは、SRBの設定情報およびDRBの設定情報を含む。
【０１９３】
任意選択的に、処理ユニット620は、受信ユニット610が第1の基地局によって送信される第1の指示メッセージを受信した後、第1の指示メッセージならびに第2の基地局にローカルに格納されているSRBの設定情報およびDRBの設定情報に基づいて第2の基地局とユーザ端末との間のSRBおよびDRBを確立するように構成され、
送信ユニット630は、経路切り替えメッセージをMMEに送信し、これにより、MMEが、受信した経路切り替えメッセージに基づいてデータ送信経路を第2の基地局に切り替える、ようにさらに構成される。
【０１９４】
任意選択的に、送信ユニット630は、受信ユニットが第1の基地局によって送信される第1の指示メッセージを受信した後、第2の肯定応答メッセージを第1の基地局に送信し、第2の肯定応答メッセージが、ユーザ端末のために第2の基地局によって事前設定されるSRB設定情報およびDRB設定情報を含む、ように構成され、
処理ユニット620は、第1の指示メッセージならびにSRB設定情報およびDRB設定情報に基づいて第2の基地局とユーザ端末との間のSRBおよびDRBを確立するように構成され、
送信ユニット630は、経路切り替えメッセージをMMEに送信し、これにより、MMEが、受信した経路切り替えメッセージに基づいてデータ送信経路を第2の基地局に切り替える、ようにさらに構成される。
【０１９５】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【０１９６】
任意選択的に、受信ユニット610は、第1の基地局によって送信される第1のデータを受信し、第1のデータが、第1の基地局がユーザ端末にまだ送信していないデータである、ようにさらに構成される。
【０１９７】
任意選択的に、処理ユニット620は、
第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成し、第1の最終鍵が、第2の基地局によってユーザ端末に送信されるデータを暗号化するために使用される、ようにさらに構成され、
受信ユニット630は、第1の基地局によって送信される鍵更新要求メッセージを受信するようにさらに構成され、
処理ユニット620は、第1の基地局におけるユーザ端末の第1の中間鍵と、ユーザ端末のために第2の基地局によって事前設定される第2のカウンタ値とを使用して第3の中間鍵を生成し、第3の中間鍵を鍵更新応答メッセージに追加し、鍵更新応答メッセージを第1の基地局に送信し、第2のカウンタ値が、第1のカウンタ値とは異なる、ようにさらに構成され、
送信ユニット630は、第1の基地局鍵更新コマンドをユーザ端末に送信し、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ようにさらに構成される。
【０１９８】
任意選択的に、処理ユニット620は、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成し、第3の最終鍵が、第2の基地局によってユーザ端末に送信されるデータを暗号化するために使用される、ようにさらに構成され、
受信ユニット610は、第1の基地局によって送信される鍵更新要求を受信するようにさらに構成され、
処理ユニット620は、第2の基地局におけるユーザ端末の第5の中間鍵および第3のカウンタ値を使用して第6の中間鍵を生成し、第6の中間鍵を鍵更新応答メッセージに追加し、鍵更新応答メッセージを第1の基地局に送信するようにさらに構成され、
送信ユニット630は、鍵更新コマンドをユーザ端末に送信し、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ようにさらに構成される。
【０１９９】
本発明のこの実施形態で提供されるネットワーク側デバイスは、上記の方法の実施形態で提供される技術的解決策を実施することができ、その実施原理および技術的効果は、この技術的解決策と同様であり、詳細はここでは説明しない。
【０２００】
本発明の一実施形態は、ユーザ端末をさらに提供する。図7は、本発明の別の実施形態によるユーザ端末のフレームワークの概略構成図である。
【０２０１】
図7を参照すると、本発明の別の実施形態で提供されるユーザ端末は、
第1の測定報告を第1の基地局に送信し、これにより、第1の基地局が、第1の測定報告に基づいて、ユーザ端末が前処理することができる第2の基地局を決定する、ように構成される送信ユニット710であって、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、送信ユニット710と、
第1の基地局によって送信される前処理指示メッセージを受信するように構成される受信ユニット720であって、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、受信ユニット720と
を含み、
送信ユニット710は、第2の基地局に対する前処理を実施するために、前処理指示メッセージに基づいて、第2のコンポーネントキャリアでランダムアクセス要求を第2の基地局に送信するようにさらに構成され、
受信ユニット720は、第1の基地局によって送信される第2の指示メッセージを受信するようにさらに構成され、ユーザ端末は、
第2の指示メッセージに基づいてユーザ端末と第2の基地局との間でデータ送信を実施するように構成される処理ユニット730をさらに含む。
【０２０２】
任意選択的に、前処理指示メッセージは、ユーザ端末のために第2の基地局によって事前設定されるSRB設定情報およびDRB設定情報をさらに含み、
処理ユニット730は、受信ユニット720が第1の基地局によって送信される第2の指示メッセージを受信した後、第2の基地局との間でデータ送信を実施するために、SRB設定情報およびDRB設定情報に基づいてユーザ端末と第2の基地局との間のSRBおよびDRBを確立するように構成される。
【０２０３】
任意選択的に、第2の指示メッセージは、ユーザ端末のために第2の基地局によって事前設定されるSRB設定情報およびDRB設定情報をさらに含み、
処理ユニット730は、受信ユニット720が第1の基地局によって送信される第2の指示メッセージを受信した後、第2の基地局との間でデータ送信を実施するために、第2の指示メッセージ内のSRB設定情報およびDRB設定情報に基づいてユーザ端末と第2の基地局との間のSRBおよびDRBを確立するように構成される。
【０２０４】
任意選択的に、処理ユニット730は、第1の基地局におけるユーザ端末の第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成し、第1の最終鍵が、ユーザ端末によって第2の基地局に送信されるデータを暗号化するために使用される、ようにさらに構成され、
受信ユニット720は、第2の基地局によって送信される第1の基地局鍵更新コマンドを受信し、第1の基地局鍵更新コマンドが、ユーザ端末のために第2の基地局によって事前設定される第2のカウンタ値を含み、第2のカウンタ値が、第1のカウンタ値とは異なる、ようにさらに構成され、
処理ユニット730は、第1の中間鍵および第2のカウンタ値に基づいて第1の基地局にユーザ端末の第3の中間鍵を生成し、第3の中間鍵に基づいて第1の基地局にユーザ端末の第2の最終鍵を生成し、第2の最終鍵が、ユーザ端末によって第1の基地局に送信されるデータを暗号化するために使用される、ようにさらに構成される。
【０２０５】
任意選択的に、処理ユニット730は、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成し、第3の最終鍵が、ユーザ端末によって第2の基地局に送信されるデータを暗号化するために使用される、ようにさらに構成され、
受信ユニット720は、第2の基地局によって送信される第1の基地局鍵更新コマンドを受信し、第1の基地局鍵更新コマンドが、第5の中間鍵および第3のカウンタ値を含む、ようにさらに構成され、
処理ユニット730は、第5の中間鍵および第3のカウンタ値に基づいて第1の基地局に第6の中間鍵を生成し、第6の中間鍵に基づいて第2の基地局とユーザ端末との間の第4の最終鍵を生成し、第4の最終鍵が、ユーザ端末によって第2の基地局に送信されるデータを暗号化するために使用される、ようにさらに構成される。
【０２０６】
任意選択的に、前処理指示メッセージは、第2の基地局を前処理するようにユーザ端末に命令するための指示情報をさらに含み、
処理ユニット730は、指示情報に基づいて、ユーザ端末と第1の基地局との接続を維持することを決定するようにさらに構成される。
【０２０７】
本発明のこの実施形態で提供されるユーザ端末は、上記の方法の実施形態で提供される技術的解決策を実施することができ、その実施原理および技術的効果は、この技術的解決策と同様であり、詳細はここでは説明しない。
【０２０８】
図8は、本発明の別の実施形態によるネットワーク側デバイスのフレームワークの概略構成図である。
【０２０９】
図8を参照すると、本発明の別の実施形態は、ネットワーク側デバイスをさらに提供し、ネットワーク側デバイスは、第1の基地局である。第1の基地局は、
ユーザ端末によって送信され、第1の基地局によって受信される第1の測定報告に基づいて、ユーザ端末が前処理することができる第2の基地局を決定するように構成されるプロセッサ810であって、前処理が、第2の基地局に対する事前ハンドオーバまたは第2の基地局の事前追加を含むが、第2の基地局を用いたデータ送信を含まず、第1の基地局が、第1のコンポーネントキャリアを使用してユーザ端末に接続され、第1の測定報告が、現在のサービングセルの信号品質情報および現在のサービングセルの隣接セルの信号品質情報を含む、プロセッサ810と、
第1の要求メッセージを第2の基地局に送信するように構成される送信機820であって、第1の要求メッセージが、ユーザ端末が第2の基地局を前処理することができることを示す指示情報を含む、送信機820と
を含み、
プロセッサ810は、第1の基地局が第2の基地局によって返信される第1の肯定応答メッセージを受信したときに、ユーザ端末は第2の基地局を前処理することができると判断するようにさらに構成され、
送信機820は、前処理指示メッセージをユーザ端末に送信し、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、ようにさらに構成され、
プロセッサ810は、ユーザ端末がデータ送信を行うことができるターゲットの第2の基地局に関する情報を取得するようにさらに構成され、
送信機820は、データ送信のためにターゲットの第2の基地局にハンドオーバされるようにユーザ端末に命令するために、またはデータ送信のためにターゲットの第2の基地局を追加するようにユーザ端末に命令するために、第1の指示メッセージをターゲットの第2の基地局に送信するか、または第1の指示メッセージをターゲットの第2の基地局に送信し、かつ第2の指示メッセージをユーザ端末に送信するようにさらに構成される。
【０２１０】
任意選択的に、第1の測定報告は、現在のサービングセルに対応する第1の測定結果および現在のサービングセルの隣接セルに対応する第2の測定結果を含み、
プロセッサ810は、ユーザ端末によって送信される受信される第1の測定報告に基づいて、ユーザ端末が前処理することができる第2の基地局を決定し、
第1の測定結果が第1の閾値よりも小さい場合、第2の測定結果に基づいて、第2の測定結果に対応する少なくとも1つの第2の基地局を、ユーザ端末が前処理することができる第2の基地局として決定し、第2の測定結果が、第1の測定結果よりも大きい、ように構成される。
【０２１１】
任意選択的に、本デバイスは、
ユーザ端末によって送信される第3の指示メッセージを受信するように構成される受信機830であって、第3の指示メッセージが、ターゲットの第2の基地局の識別子を搬送し、ターゲットの第2の基地局が、第2の測定報告に基づいてユーザ端末によって決定され、第2の測定報告が、現在のサービングセルの信号品質情報を含み、第1の測定報告とは異なる、受信機830
をさらに含み、
送信機820は、受信機が第3の指示メッセージを受信したときに、第1の指示メッセージをターゲットの第2の基地局に送信するように構成されるか、または
プロセッサ810は、ユーザ端末によって送信される第2の測定報告に基づいてターゲットの第2の基地局を決定するように構成され、
送信機820は、第1の指示メッセージをターゲットの第2の基地局に送信し、第2の指示メッセージをユーザ端末に送信するように構成される。
【０２１２】
任意選択的に、第1の要求メッセージは、情報を設定するための設定命令をさらに含み、これにより、第2の基地局は、設定命令に従ってユーザ端末のためにSRBおよびDRBを事前設定し、
第1の肯定応答メッセージおよび前処理指示メッセージの両方が、SRBの設定情報およびDRBの設定情報を含む。
【０２１３】
受信機830は、送信機820が第1の指示メッセージをターゲットの第2の基地局に送信した後、ターゲットの第2の基地局によって返信される第2の肯定応答メッセージを受信し、第2の肯定応答メッセージが、ユーザ端末のためにターゲットの第2の基地局によって事前設定されたSRB設定情報およびDRB設定情報を含む、ように構成され、
送信機820は、SRB設定情報およびDRB設定情報を搬送する第2の指示メッセージをユーザ端末に送信するように構成される。
【０２１４】
任意選択的に、第1の要求メッセージは、ユーザ端末のためにSRBを確立し、DRBを確立するか、またはDRBの設定情報を事前設定するように第2の基地局に命令するための指示情報をさらに含み、
第1の肯定応答メッセージおよび前処理指示メッセージの両方が、確立されたSRBに関する情報および確立されたDRBに関する情報またはDRBの設定情報を含み、
前処理指示メッセージが、確立されたSRBに関する情報およびDRBの設定情報を含むとき、前処理指示メッセージは、第2の基地局がDRBの設定情報に基づいてユーザ端末のためにDRBを確立したことを示す指示情報をさらに含む。
【０２１５】
任意選択的に、第1の指示メッセージは、第2の基地局のために第1の基地局によって生成される、第2の基地局とユーザ端末との間の第1の中間鍵と、ユーザ端末と第1の基地局との間の第2の中間鍵に基づいてユーザ端末とターゲットの第2の基地局との間の第1の中間鍵を生成し、第1の中間鍵に基づいてユーザ端末と第2の基地局との間の最終鍵であって、ユーザ端末によって第2の基地局に送信されるデータを暗号化するために使用される最終鍵を生成するようにユーザ端末に命令するための情報とを含む。
【０２１６】
任意選択的に、前処理指示メッセージは、
ユーザ端末のために第1の基地局によって事前設定される、ユーザ端末と第2の基地局との間のセキュリティ鍵情報を含み、これにより、第2の指示メッセージを受信したとき、ユーザ端末は、ユーザ端末と第1の基地局との間の第2の中間鍵およびセキュリティ鍵情報を使用してユーザ端末と第2の基地局との間の第1の中間鍵を生成する。
【０２１７】
任意選択的に、前処理指示メッセージは、ユーザ端末のために第1の基地局によって事前設定される第2の基地局セキュリティアルゴリズム情報を含み、
第1の基地局によってユーザ端末に送信される第2の指示メッセージは、ユーザ端末のために第1の基地局によって事前設定されるセキュリティ鍵カウンタ情報を含み、これにより、第2の指示メッセージを受信したとき、ユーザ端末は、ユーザ端末と第1の基地局との間の第2の中間鍵、第2の基地局セキュリティアルゴリズム情報、およびセキュリティ鍵カウンタ情報を使用してユーザ端末と第2の基地局との間の第1の中間鍵を生成する。
【０２１８】
任意選択的に、送信機820は、第1のデータをターゲットの第2の基地局に送信し、第1のデータが、第1の基地局がユーザ端末にまだ送信していないデータである、ようにさらに構成される。
【０２１９】
任意選択的に、送信機820は、経路切り替えメッセージをMMEに送信し、これにより、MMEが、データ送信経路をハンドオーバ先の最終的な第2の基地局に切り替える、ようにさらに構成される。
【０２２０】
任意選択的に、前処理指示メッセージは、ユーザ端末のために第2の基地局によって事前設定されたSRBと、ユーザ端末および第1の基地局によって維持されているSRBとの対応関係ならびに／またはユーザ端末のために第2の基地局によって事前設定されたDRBと、ユーザ端末および第1の基地局によって維持されているDRBとの対応関係をさらに含む。
【０２２１】
本発明のこの実施形態で提供される基地局は、上記の方法の実施形態で提供される技術的解決策を実施することができ、その実施原理および技術的効果は、この技術的解決策と同様であり、詳細はここでは説明しない。
【０２２２】
図9は、本発明の別の実施形態によるネットワーク側デバイスのフレームワークの概略構成図である。
【０２２３】
図9を参照すると、本発明の一実施形態は、ネットワーク側デバイスをさらに提供し、ネットワーク側デバイスは、第2の基地局である。第2の基地局は、
第1の基地局によって送信される第1の要求メッセージを受信するように構成される受信機910であって、第1の要求メッセージが、ユーザ端末の識別子と、ユーザ端末が第2の基地局を前処理することができることを示す指示情報とを含み、前処理が、第2の基地局に対するユーザ端末の事前ハンドオーバまたは第2の基地局の事前追加を含むが、第2の基地局を用いたデータ送信を含まない、受信機910と、
第1の要求メッセージに基づいてアドミッション制御を行うように構成されるプロセッサ920と、
プロセッサがユーザ端末が前処理の実行を許可されていると判断したときに第1の肯定応答メッセージを第1の基地局に送信するように構成される送信機930と
を含み、
受信機910は、ユーザ端末によって送信されるアクセス要求を受信するようにさらに構成され、プロセッサは、アクセス要求に基づいてユーザ端末と同期するようにさらに構成され、
受信機910は、第1の基地局によって送信される第1の指示メッセージを受信するようにさらに構成され、プロセッサは、第1の指示メッセージに基づいて第2の基地局とユーザ端末との間でデータ送信を実施するようにさらに構成される。
【０２２４】
任意選択的に、第1の要求メッセージは、情報を設定するための設定命令をさらに含み、プロセッサは、設定命令に従ってユーザ端末のためにSRBおよびDRBを事前設定するようにさらに構成され、
第1の肯定応答メッセージは、SRBの設定情報およびDRBの設定情報を含む。
【０２２５】
任意選択的に、プロセッサ920は、受信機910が第1の基地局によって送信される第1の指示メッセージを受信した後、第1の指示メッセージならびに第2の基地局にローカルに格納されているSRBの設定情報およびDRBの設定情報に基づいて第2の基地局とユーザ端末との間のSRBおよびDRBを確立するように構成され、
送信機930は、経路切り替えメッセージをMMEに送信し、これにより、MMEが、受信した経路切り替えメッセージに基づいてデータ送信経路を第2の基地局に切り替える、ようにさらに構成される。
【０２２６】
任意選択的に、送信機930は、第2の肯定応答メッセージを第1の基地局に送信し、第2の肯定応答メッセージが、ユーザ端末のために第2の基地局によって事前設定されるSRB設定情報およびDRB設定情報を含む、ように構成され、
プロセッサ920は、第1の指示メッセージならびにSRB設定情報およびDRB設定情報に基づいて第2の基地局とユーザ端末との間のSRBおよびDRBを確立するように構成され、
送信機930は、経路切り替えメッセージをMMEに送信し、これにより、MMEが、受信した経路切り替えメッセージに基づいてデータ送信経路を第2の基地局に切り替える、ようにさらに構成される。
【０２２７】
任意選択的に、第1の指示メッセージは、第2の基地局のために第1の基地局によって生成される、第2の基地局とユーザ端末との間の第1の中間鍵と、ユーザ端末が第1の中間鍵に基づいてユーザ端末と第2の基地局との間の最終鍵を生成し、最終鍵に基づいて送信データを暗号化することができることを示す指示情報とを含む。
【０２２８】
任意選択的に、受信機910は、第1の基地局によって送信される第1のデータを受信し、第1のデータが、第1の基地局がユーザ端末にまだ送信していないデータである、ようにさらに構成される。
【０２２９】
任意選択的に、プロセッサ920は、
第1の基地局におけるユーザ端末の第1の中間鍵と、ユーザ端末のために第1の基地局によって事前設定される第1のカウンタ値とに基づいて第2の基地局とユーザ端末との間の第2の中間鍵を生成し、第2の中間鍵に基づいて第2の基地局とユーザ端末との間の第1の最終鍵を生成し、第1の最終鍵が、第2の基地局によってユーザ端末に送信されるデータを暗号化するために使用される、ようにさらに構成され、
受信機910は、第1の基地局によって送信される鍵更新要求メッセージを受信するようにさらに構成され、
プロセッサ920は、第1の基地局におけるユーザ端末の第1の中間鍵と、ユーザ端末のために第2の基地局によって事前設定される第2のカウンタ値とを使用して第3の中間鍵を生成し、第3の中間鍵を鍵更新応答メッセージに追加し、鍵更新応答メッセージを第1の基地局に送信し、第2のカウンタ値が、第1のカウンタ値とは異なる、ようにさらに構成され、
送信機930は、第1の基地局鍵更新コマンドをユーザ端末に送信し、第1の基地局鍵更新コマンドが、第2のカウンタ値を搬送し、これにより、ユーザ端末が、第1の中間鍵および第2のカウンタ値に基づいて第1の基地局に第3の中間鍵を生成し、第3の中間鍵に基づいてユーザ端末と第1の基地局との間の第2の最終鍵を生成し、第2の最終鍵が、ユーザ端末によって第1の基地局に送信されるデータを暗号化するために使用される、ようにさらに構成される。
【０２３０】
任意選択的に、プロセッサ920は、第1の基地局におけるユーザ端末の第4の中間鍵と、ユーザ端末のために第1の基地局によって事前設定される第3のカウンタ値とに基づいて第2の基地局とユーザ端末との間の第5の中間鍵を生成し、第5の中間鍵に基づいて第2の基地局とユーザ端末との間の第3の最終鍵を生成し、第3の最終鍵が、第2の基地局によってユーザ端末に送信されるデータを暗号化するために使用される、ようにさらに構成され、
受信機910は、第1の基地局によって送信される鍵更新要求を受信するようにさらに構成され、
プロセッサ920は、第2の基地局におけるユーザ端末の第5の中間鍵および第3のカウンタ値を使用して第6の中間鍵を生成し、第6の中間鍵を鍵更新応答メッセージに追加し、鍵更新応答メッセージを第1の基地局に送信するようにさらに構成され、
送信機930は、鍵更新コマンドをユーザ端末に送信し、鍵更新コマンドが、第5の中間鍵および第3のカウンタ値を搬送し、これにより、ユーザ端末が、第5の中間鍵および第3のカウンタ値に基づいて第1の基地局に第6の中間鍵を生成し、第6の中間鍵に基づいてユーザ端末と第1の基地局との間の第4の最終鍵を生成し、第4の最終鍵が、ユーザ端末によって第2の基地局に送信されるデータを暗号化するために使用される、ようにさらに構成される。
【０２３１】
本発明のこの実施形態で提供される基地局は、上記の方法の実施形態で提供される技術的解決策を実施することができ、その実施原理および技術的効果は、この技術的解決策と同様であり、詳細はここでは説明しない。
【０２３２】
本発明の別の実施形態は、ユーザ端末をさらに提供する。図10は、本発明の別の実施形態によるユーザ端末のフレームワークの概略構成図である。
【０２３３】
図10を参照すると、本発明の一実施形態は、ユーザ端末をさらに提供する。ユーザ端末は、
第1の測定報告を第1の基地局に送信し、これにより、第1の基地局が、第1の測定報告に基づいて、ユーザ端末が前処理することができる第2の基地局を決定する、ように構成される送信機1010であって、前処理が、第2の基地局に対する事前ハンドオーバまたは第2の基地局の事前追加を含むが、第2の基地局を用いたデータ送信を含まず、ユーザ端末が、第1のコンポーネントキャリアを使用して第1の基地局に接続され、第1の測定報告が、現在のサービングセルの信号品質情報および現在のサービングセルの隣接セルの信号品質情報を含む、送信機1010と、
第1の基地局によって送信される前処理指示メッセージを受信するように構成される受信機1020であって、前処理指示メッセージが、ユーザ端末が前処理を行うときに第2の基地局とのアップリンク同期を行う第2のコンポーネントキャリアに関する情報を含み、第2のコンポーネントキャリアが、第1のコンポーネントキャリアとは異なる、受信機1020と
を含み、
送信機1010は、第2の基地局に対する前処理を実施するために、前処理指示メッセージに基づいて、第2のコンポーネントキャリアでランダムアクセス要求を第2の基地局に送信するようにさらに構成され、
受信機1020は、第1の基地局によって送信される第2の指示メッセージを受信するようにさらに構成され、ユーザ端末は、
第2の指示メッセージに基づいてユーザ端末と第2の基地局との間でデータ送信を実施するように構成されるプロセッサ1030をさらに含む。
【０２３４】
任意選択的に、前処理指示メッセージは、ユーザ端末のために第2の基地局によって事前設定されるSRB設定情報およびDRB設定情報をさらに含み、
プロセッサ1030は、受信機1020が第1の基地局によって送信される第2の指示メッセージを受信した後、第2の基地局との間でデータ送信を実施するために、SRB設定情報およびDRB設定情報に基づいてユーザ端末と第2の基地局との間のSRBおよびDRBを確立するように構成される。
【０２３５】
任意選択的に、第2の指示メッセージは、ユーザ端末のために第2の基地局によって事前設定されるSRB設定情報およびDRB設定情報をさらに含み、
プロセッサ1030は、受信機1020が第1の基地局によって送信される第2の指示メッセージを受信した後、第2の基地局との間でデータ送信を実施するために、第2の指示メッセージ内のSRB設定情報およびDRB設定情報に基づいてユーザ端末と第2の基地局との間のSRBおよびDRBを確立するように構成される。
【０２３６】
任意選択的に、プロセッサ1030は、第1の基地局におけるユーザ端末の第1の中間鍵と、ユーザ端末のために第1の基地局によって事前設定される第1のカウンタ値とに基づいて第2の基地局にユーザ端末の第2の中間鍵を生成し、第2の中間鍵に基づいて第2の基地局にユーザ端末の第1の最終鍵を生成し、第1の最終鍵が、ユーザ端末によって第2の基地局に送信されるデータを暗号化するために使用される、ようにさらに構成され、
受信機1020は、第2の基地局によって送信される第1の基地局鍵更新コマンドを受信し、第1の基地局鍵更新コマンドが、ユーザ端末のために第2の基地局によって事前設定される第2のカウンタ値を含み、第2のカウンタ値が、第1のカウンタ値とは異なる、ようにさらに構成され、
プロセッサ1030は、第1の中間鍵および第2のカウンタ値に基づいて第1の基地局にユーザ端末の第3の中間鍵を生成し、第3の中間鍵に基づいて第1の基地局にユーザ端末の第2の最終鍵を生成し、第2の最終鍵が、ユーザ端末によって第1の基地局に送信されるデータを暗号化するために使用される、ようにさらに構成される。
【０２３７】
任意選択的に、プロセッサ1030は、第1の基地局における第4の中間鍵と、ユーザ端末のために第1の基地局によって事前設定される第3のカウンタ値とに基づいて第2の基地局にユーザ端末の第5の中間鍵を生成し、第5の中間鍵に基づいて第2の基地局にユーザ端末の第3の最終鍵を生成し、第3の最終鍵が、ユーザ端末によって第2の基地局に送信されるデータを暗号化するために使用される、ようにさらに構成され、
受信機1020は、第2の基地局によって送信される第1の基地局鍵更新コマンドを受信し、第1の基地局鍵更新コマンドが、第5の中間鍵および第3のカウンタ値を含む、ようにさらに構成され、
プロセッサ1030は、第5の中間鍵および第3のカウンタ値に基づいて第1の基地局に第6の中間鍵を生成し、第6の中間鍵に基づいて第2の基地局とユーザ端末との間の第4の最終鍵を生成し、第4の最終鍵が、ユーザ端末によって第2の基地局に送信されるデータを暗号化するために使用される、ようにさらに構成される。
【０２３８】
任意選択的に、前処理指示メッセージは、第2の基地局を前処理するようにユーザ端末に命令するための指示情報をさらに含み、
プロセッサ1030は、指示情報に基づいて、ユーザ端末と第1の基地局との接続を維持することを決定するようにさらに構成される。
【０２３９】
本発明のこの実施形態で提供される携帯端末は、上記の方法の実施形態で提供される技術的解決策を実施することができ、その実施原理および技術的効果は、この技術的解決策と同様であり、詳細はここでは説明しない。
【０２４０】
図11は、本発明の別の実施形態による通信システムのフレームワークの概略構成図である。
【０２４１】
図11を参照すると、本発明のこの実施形態で提供される通信システムは、上記の実施形態のいずれかで提供されるようなネットワーク側デバイスおよびユーザ端末を含む。
【０２４２】
本発明のこの実施形態で提供される通信システムは、上記の方法の実施形態で提供される技術的解決策を実施することができ、その実施原理および技術的効果は、この技術的解決策と同様であり、詳細はここでは説明しない。
【０２４３】
当業者であれば、方法の実施形態のステップの全部または一部が、関連するハードウェアに命令するプログラムによって実施され得ることを理解することができる。プログラムは、コンピュータ、携帯電話、または別のポータブル装置によって読み取られ得る記憶媒体に格納されてもよい。プログラムが実行されると、方法の実施形態のステップが実行される。上記の記憶媒体は、ROM、RAM、磁気ディスク、または光ディスクなど、プログラムコードを格納することができる任意の媒体を含む。
【０２４４】
最後に、上記の実施形態は、本発明の技術的解決策を説明するためのものに過ぎず、本発明を限定するためのものではないことに留意されたい。本発明は、上記の実施形態を参照して詳細に説明されているが、当業者であれば、本発明の実施形態の技術的解決策の範囲から逸脱することなく、上記の実施形態で説明した技術的解決策をさらに修正することができる、またはその技術的特徴の一部もしくは全部の同等の交換を行うことができることを理解するはずである。
【符号の説明】
【０２４５】
10  第1の基地局
20  第2の基地局
30  ユーザ機器
40  モビリティ管理エンティティ
510  処理ユニット
520  送信ユニット
530  受信ユニット
610  受信ユニット
620  処理ユニット
630  送信ユニット
710  送信ユニット
720  受信ユニット
730  処理ユニット
810  プロセッサ
820  送信機
830  受信機
910  受信機
920  プロセッサ
930  送信機
1010  送信機
1020  受信機
1030  プロセッサ
1110  ネットワーク側デバイス
1120  ユーザ端末
【国際調査報告】
2019510432.tif 000014
2019510432.tif 000015
2019510432.tif 000016
2019510432.tif 000017